(57)【要約】  本願は、通信方法、通信機器、ネットワークデバイスおよび端末を開示する。疑似コロケーションＱＣＬビーム情報が決定される。ＱＣＬビーム情報は、参照信号アンテナポートとのＱＣＬ関係を有するビーム情報を含む。ＱＣＬビーム情報が送信される。端末がＱＣＬビーム情報を受信する。ＱＣＬビーム情報は、参照信号アンテナポートとのＱＣＬ関係を有するビーム情報を含む。端末は、参照信号アンテナポートとのＱＣＬ関係を有する、ＱＣＬビーム情報に含まれるビーム情報に基づいて、参照信号アンテナポートとのＱＣＬ関係を有するビームを決定する。
2019533390.tif 000002
【特許請求の範囲】
【請求項１】
通信方法であって、
疑似コロケーションＱＣＬビーム情報を決定する段階であって、前記ＱＣＬビーム情報は、参照信号アンテナポートとの疑似コロケーションＱＣＬ関係を有するビーム情報を含む、段階と、
前記ＱＣＬビーム情報を送信する段階と
を備える方法。
【請求項２】
前記ＱＣＬビーム情報は、ビーム識別子情報およびビームアンテナポート情報のうち少なくとも１つを含む、請求項１に記載の方法。
【請求項３】
前記ＱＣＬビーム情報は、少なくとも１つの組のＱＣＬビーム情報を含み、
前記ＱＣＬビーム情報を送信する前記段階は、
無線リソース制御ＲＲＣシグナリングを通じて、前記少なくとも１つの組のＱＣＬビーム情報を送信する段階を含む、
請求項１または２に記載の方法。
【請求項４】
前記ＱＣＬビーム情報は、データリソースマッピング、ならびに、ＱＣＬ構成情報および／または非ゼロパワーチャネル状態情報参照信号構成情報に含まれる、請求項１から３のいずれか一項に記載の方法。
【請求項５】
参照信号アンテナポートとのＱＣＬ関係を有するＱＣＬビーム情報を決定する前記段階は、
前記参照信号アンテナポートを通じて参照信号を送信するために使用される時間領域リソースおよび／または周波数領域リソースに基づいて、前記時間領域リソースおよび／または前記周波数領域リソースにおける前記参照信号アンテナポートとの前記ＱＣＬ関係を有する前記ＱＣＬビーム情報を決定する段階を含み、
前記ＱＣＬビーム情報を送信する前記段階は、
前記時間領域リソースおよび／または前記周波数領域リソースにおける前記参照信号アンテナポートとの前記ＱＣＬ関係を有する前記ＱＣＬビーム情報を送信する段階を含む、
請求項１から４のいずれか一項に記載の方法。
【請求項６】
前記時間領域リソースおよび／または前記周波数領域リソースにおける前記参照信号アンテナポートとの前記ＱＣＬ関係を有する前記ＱＣＬビーム情報を送信する前記段階は、
時間領域ＱＣＬビーム情報リスト、周波数領域ＱＣＬビーム情報リストおよび時間周波数領域ＱＣＬビーム情報リストのうち少なくとも１つを送信する段階であって、前記時間領域ＱＣＬビーム情報リストは、少なくとも１つの時間領域リソースにおける前記参照信号アンテナポートとのＱＣＬ関係を有する少なくとも１つのＱＣＬビーム情報を含む、段階を含み、
前記周波数領域ＱＣＬビーム情報リストは、少なくとも１つの周波数領域リソースにおける前記参照信号アンテナポートとのＱＣＬ関係を有する少なくとも１つのＱＣＬビーム情報を含み、
前記時間周波数領域ＱＣＬビーム情報リストは、少なくとも１つの時間周波数領域リソースにおける前記参照信号アンテナポートとのＱＣＬ関係を有する少なくとも１つのＱＣＬビーム情報を含む、
請求項５に記載の方法。
【請求項７】
前記方法は更に、
ダウンリンク制御情報ＤＣＩを通じて、前記参照信号アンテナポートとの前記ＱＣＬ関係を有する前記ＱＣＬビーム情報を送信する段階を含む、
請求項１から３のいずれか一項に記載の方法。
【請求項８】
前記ビーム識別子情報はビーム同期信号識別子情報である、請求項２から７のいずれか一項に記載の方法。
【請求項９】
前記ビーム情報を有するビームは、ビームスキャンのための参照信号、ビーム参照信号、ビームスキャンのための参照信号、または、ビーム同期信号である、請求項１から８のいずれか一項に記載の方法。
【請求項１０】
ネットワークデバイスからの疑似コロケーションＱＣＬビーム情報を受信する段階であって、前記ＱＣＬビーム情報は、参照信号アンテナポートとのＱＣＬ関係を有するビーム情報を含む、段階と、
前記ＱＣＬビーム情報に含まれ、前記参照信号アンテナポートとの前記ＱＣＬ関係を有する前記ビーム情報に基づいて、前記参照信号アンテナポートとの前記ＱＣＬ関係を有するビームを決定する段階と
を備える通信方法。
【請求項１１】
前記ＱＣＬビーム情報は、ビーム識別子情報およびビームアンテナポート情報のうち少なくとも１つを含む、請求項１０に記載の方法。
【請求項１２】
前記ＱＣＬビーム情報は、少なくとも１つの組のＱＣＬビーム情報を含み、
ネットワークデバイスからのＱＣＬビーム情報を受信する前記段階は、
無線リソース制御ＲＲＣシグナリングを通じて、前記ネットワークデバイスからの前記少なくとも１つの組のＱＣＬビーム情報を受信する段階を含む、
請求項９または１０に記載の方法。
【請求項１３】
前記ＱＣＬビーム情報は、データリソースマッピングおよびＱＣＬ構成情報、および／または、非ゼロパワーチャネル状態情報参照信号構成情報に含まれる、請求項１０から１２のいずれか一項に記載の方法。
【請求項１４】
前記参照信号アンテナポートとの前記ＱＣＬ関係を有する前記ＱＣＬビーム情報は、前記参照信号アンテナポートを通じて参照信号を送信するために使用される時間領域リソースおよび／または周波数領域リソースに基づいて、前記ネットワークデバイスによって決定され、
ネットワークデバイスからのＱＣＬビーム情報を受信する前記段階は、
前記時間領域リソースおよび／または前記周波数領域リソースにおける前記参照信号アンテナポートとの前記ＱＣＬ関係を有する、前記ネットワークデバイスからの前記ＱＣＬビーム情報を受信する段階を含む、
請求項１０から１３のいずれか一項に記載の方法。
【請求項１５】
前記時間領域リソースおよび／または前記周波数領域リソースにおける前記参照信号アンテナポートとの前記ＱＣＬ関係を有する、前記ネットワークデバイスからの前記ＱＣＬビーム情報を受信する前記段階は、
前記ネットワークデバイスからの時間領域ＱＣＬビーム情報リスト、周波数領域ＱＣＬビーム情報リストおよび時間周波数領域ＱＣＬビーム情報リストのうち少なくとも１つを受信する段階を含み、
前記時間領域ＱＣＬビーム情報リストは、少なくとも１つの時間領域リソースにおける前記参照信号アンテナポートとのＱＣＬ関係を有する少なくとも１つのＱＣＬビーム情報を含み、
前記周波数領域ＱＣＬビーム情報リストは、少なくとも１つの周波数領域リソースにおける前記参照信号アンテナポートとのＱＣＬ関係を有する少なくとも１つのＱＣＬビーム情報を含み、
前記時間周波数領域ＱＣＬビーム情報リストは、少なくとも１つの時間領域リソースおよび少なくとも１つの周波数領域リソースにおける前記参照信号アンテナポートとのＱＣＬ関係を有する少なくとも１つのＱＣＬビーム情報を含む、
請求項１４に記載の方法。
【請求項１６】
ネットワークデバイスからのＱＣＬビーム情報を受信する前記段階は、
ダウンリンク制御情報ＤＣＩを通じて、前記参照信号アンテナポートとの前記ＱＣＬ関係を有する前記ＱＣＬビーム情報を受信する段階を含む、
請求項１０から１２のいずれか一項に記載の方法。
【請求項１７】
前記ビーム識別子情報はビーム同期信号識別子情報である、請求項１１から１６のいずれか一項に記載の方法。
【請求項１８】
前記ビームは、ビームスキャンのための参照信号、ビーム参照信号、ビームスキャンのための参照信号、または、ビーム同期信号である、請求項１０から１７のいずれか一項に記載の方法。
【請求項１９】
前記方法は更に、
前記参照信号アンテナポートとの前記ＱＣＬ関係を有する、決定された前記ビームに基づいて、前記参照信号アンテナポートの大規模特性を決定する段階を備える、
請求項１０から１８のいずれか一項に記載の方法。
【請求項２０】
疑似コロケーションＱＣＬビーム情報を決定するよう構成される処理ユニットであって、前記ＱＣＬビーム情報は、参照信号アンテナポートとの疑似コロケーションＱＣＬ関係を有するビーム情報を含む、処理ユニットと、
前記処理ユニットによって決定される前記ＱＣＬビーム情報を送信するよう構成される送信ユニットと
を備える通信機器。
【請求項２１】
前記ＱＣＬビーム情報は、ビーム識別子情報およびビームアンテナポート情報のうち少なくとも１つを含む、請求項２０に記載の通信機器。
【請求項２２】
前記送信ユニットは、前記ＱＣＬビーム情報が少なくとも１つの組のＱＣＬビーム情報を含む場合、無線リソース制御ＲＲＣシグナリングを通じて、前記少なくとも１つの組のＱＣＬビーム情報を送信するという方式で前記ＱＣＬビーム情報を送信する、請求項２０または２１に記載の通信機器。
【請求項２３】
前記ＱＣＬビーム情報は、データリソースマッピングおよびＱＣＬ構成情報、および／または、非ゼロパワーチャネル状態情報参照信号構成情報に含まれる、請求項２０から２２のいずれか一項に記載の通信機器。
【請求項２４】
前記処理ユニットは、
前記参照信号アンテナポートを通じて参照信号を送信するために使用される時間領域リソースおよび／または周波数領域リソースに基づいて、前記時間領域リソースおよび／または前記周波数領域リソースにおける前記参照信号アンテナポートとの前記ＱＣＬ関係を有する前記ＱＣＬビーム情報を決定するという方式で、
前記参照信号アンテナポートとの前記ＱＣＬ関係を有する前記ＱＣＬビーム情報を決定し、
前記送信ユニットは、
前記時間領域リソースおよび／または前記周波数領域リソースにおける前記参照信号アンテナポートとの前記ＱＣＬ関係を有する前記ＱＣＬビーム情報を送信するという方式で、
前記ＱＣＬビーム情報を送信する、
請求項２０から２３のいずれか一項に記載の通信機器。
【請求項２５】
前記送信ユニットは、
時間領域ＱＣＬビーム情報リスト、周波数領域ＱＣＬビーム情報リストおよび時間周波数領域ＱＣＬビーム情報リストのうち少なくとも１つを送信するという方式で、前記時間領域リソースおよび／または前記周波数領域リソースにおける前記参照信号アンテナポートとの前記ＱＣＬ関係を有する前記ＱＣＬビーム情報を送信し、
前記時間領域ＱＣＬビーム情報リストは、少なくとも１つの時間領域リソースにおける前記参照信号アンテナポートとのＱＣＬ関係を有する少なくとも１つのＱＣＬビーム情報を含み、
前記周波数領域ＱＣＬビーム情報リストは、少なくとも１つの周波数領域リソースにおける前記参照信号アンテナポートとのＱＣＬ関係を有する少なくとも１つのＱＣＬビーム情報を含み、
前記時間周波数領域ＱＣＬビーム情報リストは、少なくとも１つの時間周波数領域リソースにおける前記参照信号アンテナポートとのＱＣＬ関係を有する少なくとも１つのＱＣＬビーム情報を含む、
請求項２４に記載の通信機器。
【請求項２６】
前記送信ユニットは更に、
ダウンリンク制御情報ＤＣＩを通じて、前記参照信号アンテナポートとの前記ＱＣＬ関係を有する前記ＱＣＬビーム情報を送信するよう構成される、請求項２０から２２のいずれか一項に記載の通信機器。
【請求項２７】
前記ビーム識別子情報はビーム同期信号識別子情報である、請求項２１から２６のいずれか一項に記載の機器。
【請求項２８】
前記ビーム情報を有するビームは、ビームスキャンのための参照信号、ビーム参照信号、ビームスキャンのための参照信号、または、ビーム同期信号である、請求項２０から２７のいずれか一項に記載の機器。
【請求項２９】
ネットワークデバイスからの疑似コロケーションＱＣＬビーム情報を受信するよう構成される受信ユニットであって、前記ＱＣＬビーム情報は、参照信号アンテナポートとのＱＣＬ関係を有するビーム情報を含む、受信ユニットと、
前記受信ユニットによって受信され、前記ＱＣＬビーム情報に含まれ、前記参照信号アンテナポートとの前記ＱＣＬ関係を有する前記ビーム情報に基づいて、前記参照信号アンテナポートとの前記ＱＣＬ関係を有するビームを決定するよう構成される処理ユニットと
を備える通信機器。
【請求項３０】
前記ＱＣＬビーム情報は、ビーム識別子情報およびビームアンテナポート情報のうち少なくとも１つを含む、請求項２９に記載の通信機器。
【請求項３１】
前記受信ユニットは、
前記ＱＣＬビーム情報が少なくとも１つの組のＱＣＬビーム情報を含む場合、無線リソース制御ＲＲＣシグナリングを通じて、前記ネットワークデバイスからの前記少なくとも１つの組のＱＣＬビーム情報を受信する
という方式で、前記ネットワークデバイスからの前記ＱＣＬビーム情報を受信する、請求項２９または３０に記載の通信機器。
【請求項３２】
前記ＱＣＬビーム情報は、データリソースマッピングおよびＱＣＬ構成情報、および／または、非ゼロパワーチャネル状態情報参照信号構成情報に含まれる、請求項２９から３１のいずれか一項に記載の通信機器。
【請求項３３】
前記参照信号アンテナポートとの前記ＱＣＬ関係を有する前記ＱＣＬビーム情報は、前記参照信号アンテナポートを通じて参照信号を送信するために使用される時間領域リソースおよび／または周波数領域リソースに基づいて前記ネットワークデバイスによって決定され、
前記受信ユニットは、前記時間領域リソースおよび／または前記周波数領域リソースにおける前記参照信号アンテナポートとの前記ＱＣＬ関係を有する、前記ネットワークデバイスからの前記ＱＣＬビーム情報を受信するという方式で、前記ネットワークデバイスからの前記ＱＣＬビーム情報を受信する、
請求項２９から３２のいずれか一項に記載の通信機器。
【請求項３４】
前記受信ユニットは、
前記ネットワークデバイスからの時間領域ＱＣＬビーム情報リスト、周波数領域ＱＣＬビーム情報リストおよび時間周波数領域ＱＣＬビーム情報リストのうち少なくとも１つを受信するという方式で、
前記時間領域リソースおよび／または前記周波数領域リソースにおける前記参照信号アンテナポートとの前記ＱＣＬ関係を有する、前記ネットワークデバイスからの前記ＱＣＬビーム情報を受信し、
前記時間領域ＱＣＬビーム情報リストは、少なくとも１つの時間領域リソースにおける前記参照信号アンテナポートとのＱＣＬ関係を有する少なくとも１つのＱＣＬビーム情報を含み、
前記周波数領域ＱＣＬビーム情報リストは、少なくとも１つの周波数領域リソースにおける前記参照信号アンテナポートとのＱＣＬ関係を有する少なくとも１つのＱＣＬビーム情報を含み、
前記時間周波数領域ＱＣＬビーム情報リストは、少なくとも１つの時間領域リソースおよび少なくとも１つの周波数領域リソースにおける前記参照信号アンテナポートとのＱＣＬ関係を有する少なくとも１つのＱＣＬビーム情報を含む、
請求項３３に記載の通信機器。
【請求項３５】
前記受信ユニットは、
ダウンリンク制御情報ＤＣＩを通じて、前記参照信号アンテナポートとの前記ＱＣＬ関係を有する前記ＱＣＬビーム情報を受信するという方式で、
前記ネットワークデバイスからの前記ＱＣＬビーム情報を受信する、請求項２９から３１のいずれか一項に記載の通信機器。
【請求項３６】
前記ビーム識別子情報はビーム同期信号識別子情報である、請求項３０から３５のいずれか一項に記載の機器。
【請求項３７】
前記ビームは、ビームスキャンのための参照信号、ビーム参照信号、ビームスキャンのための参照信号、または、ビーム同期信号である、請求項２９から３６のいずれか一項に記載の機器。
【請求項３８】
前記処理ユニットは更に、
前記参照信号アンテナポートとの前記ＱＣＬ関係を有する、決定された前記ビームに基づいて、前記参照信号アンテナポートの大規模特性を決定するよう構成される、
請求項２９から３７のいずれか一項に記載の機器。
【請求項３９】
プロセッサ、メモリおよび送受信機を備えるネットワークデバイスであって、
前記メモリは命令を記憶するよう構成され、前記プロセッサは前記メモリに記憶された前記命令を実行して前記送受信機を制御して信号を受信および送信するよう構成され、前記プロセッサが前記メモリに記憶された前記命令を実行するとき、前記ネットワークデバイスは、請求項１から９のいずれか一項に記載の方法を実行するよう構成される、ネットワークデバイス。
【請求項４０】
プロセッサ、メモリおよび送受信機を備える端末であって、
前記メモリは命令を記憶するよう構成され、前記プロセッサは前記メモリに記憶された前記命令を実行して前記送受信機を制御して信号を受信および送信するよう構成され、前記プロセッサが前記メモリに記憶された前記命令を実行するとき、前記端末は、請求項１０から１９のいずれか一項に記載の方法を実行するよう構成される、端末。
【請求項４１】
命令またはプログラムを含む可読記憶媒体であって、前記命令または前記プログラムが実行されるとき、請求項１から１９のいずれか一項に記載の方法が実行される、可読記憶媒体。
【請求項４２】
請求項１から１９のいずれか一項に記載の方法を実行するよう構成される通信機器。
【請求項４３】
プロセッサおよびメモリを備える通信機器であって、前記メモリは命令を記憶するよう構成され、前記プロセッサは前記メモリに記憶された前記命令を実行するよう構成され、前記プロセッサが前記メモリに記憶された前記命令を実行するとき、前記ネットワークデバイスは、請求項１から１９のいずれか一項に記載の方法を実行するよう構成される、通信機器。
【発明の詳細な説明】
【技術分野】
【０００１】
本願は、２０１６年１１月４日に中国特許庁に出願された、「疑似コロケーション情報の送信および受信の方法、機器、ネットワークデバイス、端末」と題する中国特許出願第２０１６１０９８１７７９．９号に対する優先権を主張し、これは参照によって全体として本明細書に組み込まれる。
【０００２】
本願は通信技術の分野、特に、通信方法、通信機器、ネットワークデバイスおよび端末に関する。
【背景技術】
【０００３】
近年のインテリジェントモバイル端末などのデバイスの普及により、システムスループットに対して、より高い要求が課されている。スペクトルリソースがますます不足している状況下で、協調マルチポイント送信／受信（Ｃｏｏｒｄｉｎａｔｉｏｎ  ｍｕｌｔｉｐｌｅ  ｐｏｉｎｔ、ＣｏＭＰ）をサポートする通信モードが登場した。
【０００４】
ＣｏＭＰ通信モードにおいて、信号は、複数の異なる送信ポイント（Ｔｒａｎｓｍｉｔｔｉｎｇ  ｒｅｃｅｉｖｉｎｇ  ｐｏｉｎｔ、ＴＲＰ）に由来し得る。信号の正確な受信および復調を確実にするために、疑似コロケーション（Ｑｕａｓｉ−Ｃｏ−Ｌｏｃａｔｉｏｎ、ＱＣＬ）関係を有する参照信号の概念、例えば、セル固有参照信号（Ｃｅｌｌ−ｓｐｅｃｉｆｉｃ  Ｒｅｆｅｒｅｎｃｅ  Ｓｉｇｎａｌ、ＣＲＳ）またはチャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）が導入された。端末はＣＲＳ／ＣＳＩ−ＲＳに基づいて大規模特性パラメータを推定し得る。大規模特性パラメータは、遅延広がり、ドップラー広がり、ドップラー周波数シフト、平均チャネルゲイン、平均遅延のうち１または複数を含む。例えば、ロングタームエボリューション（Ｌｏｎｇ  Ｔｅｒｍ  Ｅｖｏｌｕｔｉｏｎ、ＬＴＥ）通信システムのプロトコルリリース１１（Ｒｅｌｅａｓｅ１１）において、ＣｏＭＰをサポートするためにアンテナポートＱＣＬが導入される。アンテナポートＱＣＬは、アンテナポートによって送信された信号が同一の大規模フェージングを経て、同一の大規模特性パラメータを有することを示す。例えば、ＱＣＬ関係がアンテナポートＡとアンテナポートＢとの間に存在するとき、アンテナポートＡ上の信号を使用することにより推定された大規模チャネル特性パラメータは、アンテナポートＢ上の信号にも適用可能である。
【０００５】
ＬＴＥシステムにおいて、サービスを提供する基地局からの物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を受信し、協調された基地局からの物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）を端末が受信するのをサポートするために、新しい送信モード（ｔｒａｎｓｍｉｓｓｉｏｎ  ｍｏｄｅ  １０）がＲ１１において定義される。ＰＤＳＣＨを送信する基地局を示すために、および、ＰＤＳＣＨに対応する大規模チャネル特性と一致するアンテナポートを示すために、物理ダウンリンク共有チャネルリソース要素マッピングおよび疑似コロケーションインジケータ（ＰＤＳＣＨ  ＲＥ  Ｍａｐｐｉｎｇ  ａｎｄ  Ｑｕａｓｉ−Ｃｏ−Ｌｏｃａｔｉｏｎ  Ｉｎｄｉｃａｔｏｒ、ＰＱＩ）が導入される。ＬＴＥシステムにおいて、同一のＴＲＰについて、端末によって受信されたＰＤＳＣＨに対応する復調参照信号（Ｄｅｍｏｄｕｌａｔｉｏｎ  Ｒｅｆｅｒｅｎｃｅ  Ｓｙｍｂｏｌ、ＤＭＲＳ）についてのすべてのポートの間にＱＣＬ関係がある。すなわち、アンテナポート７とアンテナポート１４との間に疑似コロケーション関係がある。したがって、端末は、ＰＱＩに基づいて、無線リソース制御（Ｒａｄｉｏ  Ｒｅｓｏｕｒｃｅ  Ｃｏｎｔｒｏｌ、ＲＲＣ）構成のＰＤＳＣＨリソース要素マッピングおよびＱＣＬ構成情報に関連して、ＰＤＳＣＨを復調するために使用される必要があるＤＭＲＳに対応する無線チャネルパラメータを認識し得る。
【０００６】
しかしながら、第５世代（５Ｇ）通信システムにおいて、複数のアンテナパネルの大規模アレイ構造は、同一のＴＲＰにおいて構成され得て、異なるアンテナパネルによって形成される異なるビームは異なる大規模特性を有する（大規模特性は、遅延広がり、ドップラー広がり、ドップラー周波数シフト、平均チャネルゲインおよび平均遅延に加えて、到達角度（ａｎｇｌｅ  ｏｆ  ａｒｒｉｖａｌ、ＡＯＡ）、到達角度広がり（ａｎｇｌｅ  ｏｆ  ａｒｒｉｖａｌ  ｓｐｒｅａｄ、ＡＡＳ）、離脱角度（ａｎｇｌｅ  ｏｆ  ｄｅｐａｒｔｕｒｅ、ＡＯＤ）、離脱角度広がり（ａｎｇｌｅ  ｏｆ  ｄｅｐａｒｔｕｒｅ  ｓｐｒｅａｄ、ＡＤＳ）、空間相関（ｓｐａｔｉａｌ  ｃｏｒｒｅｌａｔｉｏｎ）などを更に含む）。したがって、同一のＴＲＰについて、信号を送信するためのアンテナポート間にＱＣＬ関係は無いことがあり得る。結果として、ＱＣＬ情報がＰＱＩインジケータに基づいて構成されるとき、端末は情報に基づいて大規模特性パラメータを推定できない。異なるビームの異なる大規模特性パラメータは、大規模特性パラメータのうち１または複数が異なることを示し得る。
【０００７】
したがって、５Ｇ通信システムに適用可能なＱＣＬ情報構成方法をどのように提供するかは、解決されるべき緊急の問題である。
【発明の概要】
【０００８】
本願の実施形態は、通信方法および通信機器を提供し、具体的には、疑似コロケーション情報を送信および受信する方法および機器、ネットワークデバイスならびに端末を提供し、これにより、端末は、参照信号アンテナポートとのＱＣＬ関係を有するビームを決定し、正確に大規模チャネル特性推定を実行できる。
【０００９】
第１態様によれば、ＱＣＬ情報を送信および受信する方法が提供される。当該方法において、ネットワークデバイスは、決定されたＱＣＬビーム情報を端末へ送信する。ＱＣＬビーム情報は、参照信号アンテナポートとのＱＣＬ関係を有するビーム情報を含む。ＱＣＬビーム情報の受信後、端末は、参照信号アンテナポートとのＱＣＬ関係を有する、ＱＣＬ指示情報に含まれるビーム情報に基づいて、参照信号アンテナポートとのＱＣＬ関係を有するビームを決定し得て、更に、ビームを通じて送信される送信済み参照信号を決定し、決定された送信済み参照信号に基づいて大規模チャネル特性推定を実行し得る。
【００１０】
参照信号は、復調参照信号、チャネル状態情報参照信号、または、別の参照信号を含み得る。ここではこれに限定されない。ＱＣＬビーム情報は、ビーム識別子、ビームアンテナポート情報または他のビーム関連情報であり得る。ビーム識別子情報はビーム同期信号識別子であり得る。ビームは、送信ビームおよび受信ビームを含み得る。送信ビームは、アンテナを介して信号が送信された後に、空間において異なる方向に形成された信号強度の分布を示す。受信ビームは、アンテナから受信された無線信号の、空間における異なる方向の信号強度の分布を示す。ビームは、ビームスキャンのための参照信号、ビーム参照信号、ビームスキャンのための参照信号、または、ビーム同期信号などのビーム関連信号であり得る。任意選択で、参照信号アンテナポートとのＱＣＬ関係を有する決定されたビームは、物理ビーム、または、上述のビームスキャンのための参照信号、ビーム参照信号、ビームスキャンのための参照信号、もしくはビーム同期信号などのビーム関連信号であり得る。更に、ビームを通じて送信される送信済み参照信号は、物理ビームを通じて送信される、ビームスキャンのための参照信号、ビーム参照信号、ビームスキャンのための参照信号、もしくは、ビーム同期信号などのビーム関連信号のうち１または複数であり得る、または、ビーム情報に対応する、ビームスキャンのための参照信号、ビーム参照信号、ビームスキャンのための参照信号、もしくは、ビーム同期信号などのビーム関連信号のうち１または複数であり得る。
【００１１】
可能な設計において、ネットワークデバイスは、無線リソース制御ＲＲＣシグナリングを通じてＱＣＬビーム情報を送信する。
【００１２】
ＱＣＬビーム情報は、少なくとも１つの組のＱＣＬビーム情報を含む。ネットワークデバイスは、ＲＲＣシグナリングを通じて少なくとも１つの組のＱＣＬビーム情報を端末へ送信し、ダウンリンク制御情報を通じて、端末によって現在使用される参照信号に適用可能なＱＣＬビーム情報を示す。現在使用されている参照信号に適用可能なＱＣＬビーム情報は、参照信号アンテナポートとのＱＣＬ関係を有するビーム情報である。
【００１３】
本願の本実施形態において、ＲＲＣシグナリングにおいてＱＣＬビーム情報を元のＱＣＬ指示情報に追加することは、以下の２つの方式で実装され得る。
【００１４】
第１実装において、ＱＣＬビーム情報は、データリソースマッピングおよびＱＣＬ構成情報に追加され、これにより、ＱＣＬビーム情報がＲＲＣシグナリングに追加されたことを示すために使用されるパラメータ情報は物理層プロトコルに追加される。
【００１５】
別の実装において、ＱＣＬビーム情報は非ゼロパワーＣＳＩ−ＲＳ構成パラメータに追加され、ＣＳＩ−ＲＳのＱＣＬビーム情報を示す。
【００１６】
別の可能な設計において、参照信号がＤＭＲＳである場合、ＤＭＲＳアンテナポートとのＱＣＬ関係を有するＱＣＬビーム情報は、非ゼロパワーＣＳＩ−ＲＳ構成パラメータ識別子に対応するＣＳＩ−ＲＳリソース構成情報に含まれるＱＣＬビーム情報である。
【００１７】
更に別の可能な設計において、ネットワークデバイスは、参照信号アンテナポートを通じて参照信号を送信するために使用される時間領域リソースおよび／または周波数領域リソースに基づいて、時間領域リソースおよび／または周波数領域リソースにおける参照信号アンテナポートとのＱＣＬ関係を有するＱＣＬビーム情報を決定し、時間領域リソースおよび／または周波数領域リソースにおける参照信号アンテナポートとのＱＣＬ関係を有するＱＣＬビーム情報を端末に送信し得る。
【００１８】
ネットワークデバイスは、時間領域ＱＣＬビーム情報リスト、周波数領域ＱＣＬビーム情報リストおよび時間周波数領域ＱＣＬビーム情報リストのうち少なくとも１つを端末へ送信し得る。端末は、ネットワークデバイスからの周波数領域ＱＣＬビーム情報リストを受信した後に、異なる周波数帯における参照信号のＱＣＬビームを決定し得て、異なる周波数帯において大規模チャネル特性推定を実行し得る。端末は、ネットワークデバイスからの時間領域ＱＣＬビーム情報リストを受信した後に、異なるサブフレーム、タイムスロットまたは他の時間単位における参照信号のＱＣＬビームを決定してから、異なるサブフレーム、タイムスロットまたは他の時間単位において大規模チャネル特性推定を実行し得る。端末は、ネットワークデバイスからの時間周波数領域ＱＣＬビーム情報リストを受信した後に、異なる時間周波数領域リソースにおける参照信号のＱＣＬビームを決定してから、異なる時間周波数領域において大規模チャネル特性推定を実行し得る。
【００１９】
更に別の可能な設計において、ネットワークデバイスは、ＤＣＩを通じてＱＣＬビーム情報を送信し得る。
【００２０】
ＤＣＩを通じてネットワークデバイスによって送信されるＱＣＬビーム情報は、データを送信するために端末によって現在使用される参照信号アンテナポートとのＱＣＬ関係を有するビーム情報であり得る。端末がＤＣＩを端末へ送信した後に、端末は、受信されたＤＣＩに基づいて、データを送信するために現在使用されている参照信号アンテナポートとのＱＣＬ関係を有するビーム、および、決定されたビームによって送信された送信済み参照信号を正確に決定し、決定された送信済み参照信号に基づいて大規模チャネル特性推定を実行し得る。例えば、参照信号アンテナポートの大規模特性は、参照信号アンテナポートとのＱＣＬ関係を有する、決定されたビームに基づいて決定され得る。
【００２１】
第２態様によれば、通信機器が提供される。通信機器は、第１態様におけるネットワークデバイスを実装する機能を有する。機能はハードウェアにより実装され得る、または、対応するソフトウェアを実行するハードウェアにより実装され得る。ハードウェアまたはソフトウェアは、上述の機能に対応する１または複数のモジュールを含む。モジュールは、ソフトウェアおよび／またはハードウェアであり得る。
【００２２】
可能な設計において、通信機器は、処理ユニットおよび送信ユニットを含み、処理ユニットおよび送信ユニットの機能は、方法の段階に対応し得る。詳細はここでは再度説明しない。
【００２３】
第３態様によれば、通信機器が提供される。疑似コロケーション情報受信デバイスは、第１態様における端末を実装する機能を有する。機能は、ハードウェアによって実装され得る、または、対応するソフトウェアを実行するハードウェアによって実装され得る。ハードウェアまたはソフトウェアは、上述の機能に対応する１または複数のモジュールを含む。モジュールは、ソフトウェアおよび／またはハードウェアであり得る。
【００２４】
可能な設計において、通信機器は、受信ユニットおよび処理ユニットを含み、受信ユニットおよび処理ユニットの機能は、方法の段階に対応し得る。詳細はここでは再度説明しない。
【００２５】
第４態様によれば、ネットワークデバイスが提供され、ネットワークデバイスは、プロセッサ、メモリおよび送受信機を含む。
【００２６】
メモリは、命令を記憶するよう構成される。プロセッサは、メモリに記憶された命令を実行して、送受信機を制御して信号を受信および送信するよう構成される。プロセッサが、メモリに記憶された命令を実行するとき、ネットワークデバイスは、第１態様におけるネットワークデバイスに関する任意の方法を実行するよう構成される。
【００２７】
第５態様によれば、端末が提供され、端末は、プロセッサ、メモリおよび送受信機を含む。
【００２８】
メモリは、命令を記憶するよう構成される。プロセッサは、メモリに記憶された命令を実行して、送受信機を制御して信号を受信および送信するよう構成される。プロセッサが、メモリに記憶された命令を実行するとき、端末は、第１態様における端末に関する任意の方法を実行するよう構成される。
【００２９】
第６態様によれば、コンピュータ記憶媒体が提供され、コンピュータ記憶媒体は、いくつかの命令を記憶するよう構成される。命令が実行されるとき、上述の端末またはネットワークデバイスに関する任意の方法が実行され得る。
【００３０】
第７の態様によれば、通信システムが提供され、通信システムは、端末およびネットワークデバイスを含む。ネットワークデバイスは、第４態様におけるネットワークデバイスであり、端末は第５態様における端末である。
【００３１】
本願において提供されるネットワークデバイスは、上述の方法の態様におけるネットワークデバイスの動作を実装する機能を有し、上述の方法の態様に記載された段階または機能を実行するよう構成される対応する手段（ｍｅａｎｓ）を含む。段階または機能は、ソフトウェア、ハードウェアまたはハードウェアおよびソフトウェアの組み合わせによって実装され得る。
【００３２】
可能な設計において、ネットワークデバイスは、１または複数のプロセッサを含み、１または複数のプロセッサは、上述の方法における対応する機能をネットワークデバイスが実行するのをサポートするよう構成される。任意選択で、ネットワークデバイスは更に、１または複数のメモリを含み得る。メモリは、プロセッサと結合し、ネットワークデバイスに必要なプログラムおよび／または命令を記憶するよう構成され、更にデータを記憶し得る。１または複数のメモリは、プロセッサと統合され得る、または、プロセッサから分離され得る。プロセッサがメモリにおけるプログラムおよび／または命令を実行するとき、ネットワークデバイスは、上述の方法における対応する段階を実行する。
【００３３】
可能な設計において、ネットワークデバイスは、１または複数のプロセッサおよび通信ユニットを含む。１または複数のプロセッサは、例えば、ＱＣＬビーム情報の決定など、上述の方法における対応する機能をネットワークデバイスが実装するのをサポートするよう構成される。通信ユニットは、ネットワークデバイスと別のデバイスとの間の通信をサポートするよう構成され、それにより、例えば、プロセッサによって生成されたＱＣＬビーム情報を送信するなど、受信および／または送信機能を実装する。
【００３４】
任意選択で、ネットワークデバイスは、１または複数のメモリを更に含み得る。メモリは、プロセッサと結合し、ネットワークデバイスに必要なプログラム命令および／またはデータを記憶するよう構成される。１または複数のメモリは、プロセッサと統合され得る、または、プロセッサから分離され得る。本願ではこれに限定されない。
【００３５】
ネットワークデバイスは、基地局、ｇＮＢ、ＴＲＰまたは同様のものであり得て、通信ユニットは送受信機または送受信回路であり得る。任意選択で、送受信機は入出力回路またはインタフェースであり得る。
【００３６】
ネットワークデバイスは通信チップであり得る。通信ユニットは通信チップの入出力回路またはインタフェースであり得る。
【００３７】
本願は機器を更に提供し、当該機器は、上述の方法の態様における端末の動作を実装する機能を有し、上述の方法の態様に記載される段階または機能を実行するよう構成される対応する手段（ｍｅａｎｓ）を含む。段階または機能は、ソフトウェア、ハードウェアまたはハードウェアおよびソフトウェアの組み合わせによって実装され得る。
【００３８】
可能な設計において、機器は、１または複数のプロセッサを含み、１または複数のプロセッサは、上述の方法における端末の対応する機能を機器が実行するのをサポートするよう構成される。任意選択で、機器は、１または複数のメモリを更に含み得る。メモリは、プロセッサと結合し、機器に必要なプログラムおよび／または命令を記憶するよう構成され、更にデータを記憶し得る。１または複数のメモリは、プロセッサと統合され得る、または、プロセッサから分離され得る。プロセッサがメモリにおけるプログラムおよび／または命令を実行するとき、機器は、上述の方法における対応する段階を実行する。
【００３９】
可能な設計において、機器は、１または複数のプロセッサおよび通信ユニットを含む。１または複数のプロセッサは、例えば、参照信号アンテナポートとのＱＣＬ関係を有するビームを決定するなど、上述の方法における端末の対応する機能を機器が実装するのをサポートするよう構成される。通信ユニットは、機器と別のデバイスとの間の通信をサポートするよう構成され、それにより、例えば、ＱＣＬビーム情報を受信するなど、受信および／または送信機能を実装する。
【００４０】
任意選択で、機器は、１または複数のメモリを更に含み得る。メモリは、プロセッサと結合し、ネットワーク機器に必要なプログラム命令および／またはデータを記憶するよう構成される。１または複数のメモリは、プロセッサと統合され得る、または、プロセッサから分離され得る。本願ではこれに限定されない。
【００４１】
機器はインテリジェント端末、ウェアラブルデバイスまたは同様のものであり得て、通信ユニットは、送受信機または送受信回路であり得る。任意選択で、送受信機は入出力回路またはインタフェースであり得る。
【００４２】
機器は通信チップであり得る。通信ユニットは通信チップの入出力回路またはインタフェースであり得る。
【００４３】
本願の実施形態において、ネットワークデバイスは決定されたＱＣＬビーム情報を端末へ送信する。ＱＣＬビーム情報は、参照信号アンテナポートとのＱＣＬ関係を有するビーム情報を含む。ＱＣＬビーム情報の受信後、端末は、参照信号アンテナポートとのＱＣＬ関係を有する、ＱＣＬ指示情報に含まれるビーム情報に基づいて、参照信号アンテナポートとのＱＣＬ関係を有するビームを決定し得て、更に、ビームを通じて送信される送信済み参照信号を決定し、決定された送信済み参照信号に基づいて大規模チャネル特性推定を実行し得る。
【図面の簡単な説明】
【００４４】
【図１Ａ】本願の実施形態に係る１つのＴＲＰに含まれる４つのアンテナパネルによって形成されるビームの概略図である。
【図１Ｂ】本願の実施形態に係る１つのＴＲＰに含まれる４つのアンテナパネルによって形成されるビームの概略図である。
【００４５】
【図２】ネットワークデバイスと端末との間の通信の概略図である。
【００４６】
【図３】ネットワークデバイスおよび端末の内部構造の簡略化された概略図である。
【００４７】
【図４】本願の実施形態に係るＱＣＬ情報構成方法のフローチャートである。
【００４８】
【図５】本願の実施形態に係るＱＣＬ情報送信デバイスの概略構造図である。
【００４９】
【図６】本願の実施形態に係るネットワークデバイスの概略構造図である。
【００５０】
【図７】本願の実施形態に係るＱＣＬ情報受信デバイスの概略構造図である。
【００５１】
【図８】本願の実施形態に係る端末の概略構造図である。
【発明を実施するための形態】
【００５２】
以下では、本願の実施形態における添付図面を参照して、本願の実施形態における技術的解決法を説明する。
【００５３】
当業者による理解を容易にするために、本願におけるいくつかの用語を最初に説明する。
【００５４】
（１）ネットワークデバイスは、無線アクセスネットワーク（Ｒａｄｉｏ  Ａｃｃｅｓｓ  Ｎｅｔｗｏｒｋ、ＲＡＮ）デバイスと呼ばれ得る。これは、端末を無線ネットワークに接続するデバイスであり、これらに限定されないが、進化型ノードＢ（ｅｖｏｌｖｅｄ  ＮｏｄｅＢ、ｅＮＢ）、無線ネットワークコントローラ（ｒａｄｉｏ  ｎｅｔｗｏｒｋ  ｃｏｎｔｒｏｌｌｅｒ、ＲＮＣ）、ノードＢ（ＮｏｄｅＢ、ＮＢ）、基地局コントローラ（Ｂａｓｅ  Ｓｔａｔｉｏｎ  Ｃｏｎｔｒｏｌｌｅｒ、ＢＳＣ）、ベーストランシーバステーション（Ｂａｓｅ  Ｔｒａｎｓｃｅｉｖｅｒ  Ｓｔａｔｉｏｎ、ＢＴＳ）、ホームｅＮｏｄｅＢ（例えば、Ｈｏｍｅ  ｅｖｏｌｖｅｄ  ＮｏｄｅＢまたは  Ｈｏｍｅ  ＮｏｄｅＢ、ＨＮＢ）、ベースバンドユニット（Ｂａｓｅｂａｎｄ  Ｕｎｉｔ、ＢＢＵ）、ワイヤレスフィディリティ（Ｗｉｒｅｌｅｓｓ  Ｆｉｄｅｌｉｔｙ、ＷｉＦｉ）アクセスポイント（Ａｃｃｅｓｓ  Ｐｏｉｎｔ、ＡＰ）、送信ポイント（ｔｒａｎｓｍｉｓｓｉｏｎ  ａｎｄ  ｒｅｃｅｉｖｅｒ  ｐｏｉｎｔ、ＴＲＰまたはｔｒａｎｓｍｉｓｓｉｏｎ  ｐｏｉｎｔ、ＴＰ）などが含まれる。例えば、ネットワークデバイスは、ＮＲ（ｎｅｗ  ｒａｄｉｏ）システムなどの５ＧシステムにおけるｇＮＢ  ｇＮＢ、ベースバンドユニット（ＢＢＵ）またはデータ単位（ＤＵ、ｄａｔａ  ｕｎｉｔ）であり得る。一部のデプロイメントにおいて、ｇＮＢは、制御ユニット（ＣＵ、ｃｏｎｔｒｏｌ  ｕｎｉｔ）およびＤＵを含み得て、ＲＵ（無線周波数ユニット、ｒａｄｉｏ  ｕｎｉｔ）を更に含み得る。ＣＵはｇＮＢのいくつかの機能を実装し、ＤＵはｇＮＢのいくつかの機能を実装する。例えば、ＣＵはＲＲＣ（無線リソース制御、ｒａｄｉｏ  ｒｅｓｏｕｒｃｅ  ｃｏｎｔｒｏｌ）層およびＰＤＣＰ（ｐａｃｋｅｔ  ｄａｔａ  ｃｏｎｖｅｒｇｅｎｃｅ  ｐｒｏｔｏｃｏｌ、パケットデータコンバージェンスプロトコル）層の機能を実装し、ＤＵは、ＲＬＣ（ｒａｄｉｏ  ｌｉｎｋ  ｃｏｎｔｒｏｌ、無線リンク制御）層、ＭＡＣ（ｍｅｄｉａ  ａｃｃｅｓｓ  ｃｏｎｔｒｏｌ、媒体アクセス制御）層およびＰＨＹ（ｐｈｙｓｉｃａｌ）層の機能を実装する。ＲＲＣ層の情報は最終的にＰＨＹ層における情報になるか、または、ＰＨＹ層における情報から変換される。したがって、このアーキテクチャにおいて、ＲＲＣ層シグナリングまたはＰＨＣＰ層シグナリングなどの上位層シグナリングはまた、ＤＵによって、または、ＤＵおよびＲＵによって送信されるとみなされ得る。
【００５５】
（２）端末は、音声および／またはデータ接続をユーザに提供するデバイスであり、無線通信機能を有する様々なハンドヘルドデバイス、車載デバイス、ウェアラブルデバイス、もしくは、コンピューティングデバイス、または、無線モデムに接続された別の処理デバイス、および、ユーザ機器（Ｕｓｅｒ  Ｅｑｕｉｐｍｅｎｔ、ＵＥ）、移動局（Ｍｏｂｉｌｅ  ｓｔａｔｉｏｎ、ＭＳ）、端末装置（Ｔｅｒｍｉｎａｌ  Ｅｑｕｉｐｍｅｎｔ）、および、様々な形態の送信ポイント（ｔｒａｎｓｍｉｓｓｉｏｎ  ａｎｄ  ｒｅｃｅｉｖｅｒ  ｐｏｉｎｔ、ＴＲＰ、または、ｔｒａｎｓｍｉｓｓｉｏｎ  ｐｏｉｎｔ、ＴＰ）を含み得る。
【００５６】
（３）本願におけるインタラクションは、情報が２つのインタラクション当事者の間で伝達されるプロセスであり、ここで伝達される情報は、同一でも、または、異なっていてもよい。例えば、２つのインタラクション当事者は、基地局１および基地局２であり、基地局１は、基地局２に情報を要求し得て、基地局２は、基地局１によって要求された情報を基地局１に提供する。当然ながら、基地局１および基地局２は、互いに情報を要求し得て、ここで要求された情報は、同一でも、または、異なっていてもよい。
【００５７】
（４）「複数」とは、２または２より多いことを意味する。「および／または」という用語は、関連対象物を説明するための関連関係を説明するものであり、３つの関係が存在してよいことを表している。例えば、Ａおよび／またはＢは、Ａのみが存在すること、ＡおよびＢの両方が存在すること、ならびに、Ｂのみが存在すること、の３つの場合を表し得る。「／」という記号は概して、関連対象物間の「または」の関係を示す。
【００５８】
（５）「ネットワーク」および「システム」という名詞は通常、交換可能に使用されるが、その意味は、当業者によって理解され得る。「情報（ｉｎｆｏｒｍａｔｉｏｎ）」、「信号（ｓｉｇｎａｌ）」、「メッセージ（ｍｅｓｓａｇｅ）」および「チャネル（ｃｈａｎｎｅｌ）」は場合により、交換可能に使用され得る。違いが強調されないとき、表現される意味は一致することに留意すべきである。「の（ｏｆ）」、「対応または関連する（ｃｏｒｒｅｓｐｏｎｄｉｎｇ、ｒｅｌｅｖａｎｔ）」、および、「対応する（ｃｏｒｒｅｓｐｏｎｄｉｎｇ）」は、場合により交換可能に使用され得る。違いが強調されないとき、表現される意味は一致することに留意すべきである。
【００５９】
本願の実施形態において提供される疑似コロケーション情報構成方法、ネットワークデバイスおよび端末は、新無線（Ｎｅｗ  Ｒａｄｉｏ、ＮＲ）通信技術に適用され得る。ＮＲは新世代無線アクセスネットワーク技術であり、５Ｇ通信システムなどの将来の進化型ネットワークに適用され得る。代替的に、本願の実施形態において提供される疑似コロケーション情報構成方法、ネットワークデバイスおよび端末は、ワイヤレスフィディリティ（Ｗｉｒｅｌｅｓｓ  Ｆｉｄｅｌｉｔｙ、ＷＩＦＩ）またはＬＴＥなどの無線通信システムに適用され得て、固定ネットワークなどの有線ネットワークにも適用され得る。
【００６０】
無線通信システムは、無線通信機能を提供するネットワークであると理解されたい。無線通信システムは異なる通信技術、例えば、符合分割多元接続（Ｃｏｄｅ  Ｄｉｖｉｓｉｏｎ  Ｍｕｌｔｉｐｌｅ  Ａｃｃｅｓｓ、ＣＤＭＡ）、ワイドバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、時分割多元接続（Ｔｉｍｅ  Ｄｉｖｉｓｉｏｎ  Ｍｕｌｔｉｐｌｅ  Ａｃｃｅｓｓ、ＴＤＭＡ）、周波数分割多元接続（Ｆｒｅｑｕｅｎｃｙ  Ｄｉｖｉｓｉｏｎ  Ｍｕｌｔｉｐｌｅ  Ａｃｃｅｓｓ、ＦＤＭＡ）、直交周波数分割多元接続（ｏｒｔｈｏｇｏｎａｌ  ｆｒｅｑｕｅｎｃｙ−ｄｉｖｉｓｉｏｎ  ｍｕｌｔｉｐｌｅ  ａｃｃｅｓｓ、ＯＦＤＭＡ）、シングルキャリア周波数分割多元接続（ｓｉｎｇｌｅ  ｃａｒｒｉｅｒ  ＦＤＭＡ、ＳＣ−ＦＤＭＡ）、および、搬送波感知多元接続／衝突回避（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）を使用し得る。異なるネットワークの容量、速度および遅延などの要因に基づいて、ネットワークは、２Ｇ（英語：ｇｅｎｅｒａｔｉｏｎ）ネットワーク、３Ｇネットワーク、４Ｇネットワーク、および、５Ｇネットワークなど将来の進化型ネットワークに分類され得る。典型的な２Ｇネットワークは、モバイル通信用のグローバルシステム（Ｇｌｏｂａｌ  ｓｙｓｔｅｍ  ｆｏｒ  ｍｏｂｉｌｅ  ｃｏｍｍｕｎｉｃａｔｉｏｎｓ／ｇｅｎｅｒａｌ  ｐａｃｋｅｔ  ｒａｄｉｏ  ｓｅｒｖｉｃｅ、ＧＳＭ（登録商標））ネットワーク、または、汎用パケット無線サービス（ｇｅｎｅｒａｌ  ｐａｃｋｅｔ  ｒａｄｉｏ  ｓｅｒｖｉｃｅ、ＧＰＲＳ）ネットワークを含む。典型的な３Ｇネットワークは、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）ネットワークを含む。典型的な４Ｇネットワークは、ロングタームエボリューション（Ｌｏｎｇ  Ｔｅｒｍ  Ｅｖｏｌｕｔｉｏｎ、ＬＴＥ）ネットワークを含む。ＵＭＴＳネットワークは場合により、ユニバーサル地上波無線アクセスネットワーク（ｕｎｉｖｅｒｓａｌ  ｔｅｒｒｅｓｔｒｉａｌ  ｒａｄｉｏ  ａｃｃｅｓｓ  ｎｅｔｗｏｒｋ、ＵＴＲＡＮ）とも呼ばれ得て、ＬＴＥネットワークは場合により、発展型ユニバーサル地上無線アクセスネットワーク（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ、Ｅ−ＵＴＲＡＮ）とも呼ばれ得る。異なるリソース割り当て方式に基づいて、ネットワークは、セルラ通信ネットワークおよびワイヤレスローカルエリアネットワーク（ｗｉｒｅｌｅｓｓ  ｌｏｃａｌ  ａｒｅａ  ｎｅｔｗｏｒｋｓ、ＷＬＡＮ）に分類され得る。セルラ通信ネットワークは、スケジューリングに基づき、ＷＬＡＮは、競合に基づく。上述の２Ｇ、３Ｇおよび４Ｇネットワークはすべて、セルラ通信ネットワークである。当業者であれば、技術の発展につれて、本願の実施形態において提供される技術的解決法は、４．５Ｇまたは５Ｇネットワークなどの別の無線通信ネットワーク、または、別の非セルラ通信ネットワークにも適用され得ることを認識するはずである。簡潔にするべく、無線通信ネットワークは場合により、本願の実施形態においてネットワークという略称で呼ばれ得る。
【００６１】
セルラ通信ネットワークは、無線通信ネットワークのうちの１つである。セルラ通信ネットワークは、セルラ無線ネットワーキング方式を使用し、無線チャネルを介して端末デバイスをネットワークデバイスに接続し、移動するユーザ間の相互通信を実装する。セルラ通信ネットワークは、端末の移動性という主な特性を有し、セル間ハンドオーバ、および、ローカルネットワークを跨ぐ自動ローミングの機能を有する。
【００６２】
技術的解決法が５Ｇ通信システムに適用される任意選択の方式は、本願の以下の実施形態における説明に使用される。本願の実施形態における解決法は、別の無線通信ネットワークに更に適用され得て、対応する名称は、別の無線通信ネットワークにおける対応する機能の名称でも置き換えられ得ることに留意すべきである。
【００６３】
５Ｇ通信システムにおいて、複数のアンテナパネルの大規模アレイ構造は、同一のＴＲＰにおいて構成され得て、異なるアンテナパネルは、信号を送信するための複数のビームを形成する。したがって、信号を送信するための異なるビームは、異なるチャネル特性を有する。これは、同一のアンテナポート番号に対応する異なるＱＣＬ特性につながる。ビームが異なるとき、ネットワークデバイスは、同一の番号を用いて同一のアンテナポートで信号を送信し得て、ネットワークデバイスは、異なるビームのために異なるビーム信号を送信し得る。ビーム信号は、ビームスキャンのための参照信号、ビーム参照信号、ビームスキャンのための参照信号、ビーム同期信号、または同様のものであり得る。したがって、複数のアンテナパネルを有する５Ｇ通信システムにおいて、既存のアンテナポートＱＣＬ関係指示方式が依然として使用される場合、現時点において送信されている信号とのＱＣＬ関係を有する送信信号を正確に指示できず、現時点において送信されている信号の大規模特性を正確に決定できない。例えば、図１Ａおよび図１Ｂは、１つのＴＲＰに含まれる４つのアンテナパネルによって形成されるビームの概略図である。図１Ａにおいて、４つのアンテナパネルの各々はビームを独立して形成し、各アンテナパネルは異なるビームを形成し、４つの異なるビームを通じて信号を送信するためのアンテナポートの間にＱＣＬ関係が無いことがあり得る。図１Ｂにおいて、４つのアンテナパネルは、共にビームを形成するが、４つのアンテナパネルによって形成されるビームに対して異なるプリコーディングが実行され、したがって、ビームは異なる方向を有する。この場合、信号を送信するためのアンテナポート間にＱＣＬ関係は無いことがあり得る。
【００６４】
本願の実施形態は、ＱＣＬ情報構成方法を提供する。方法において、ネットワークデバイスが、決定されたＱＣＬビーム情報を端末へ送信する。ＱＣＬビーム情報は、参照信号アンテナポートとのＱＣＬ関係を有するビーム情報を含む。ＱＣＬビーム情報の受信後、端末は、参照信号アンテナポートとのＱＣＬ関係を有する、ＱＣＬ指示情報に含まれるビーム情報に基づいて、参照信号アンテナポートとのＱＣＬ関係を有するビームを決定し得て、更に、ビームを通じて送信される送信済み参照信号を決定し、決定された送信済み参照信号に基づいて大規模チャネル特性推定を実行し得る。大規模特性は、遅延広がり（ｄｅｌａｙ  ｓｐｒｅａｄ）、ドップラー広がり（Ｄｏｐｐｌｅｒ  ｓｐｒｅａｄ）、ドップラー周波数シフト（Ｄｏｐｐｌｅｒ  ｓｈｉｆｔ）、平均チャネルゲイン（ａｖｅｒａｇｅ  ｇａｉｎ）、平均遅延（ａｖｅｒａｇｅ  ｄｅｌａｙ）、到達角度（ａｎｇｌｅ  ｏｆ  ａｒｒｉｖａｌ、ＡＯＡ）、到達角度広がり（ａｎｇｌｅ  ｏｆ  ａｒｒｉｖａｌ  ｓｐｒｅａｄ、ＡＡＳ）、離脱角度（ａｎｇｌｅ  ｏｆ  ｄｅｐａｒｔｕｒｅ、ＡＯＤ）、離脱角度広がり（ａｎｇｌｅ  ｏｆ  ｄｅｐａｒｔｕｒｅ  ｓｐｒｅａｄ、ＡＤＳ）、空間ＲＸパラメータ（ｓｐａｔｉａｌ  ＲＸ  ｐａｒａｍｅｔｅｒｓ）、空間受信パラメータ（ｓｐａｔｉａｌ  ＲＸ  ｐａｒａｍｅｔｅｒｓ）、および、空間相関（ｓｐａｔｉａｌ  ｃｏｒｒｅｌａｔｉｏｎ）のうち１または複数であり得る。
【００６５】
本願の本実施形態における参照信号は、これらに限定されないが、復調参照信号（Ｄｅｍｏｄｕｌａｔｉｏｎ  Ｒｅｆｅｒｅｎｃｅ  Ｓｙｍｂｏｌ、ＤＭＲＳ）、チャネル状態情報参照信号（Ｃｈａｎｎｅｌ  Ｓｔａｔｅ  Ｉｎｆｏｒｍａｔｉｏｎ‐Ｒｅｆｅｒｅｎｃｅ  Ｓｉｇｎａｌ、ＣＳＩ−ＲＳ）、または、他の参照情報を含むことに留意すべきである。ここではこれに限定されない。
【００６６】
本願の本実施形態におけるビーム（ｂｅａｍ）は、少なくとも１つのアンテナポートによって送信または受信されるデータに対する振幅および／または位相重み付けを実行することによって形成されるビームである、または、例えば、アンテナユニットの関連パラメータを調整するなどの別の方法を使用することによって形成され得ることを理解されたい。ビームは、送信ビームおよび受信ビームを含み得る。送信ビームは、アンテナを通じて信号が送信された後に、空間において異なる方向に形成された信号強度の分布を示す。受信ビームは、アンテナから受信された無線信号の、空間における異なる方向の信号強度の分布を示す。受信側における信号処理では、マルチアンテナアレイ要素によって受信された信号に対して重み付き合成を実行して所望の信号を形成し得る。アンテナ指向性パターン（ｐａｔｔｅｒｎ）の観点からは、そのような操作は、指定された方向にビームを形成することと同等である。例えば、元の全方位受信指向性パターンは、ゼロ点を有する、最大信号強度を有する方向のローブ指向性パターンに変換される。同一の原理が送信側にも適用可能である。振幅および位相の調整が、アンテナアレイ要素のフィードに対して実行され、所望の形状の指向性パターンを形成する。複数の組のアンテナが使用されるので、同一の空間フロー（ｓｐａｔｉａｌ  ｓｔｒｅａｍｓ）に対応する無線信号が、複数の経路を通じて送信側から受信側へ送信される。複数のアンテナによって受信された信号が、特定のアルゴリズムを使用することによって受信側で処理されるとき、受信側における信号対雑音比は、明らかに改善され得る。受信側が遠く離れているときでも、比較的良好な信号品質を得ることができる。
【００６７】
本願の本実施形態におけるビームは、ビームスキャンのための参照信号、ビーム参照信号、ビームスキャンのための参照信号、または、ビーム同期信号であり得る。
【００６８】
本願の実施形態における方法または機器は、ネットワークデバイスと端末（例えば基地局およびユーザ機器）との間、または、ネットワークデバイスとネットワークデバイスとの間（例えば、マクロ基地局とミクロ基地局との間、マクロ基地局とミクロ基地局との間、または、ミクロ基地局とミクロ基地局との間）、または、端末デバイスと端末デバイスとの間（例えば、デバイスツーデバイス（Ｄｅｖｉｃｅ  ｔｏ  Ｄｅｖｉｃｅ、Ｄ２Ｄ）シナリオ）の通信に適用され得ることに留意すべきである。換言すれば、本願の実施形態におけるＱＣＬ情報の送信および受信の方法は、信号送信におけるビームのＱＣＬ指示情報に適用可能であるだけでなく、信号受信におけるビームのＱＣＬ指示情報にも適用可能である。本願の以下の実施形態すべてにおいて、ネットワークデバイスと端末との間の通信が、説明のための任意選択の方式として使用される。
【００６９】
図２は、ネットワークデバイスおよび端末を含む通信システムの概略構造図である。
【００７０】
図３は、ネットワークデバイスおよび端末の内部構造の簡略化された概略図である。
【００７１】
例えば、ネットワークデバイスは、アンテナアレイ、デュプレクサ、送信機（Ｔｒａｎｓｍｉｔ、ＴＸ）、受信機（Ｒｅｃｅｉｖｅ、ＲＸ）（場合により、ＴＸおよびＲＸは、送受信機（Ｔｒａｎｓｍｉｔ  Ｒｅｃｅｉｖｅ、ＴＲＸ）とまとめて呼ばれる）、および、ベースバンド処理部を含み得る。デュプレクサは、アンテナアレイを実装するよう構成され、信号を送信および受信するよう構成される。ＴＸは、無線周波数信号とベースバンド信号との間の変換を実装するよう構成される。ＴＸは通常、電力増幅器（Ｐｏｗｅｒ  Ａｍｐｌｉｆｉｅｒ、ＰＡ）、デジタル‐アナログ変換器（Ｄｉｇｉｔａｌ  ｔｏ  Ａｎａｌｏｇ  Ｃｏｎｖｅｒｔｅｒ、ＤＡＣ）、および、周波数変換器を含み得る。ＲＸは通常、低ノイズ増幅器（Ｌｏｗ  Ｎｏｉｓｅ  Ａｍｐｌｉｆｉｅｒ、ＬＮＡ）、アナログ‐デジタル変換器（Ａｎａｌｏｇ  ｔｏ  Ｄｉｇｉｔａｌ  Ｃｏｎｖｅｒｔｅｒ、ＡＤＣ）、および、周波数変換器を含み得る。ベースバンド処理部は、レイヤマッピング、プリコーディング、変調／復調、符号化／復号など、送信予定または受信された信号の処理を実装し、物理制御チャンネル、物理データチャネル、物理ブロードキャストチャネル、参照信号などに対して別個の処理を実行するよう構成される。
【００７２】
任意選択の方式において、ネットワークデバイスは、マルチユーザスケジューリングおよびリソース割り当て、パイロットスケジューリング、ユーザ物理層パラメータ構成などを実行するよう構成される制御部を更に含み得る。
【００７３】
例えば、端末は、アンテナ、デュプレクサ、送信機（ＴＸ）、受信機（ＲＸ）（場合により、ＴＸおよびＲＸはまとめて送受信機ＴＲＸと呼ばれる）、および、ベースバンド処理部を含み得る。図２において、端末は単一のアンテナを有する。また、端末は複数のアンテナ（アンテナアレイ）を有し得ることを理解されたい。
【００７４】
デュプレクサは、アンテナアレイを実装するよう構成され、信号を送信および受信するよう構成される。ＴＸは、無線周波数信号とベースバンド信号との間の変換を実装するよう構成される。ＴＸは通常、ＰＡと、ＤＡＣと、周波数変換器とを含み得る。ＲＸは通常、ＬＮＡと、ＡＤＣと、周波数変換器とを含み得る。ベースバンド処理部は、レイヤマッピング、プリコーディング、変調／復調、符号化／復号などの、送信予定または受信された信号の処理を実装し、物理制御チャンネル、物理データチャネル、物理ブロードキャストチャネル、参照信号などに対して別個の処理を実行するよう構成される。
【００７５】
任意選択の方式において、端末は、アップリンク物理リソースを要求し、ダウンリンクチャネルに対応するチャネル状態情報（Ｃｈａｎｎｅｌ  Ｓｔａｔｅ  Ｉｎｆｏｒｍａｔｉｏｎ、ＣＳＩ）を算出し、ダウンリンクデータパケットの受信に成功したかどうかなどを決定するよう構成される制御部も含み得る。
【００７６】
図４は、本願の実施形態に係る疑似コロケーション情報構成方法の概略フローチャートである。図４に示されるように、方法は以下の段階を含む。
【００７７】
Ｓ１０１：ネットワークデバイスがＱＣＬビーム情報を決定し、ＱＣＬビーム情報は、参照信号アンテナポートとの疑似コロケーションＱＣＬ関係を有するビーム情報を含む。
【００７８】
本願の本実施形態において、ＱＣＬビーム情報は、ビーム識別子、ビームアンテナポート情報または他のビーム関連情報であり得る。
【００７９】
本願の本実施形態において、ＱＣＬビーム情報は、参照信号アンテナポートとのＱＣＬ関係を有するビーム情報である。１または複数のＱＣＬビーム情報があり得る。
【００８０】
Ｓ１０２：ネットワークデバイスがＱＣＬビーム情報を送信し、端末がＱＣＬビーム情報を受信する。
【００８１】
Ｓ１０３：端末は、参照信号アンテナポートとの疑似コロケーションＱＣＬ関係を有する、ＱＣＬビーム情報に含まれるビーム情報に基づいて、参照信号アンテナポートとのＱＣＬ関係を有するビームを決定し得る。
【００８２】
更に、端末は、ビームを通じて送信される送信済み参照信号を決定し、決定された送信済み参照信号に基づいて大規模チャネル特性推定を実行し得る。
【００８３】
本願の本実施形態は、以下の任意選択の方式を使用することによって説明されることを理解されたい。ネットワークデバイスは、参照信号アンテナポートとの疑似コロケーションＱＣＬ関係を有するビーム情報を構成し、ビーム情報に対応するビーム、および、参照信号アンテナポートに対応する参照信号を送信し、端末は、ビーム情報、ビームおよび参照信号を受信する（端末は、ビームに基づいて、受信された参照信号の大規模チャネル特性を決定する）。
【００８４】
別の可能な設計において、ネットワークデバイスは、参照信号アンテナポートとの疑似コロケーションＱＣＬ関係を有するビーム情報を構成し、端末は、ビーム情報を受信し、ビーム情報に対応するビーム、および、参照信号アンテナポートに対応する参照信号を送信する。このように、ネットワークデバイスは、ビームに基づいて、受信された参照信号の大規模チャネル特性を決定し得る。
【００８５】
別の可能な設計において、ネットワークデバイスは、参照信号アンテナポートとの疑似コロケーションＱＣＬ関係を有するビーム情報を構成し、ビーム情報に対応するビームを送信し、端末は、ビーム情報およびビームを受信し、参照信号アンテナポートに対応する参照信号を送信する。このように、端末は、ビームに基づいて送信済み参照信号の大規模チャネル特性を決定し得る。この設計は、チャネル間に相反性が存在するシナリオに適用され得る。
【００８６】
別の可能な設計において、ネットワークデバイスは、参照信号アンテナポートとの疑似コロケーションＱＣＬ関係を有するビーム情報を構成し、端末は、ビーム情報を受信し、ビーム情報に対応するビームを送信し、ネットワークデバイスは、参照信号アンテナポートに対応する参照信号を送信する。このように、ネットワークデバイスは、ビームに基づいて、送信済み参照信号の大規模チャネル特性を決定し得る。この設計は、チャネル間に相反性が存在するシナリオに適用され得る。
【００８７】
別の可能な設計において、端末は、参照信号アンテナポートとの疑似コロケーションＱＣＬ関係を有するビーム情報をネットワークデバイスへ送信し、ビーム情報に対応するビーム、および、参照信号アンテナポートに対応する参照信号を送信し、ネットワークデバイスは、ビーム情報、ビーム情報に対応するビーム、および、参照信号アンテナポートに対応する参照信号を受信する。このように、ネットワークデバイスは、ビームに基づいて、受信された参照信号の大規模チャネル特性を決定し得る。
【００８８】
別の可能な設計において、チャネル間に相反性が存在するとき、端末は、参照信号アンテナポートとの疑似コロケーションＱＣＬ関係を有するビーム情報をネットワークデバイスへ送信し、ビーム情報に対応するビームを送信し、ネットワークデバイスは、ビーム情報、および、ビーム情報に対応するビームを受信し、参照信号アンテナポートに対応する参照信号を送信する。このように、ネットワークデバイスは、ビームに基づいて、送信済み参照信号の大規模チャネル特性を決定し得る。この設計は、チャネル間に相反性が存在するシナリオに適用され得る。
【００８９】
別の可能な設計において、参照信号アンテナポートとの疑似コロケーションＱＣＬ関係を有するビーム情報がプロトコルにおいて予め定義される。この場合、端末およびネットワークデバイスは、参照信号アンテナポートとビーム情報との間にＱＣＬ関係が存在することを示す（構成される必要がない）対応情報を有する。ビーム情報に対応するビームは、ネットワークデバイスによって端末へ送信され得る、または、端末によってネットワークデバイスへ送信され得る。参照信号アンテナポートに対応する参照信号は、ネットワークデバイスによって端末へ送信され得る、または、端末によってネットワークデバイスへ送信され得る。
【００９０】
本願の実施形態における解決法は、上述の可能な設計にも適用され得て、これに対応して、本願の実施形態において提供される対応する機器（例えば、ネットワークデバイス、端末および通信チップ）は変化し得る。詳細はここでは説明しない。
【００９１】
ネットワークデバイスが端末のためにＱＣＬビーム情報を構成する具体的な実装プロセスが、本願の本実施形態において以下で説明される。
【００９２】
本願の本実施形態において、ネットワークデバイスは、端末へ送信されるＲＲＣシグナリングを通じてＱＣＬビーム情報を構成し得て、例えば、ＲＲＣシグナリングにおいて、ＱＣＬビーム情報を含むＱＣＬ指示情報を構成し得る。端末は、ＲＲＣシグナリングを通じて、ネットワークデバイスからのＱＣＬビーム情報を受信する。端末は、ＲＲＣシグナリングを解析してＱＣＬビーム情報を取得し、ＱＣＬビーム情報に含まれる、参照信号アンテナポートとのＱＣＬ関係を有するビーム情報に基づいて、参照信号アンテナポートとのＱＣＬ関係を有するビームを決定し、大規模チャネル特性推定を実行し得る。可能な設計において、参照信号アンテナポートの大規模特性は、参照信号アンテナポートとのＱＣＬ関係を有する、決定されたビームに基づいて決定され得る。
【００９３】
具体的には、本願の本実施形態において、ＱＣＬビーム情報は、ＲＲＣシグナリングにおいて、元のＱＣＬ指示情報に追加され得る。元のＱＣＬ指示情報は、本願の本実施形態において提供されるＱＣＬ情報構成方法の適用前に構成される、ＱＣＬビーム情報を含まないＱＣＬ指示情報である。例えば、ＲＲＣシグナリングにおける元のＱＣＬ指示情報のシグナリングは、以下の方式で構成され得る。
PDSCH-RE-MappingQCL-Config-r11 ::= SEQUENCE {
pdsch-RE-MappingQCL-ConfigId-r11
PDSCH-RE-MappingQCL-ConfigId-r11,
optionalSetOfFields-r11       SEQUENCE {
crs-PortsCount-r11        ENUMERATED {n1, n2, n4, spare1},
crs-FreqShift-r11        INTEGER (0..5),
mbsfn-SubframeConfigList-r11    CHOICE {
release        NULL,
setup        SEQUENCE {
subframeConfigList      MBSFN-SubframeConfigList
}
}            OPTIONAL,    -- Need ON
pdsch-Start-r11    ENUMERATED {reserved, n1, n2, n3, n4, assigned}
}            OPTIONAL,    -- Need OP
csi-RS-ConfigZPId-r11    CSI-RS-ConfigZPId-r11,
qcl-CSI-RS-ConfigNZPId-r11     CSI-RS-ConfigNZPId-r11    OPTIONAL,-- Need OR
...
}
【００９４】
本願の本実施形態において、元のＱＣＬ指示情報の上述のシグナリングにおいて、ＰＤＳＣＨ−ＲＥ−ＭａｐｐｉｎｇＱＣＬ−Ｃｏｎｆｉｇは、物理ダウンリンク共有チャネルリソース要素マッピングおよびＱＣＬ構成パラメータを示す。ｐｄｓｃｈ−ＲＥ−ＭａｐｐｉｎｇＱＣＬ−ＣｏｎｆｉｇＩｄ−ｒ１１は、物理ダウンリンク共有チャネルリソース要素マッピングおよびＱＣＬ構成パラメータに含まれる物理ダウンリンク共有チャネルリソース要素マッピングおよびＱＣＬ構成識別子を示す。ＰＤＳＣＨ−ＲＥ−ＭａｐｐｉｎｇＱＣＬ−ＣｏｎｆｉｇＩｄ−ｒ１１は、物理ダウンリンク共有チャネルリソース要素マッピングおよびＱＣＬ構成識別子の値はＰＤＳＣＨ−ＲＥ−ＭａｐｐｉｎｇＱＣＬ−ＣｏｎｆｉｇＩｄ−ｒ１１であると示す。
【００９５】
ｑｃｌ−ＣＳＩ−ＲＳ−ＣｏｎｆｉｇＮＺＰＩｄは、データアンテナポートとのＱＣＬ関係を有する非ゼロパワー（Ｎｏｎ  Ｚｅｒｏ  Ｐｏｗｅｒ、ＮＺＰ）ＣＳＩ−ＲＳ構成識別子を示す。
【００９６】
本願の本実施形態において、元のＱＣＬ指示情報に追加されたＱＣＬビーム情報は、ビーム識別子情報、ビームアンテナポート情報または他のビーム関連情報であり得る。ビーム識別子情報はビーム同期信号識別子情報であり得る。本願の本実施形態において、ＲＲＣシグナリングにおいてＱＣＬビーム情報が元のＱＣＬ指示情報に追加された後に取得されるシグナリングは、以下の方式で構成され得る。
PDSCH-RE-MappingQCL-Config-r11 ::= SEQUENCE {
pdsch-RE-MappingQCL-ConfigId-r11
PDSCH-RE-MappingQCL-ConfigId-r11,
optionalSetOfFields-r11                  SEQUENCE {
crs-PortsCount-r11        ENUMERATED {n1, n2, n4, spare1},
crs-FreqShift-r11        INTEGER (0..5),
mbsfn-SubframeConfigList-r11    CHOICE {
release        NULL,
setup        SEQUENCE {
subframeConfigList   MBSFN-SubframeConfigList
}
}            OPTIONAL,    -- Need ON
pdsch-Start-r11    ENUMERATED {reserved, n1, n2, n3, n4, assigned}
}            OPTIONAL,    -- Need OP
csi-RS-ConfigZPId-r11    CSI-RS-ConfigZPId-r11,
qcl-CSI-RS-ConfigNZPId-r11     CSI-RS-ConfigNZPId-r11
OPTIONAL,-- Need OR
qcl-beam-ConfigId    beam-ConfigId         OPTIONAL,-- Need OR
(qcl-beam-RS ports        beam-RS ports            OPTIONAL,-- Need OR)
...
}
【００９７】
ＲＲＣシグナリングにおけるＱＣＬ指示情報の上述のシグナリングを元のＱＣＬ指示情報のシグナリングと比較すると、ＱＣＬビーム情報が追加されている。追加されたＱＣＬビーム情報はＱｃｌ−ｂｅａｍ−ＣｏｎｆｉｇＩｄまたはｑｃｌ−ｂｅａｍ−ＲＳ  ｐｏｒｔｓであり、Ｑｃｌ−ｂｅａｍ−ＣｏｎｆｉｇＩｄは、ＱＣＬ関係を有するビーム識別子情報を示し、ｑｃｌ−ｂｅａｍ−ＲＳ  ｐｏｒｔｓは、ＱＣＬ関係を有するビームアンテナポート情報を示す。
【００９８】
任意選択で、本願の本実施形態において、複数の組（少なくとも１つの組）のＱＣＬビーム情報が元のＱＣＬ指示情報に追加され得て、これにより、参照信号とのＱＣＬ関係を有する複数の組のＱＣＬビーム情報が、同一のＴＲＰにおける参照信号のために構成される。
【００９９】
本願の本実施形態において、ネットワークデバイスがＲＲＣシグナリングを通じて少なくとも１つの組のＱＣＬビーム情報を構成して端末へ送信する場合、ネットワークデバイスは、ダウンリンク制御情報（Ｄｏｗｎｌｉｎｋ  Ｃｏｎｔｒｏｌ  Ｉｎｆｏｒｍａｔｉｏｎ、ＤＣＩ）を通じて、端末によって現在使用されている参照信号に適用可能なＱＣＬビームを示し得る。現在使用されている参照信号に適用可能なＱＣＬビームは、参照信号アンテナポートとのＱＣＬ関係を有するビーム情報である。端末は、ＲＲＣシグナリングを通じて、ネットワークデバイスからの少なくとも１つの組のＱＣＬビーム情報を受信し、ＤＣＩ指示に従って、現在使用される参照信号に適用可能なＱＣＬビームを決定する。
【０１００】
説明を簡単にするために、端末のＱＣＬビーム情報を示すために使用されるＤＣＩは、本願の本実施形態において第１ＤＣＩと呼ばれ得る。
【０１０１】
本願の本実施形態において、ＲＲＣシグナリングにおいてＱＣＬビーム情報を元のＱＣＬ指示情報に追加することは、以下の２つの方式で実装され得ることを理解されたい。
【０１０２】
第１実装において、ＱＣＬビーム情報は、データリソースマッピング（ＰＤＳＣＨ  ＲＥ  Ｍａｐｐｉｎｇ）およびＱＣＬ構成情報に追加され、これにより、ＱＣＬビーム情報がＲＲＣシグナリングに追加されたことを示すために使用されるパラメータ情報は物理層プロトコルに追加される。
【０１０３】
別の実装において、ＱＣＬビーム情報は非ゼロパワー（Ｎｏｎ  Ｚｅｒｏ  Ｐｏｗｅｒ、ＮＺＰ）ＣＳＩ−ＲＳ構成パラメータに追加され、ＣＳＩ−ＲＳのＱＣＬビーム情報を示す。
【０１０４】
ＲＲＣシグナリングを通じてＱＣＬビーム情報を送信する２つの具体的な実装プロセスは、本願の本実施形態における任意選択の方式として、実際の適用に関連して以下で説明される。
【０１０５】
本願の本実施形態において、ＱＣＬビーム情報をデータリソースマッピングおよびＱＣＬ構成パラメータに追加する実装プロセスを説明するべく、参照信号がＤＭＲＳである任意選択の方式を最初に使用する。
【０１０６】
本願の本実施形態において、ネットワークデバイスは、ＰＤＳＣＨ  ＲＥ  ＭａｐｐｉｎｇおよびＰＤＳＣＨアンテナポートＱＣＬ構成パラメータを使用して、端末がデータを送信するＤＭＲＳアンテナポートとのＱＣＬ関係を有するＱＣＬビーム情報を構成し得る。ＱＣＬビーム情報は、ＱＣＬビーム識別子、ＱＣＬビームアンテナポート情報または他のビーム関連情報を含む。ネットワークデバイスは、端末がデータを送信するＤＭＲＳアンテナポートとのＱＣＬ関係を有するＱＣＬビーム情報を端末へ送信し、これにより、端末は、データが送信されるＤＭＲＳアンテナポートとのＱＣＬ関係を有するビームを取得し、更に、ビームを通じて送信される送信済み参照信号を決定し、決定された送信済み参照信号に基づいて大規模チャネル特性推定を実行する。
【０１０７】
本願の本実施形態において、ＱＣＬビーム情報が追加された後に取得されるＰＤＳＣＨ  ＲＥ  ＭａｐｐｉｎｇおよびＰＤＳＣＨアンテナポートＱＣＬ構成パラメータの任意選択の方式は以下の通りである。追加されたＱＣＬビーム情報はＱｃｌ−ｂｅａｍ−ＣｏｎｆｉｇＩｄまたはｑｃｌ−ｂｅａｍ−ＲＳ  ｐｏｒｔｓであり、Ｑｃｌ−ｂｅａｍ−ＣｏｎｆｉｇＩｄは、ＱＣＬ関係を有するビーム識別子情報を示し、ｑｃｌ−ｂｅａｍ−ＲＳ  ｐｏｒｔｓは、ＱＣＬ関係を有するビームアンテナポート情報を示す。
【０１０８】
ＣＲＳアンテナポートの数：ｃｒｓ−ＰｏｒｔｓＣｏｕｎｔ−ｒ１１
−ＣＲＳ周波数オフセット：ｃｒｓ−ＦｒｅｑＳｈｉｆｔ−ｒ１１
−マルチキャスト／単一周波数ネットワークサブフレーム構成：ｍｂｓｆｎ−ＳｕｂｆｒａｍｅＣｏｎｆｉｇＬｉｓｔ−ｒ１１
−ゼロパワー（Ｚｅｒｏ  Ｐｏｗｅｒ、ＺＰ）ＣＳＩ−ＲＳ構成識別子：ｃｓｉ−ＲＳ−ＣｏｎｆｉｇＺＰＩｄ−ｒ１１
−ｐｄｓｃｈ開始点：ｐｄｓｃｈ−Ｓｔａｒｔ−ｒ１１
−データアンテナポートとのＱＣＬ関係を有するＮＺＰＣＳＩ−ＲＳ構成識別子：ｑｃｌ−ＣＳＩ−ＲＳ−ＣｏｎｆｉｇＮＺＰＩｄ−ｒ１１
−ＱＣＬビーム情報：Ｑｃｌ−ｂｅａｍ−ＣｏｎｆｉｇＩｄ（ｑｃｌ−ｂｅａｍ−ＲＳ  ｐｏｒｔｓ）
【０１０９】
更に、元のＰＤＳＣＨ  ＲＥ  ＭａｐｐｉｎｇおよびＰＤＳＣＨアンテナポートＱＣＬ構成パラメータの数は限定され、ＱＣＬビーム情報をＰＤＳＣＨ  ＲＥ  ＭａｐｐｉｎｇおよびＰＤＳＣＨアンテナポートＱＣＬ構成パラメータに追加するための要求を満たすには不十分であり得る。したがって、追加されたＱＣＬビーム情報を十分なビットが示すことを確実にするべく、ＰＤＳＣＨ  ＲＥ  ＭａｐｐｉｎｇおよびＰＤＳＣＨアンテナポートＱＣＬ構成パラメータを示すための、ＤＣＩにおけるビットは拡張される必要がある。例えば、ネットワークデバイスは現在、４つの異なるＰＤＳＣＨ  ＲＥ  ＭａｐｐｉｎｇおよびＰＤＳＣＨアンテナポートＱＣＬ構成パラメータのセットを端末のために構成できると想定する。ネットワークデバイスが現在４つのビームを形成できる場合、各ビームは、４つのパラメータのセットを有し得て、具体的には、合計で１６のＰＤＳＣＨ  ＲＥ  ＭａｐｐｉｎｇおよびＰＤＳＣＨアンテナポートＱＣＬ構成パラメータが必要となる。したがって、ＰＤＳＣＨ  ＲＥ  ＭａｐｐｉｎｇおよびＰＤＳＣＨアンテナポートＱＣＬ構成パラメータを示すための、ＤＣＩにおける指示フィールドにおけるビットは、１６のＰＤＳＣＨ  ＲＥ  ＭａｐｐｉｎｇおよびＰＤＳＣＨアンテナポートＱＣＬ構成パラメータを示すために、少なくとも４ビットに拡張される必要がある。例えば、ＰＤＳＣＨ  ＲＥ  ＭａｐｐｉｎｇおよびＰＤＳＣＨアンテナポートＱＣＬ構成パラメータは、ＤＣＩにおける指示フィールドにおけるビットが表１に示される４ビットである指示方式で示され得る。  ［表１］
【表１】
2019533390.tif 000003
【０１１０】
ＱＣＬビーム識別子情報またはＱＣＬビームアンテナポート情報をＮＺＰ  ＣＳＩ−ＲＳ構成パラメータに追加するプロセスを説明するために、本願の本実施形態において、参照信号がＣＳＩ−ＲＳである任意選択の方式が以下で使用される。
【０１１１】
本願の本実施形態において、ＱＣＬビーム情報は、ＲＲＣシグナリングのＱＣＬ指示情報内のＮＺＰ  ＣＳＩ−ＲＳリソース構成情報（ＣＳＩ−ＲＳ−ＣｏｎｆｉｇＮＺＰ）に追加され得る。ＱＣＬビーム情報は、ＣＳＩ−ＲＳアンテナポートとのＱＣＬ関係を有するＱＣＬビーム識別子情報、ＱＣＬビームアンテナポート情報または他のビーム関連情報を示すために使用され、これにより、端末によって使用される参照信号（例えばＣＳＩ−ＲＳ）のＱＣＬビーム情報を示す。本願の本実施形態において、ＱＣＬビーム情報は、ＮＺＰ  ＣＳＩ−ＲＳリソース構成情報に追加され得て、具体的なシグナリングは以下の通り構成され得る。
-- ASN1START
CSI-RS-ConfigNZP-r11 ::=        SEQUENCE {
csi-RS-ConfigNZPId-r11            CSI-RS-ConfigNZPId-r11,
antennaPortsCount-r11            ENUMERATED {an1, an2, an4, an8},
resourceConfig-r11                INTEGER (0..31),
qcl_beam_ConfigId                             beam-ConfigId
OPTIONAL,-- Need
(qcl-beam-RS ports        beam-RS ports           OPTIONAL,-- Need OR)
subframeConfig-r11                INTEGER (0..154),
scramblingIdentity-r11            INTEGER (0..503),        qcl-CRS-Info-r11                SEQUENCE {
qcl-ScramblingIdentity-r11        INTEGER (0..503),
crs-PortsCount-r11                ENUMERATED {n1, n2, n4, spare1},
mbsfn-SubframeConfigList-r11    CHOICE {
release                        NULL,
setup                        SEQUENCE {
subframeConfigList            MBSFN-SubframeConfigList
}
}                                    OPTIONAL    -- Need ON
}                                    OPTIONAL,    -- Need OR
...,
[[    eMIMO-Info-r13                    CHOICE {
release                        NULL,
setup                        SEQUENCE {
nzp-resourceConfigList-r13    SEQUENCE (SIZE (2..8)) OF ResourceConfig-r13,
cdmType                    ENUMERATED {cdm2, cdm4}    OPTIONAL    -- Need OR
}
}                                OPTIONAL    -- Need ON
]]
}
ResourceConfig-r13 ::=    INTEGER (0..31)
-- ASN1STOP
【０１１２】
ＱＣＬビーム情報は、ＮＺＰ  ＣＳＩ−ＲＳリソース構成情報（ＣＳＩ−ＲＳ−ＣｏｎｆｉｇＮＺＰ）におけるＮＺＰ  ＣＳＩ−ＲＳ構成識別子（ｃｓｉ−ＲＳ−ＣｏｎｆｉｇＮＺＰＩｄ）に追加され、追加されたＱＣＬビーム情報のシグナリングはＱｃｌ−ｂｅａｍ−ＣｏｎｆｉｇＩｄまたはｑｃｌ−ｂｅａｍ−ＲＳ  ｐｏｒｔｓであり、Ｑｃｌ−ｂｅａｍ−ＣｏｎｆｉｇＩｄは、ＱＣＬ関係を有するビーム識別子情報を示し、ｑｃｌ−ｂｅａｍ−ＲＳ  ｐｏｒｔｓは、ＱＣＬ関係を有するビームアンテナポート情報を示す。
【０１１３】
更に、ネットワークデバイスは現在、ＲＲＣシグナリングを通じて、１つのＴＲＰにおいて、端末のために、複数のＣＳＩ−ＲＳリソース構成情報を構成する。ＣＳＩ−ＲＳリソース構成情報の各々は、１つのＣＳＩ−ＲＳ−ＣｏｎｆｉｇＮＺＰＩｄに対応し、ＣＳＩ−ＲＳリソースのアンテナポートの数、リソース構成、サブフレーム構成、スクランブリング識別子、ＣＳＩ−ＲＳとＣＲＳとの間のＱＣＬ関係などを示し得る。端末は、ＣＳＩ−ＲＳアンテナポートとＣＲＳアンテナポートとの間のＱＣＬ対応関係に基づいて、ＤＭＲＳに対応するＣＲＳアンテナポートを取得し得て、ＣＲＳを決定し、大規模チャネル特性推定を実行する。したがって、本願の本実施形態において、参照信号がＤＭＲＳである場合、ＤＭＲＳのＱＣＬビーム情報は、ＱＣＬビーム情報が追加されたＣＳＩ−ＲＳ−ＣｏｎｆｉｇＮＺＰＩｄに対応するＣＳＩ−ＲＳリソース構成情報によって示され得て、ＤＭＲＳアンテナポートとのＱＣＬ関係を有するＱＣＬビーム情報は、ＣＳＩ−ＲＳ−ＣｏｎｆｉｇＮＺＰＩｄに対応するＣＳＩ−ＲＳリソース構成情報に含まれるＱＣＬビーム情報である。ＱＣＬビーム情報が追加されたＣＳＩ−ＲＳ−ＣｏｎｆｉｇＮＺＰＩｄを受信した後に、端末は、ＣＳＩ−ＲＳ−ＣｏｎｆｉｇＮＺＰＩｄに対応するＣＳＩ−ＲＳリソース構成情報におけるＱＣＬビーム情報に基づいて、ＤＭＲＳとのＱＣＬ関係を有するビーム情報を決定し得て、ビーム信号を決定し、大規模チャネル特性推定を実行する。ＱＣＬビーム情報が追加されたＣＳＩ−ＲＳ−ＣｏｎｆｉｇＮＺＰＩｄに対応するＣＳＩ−ＲＳリソース構成情報は、ＲＲＣシグナリングを通じて送信され得て、ＤＭＲＳアンテナポートとのＱＣＬ関係を有するＱＣＬビーム情報は、ＤＣＩにおいてＰＤＳＣＨ  ＲＥ  ＭａｐｐｉｎｇおよびＰＤＳＣＨアンテナポートＱＣＬ構成パラメータを示すための指示フィールドにおいて示されるＰＤＳＣＨ  ＲＥ  ＭａｐｐｉｎｇおよびＰＤＳＣＨアンテナポートＱＣＬ構成パラメータにおけるＣＳＩ−ＲＳ−ＣｏｎｆｉｇＮＺＰＩｄを使用することによって決定され得ることを、具体的な例から理解できる。
【０１１４】
任意選択で、本願の本実施形態において、ネットワークデバイスは、参照信号アンテナポートを通じて参照信号を送信するために使用される時間領域リソースおよび／または周波数領域リソースに基づいて、時間領域リソースおよび／または周波数領域リソースにおける参照信号アンテナポートとのＱＣＬ関係を有するＱＣＬビーム情報を決定し、時間領域リソースおよび／または周波数領域リソースにおける参照信号アンテナポートとのＱＣＬ関係を有するＱＣＬビーム情報を端末に送信し得る。端末は、時間領域リソースおよび／または周波数領域リソースにおける参照信号アンテナポートとのＱＣＬ関係を有する、ネットワークデバイスからのＱＣＬビーム情報を受信する。
【０１１５】
具体的には、ネットワークデバイスは、参照信号によって使用される周波数領域リストにおける周波数領域リソースのためのＱＣＬビーム情報を追加して、参照信号の周波数領域ＱＣＬビーム情報リストを形成し得る。周波数領域ＱＣＬビーム情報リストは、少なくとも１つの周波数領域リソースにおける参照信号アンテナポートとのＱＣＬ関係を有する少なくとも１つのＱＣＬビーム情報を含む。ネットワークデバイスは、参照信号によって使用される時間領域リストにおける時間領域リソースのためのＱＣＬビーム情報を追加して参照信号の時間領域ＱＣＬビーム情報リストを形成し得る。時間領域ＱＣＬビーム情報リストは、少なくとも１つの時間領域リソースにおける参照信号アンテナポートとのＱＣＬ関係を有する少なくとも１つのＱＣＬビーム情報を含む。ネットワークデバイスは、参照信号によって使用される時間周波数領域リソースリストにおける時間周波数領域リソースのためのＱＣＬビーム情報を追加して参照信号の時間周波数領域ＱＣＬビーム情報リストを形成し得る。時間周波数領域ＱＣＬビーム情報リストは、少なくとも１つの時間周波数領域リソースにおける参照信号アンテナポートとのＱＣＬ関係を有する少なくとも１つのＱＣＬビーム情報を含む。時間周波数領域リソースは、互いに一対一の対応関係を有する時間領域リソースおよび周波数領域リソースである。
【０１１６】
ＣＳＩ−ＲＳシグナリングを構成する任意選択の方式が使用される。本願の本実施形態において、時間領域リスト、時間領域ＱＣＬビーム情報リスト、周波数領域ＱＣＬビーム情報リスト、および、時間周波数領域ＱＣＬビーム情報リストを有するシグナリングを構成する具体的な構成方式は、以下の通りであり得る。
-- ASN1START
CSI-RS-ConfigNZP-r11 ::=        SEQUENCE {
csi-RS-ConfigNZPId-r11            CSI-RS-ConfigNZPId-r11,
antennaPortsCount-r11            ENUMERATED {an1, an2, an4, an8},
resourceConfig-r11                INTEGER (0..31),
qcl_beam_ConfigId-List          sequence(size(2..N))of beam-ConfigId
OPTIONAL,-- Need OR
(qcl-beam-RS ports-List                beam-RS ports
OPTIONAL,-- Need OR)
frequencyConfigList             sequence (size(2..N))of BIT STRING
OPTIONAL,-- Need OR
subframeConfigList            sequence(size(2..N))of INTEGER (0..154)
OPTIONAL,-- Need OR
time-frequencyConfigList    sequence(size(2..N))of INTEGER (0..154) OPTIONAL,--
Need OR
subframeConfig-r11                INTEGER (0..154),
scramblingIdentity-r11            INTEGER (0..503),            qcl-CRS-Info-r11                SEQUENCE {
qcl-ScramblingIdentity-r11        INTEGER (0..503),
crs-PortsCount-r11                ENUMERATED {n1, n2, n4, spare1},
mbsfn-SubframeConfigList-r11    CHOICE {
release                        NULL,
setup                        SEQUENCE {
subframeConfigList        MBSFN-SubframeConfigList
}
}                            OPTIONAL    -- Need ON
}                            OPTIONAL,    -- Need OR
...,
[[    eMIMO-Info-r13                CHOICE {
release                        NULL,
setup                        SEQUENCE {
nzp-resourceConfigList-r13    SEQUENCE (SIZE (2..8)) OF ResourceConfig-r13,
cdmType                ENUMERATED {cdm2, cdm4}    OPTIONAL    -- Need OR
}
}            OPTIONAL    -- Need ON
]]
}
ResourceConfig-r13 ::=    INTEGER (0..31)
-- ASN1STOP
【０１１７】
上述のＣＳＩ−ＲＳシグナリングにおいて、周波数領域位置情報を示すためにｆｒｅｑｕｅｎｃｙＣｏｎｆｉｇＬｉｓｔが使用され、時間領域位置情報を示すためにｓｕｂｆｒａｍｅＣｏｎｆｉｇＬｉｓｔが使用され、時間周波数領域位置情報を示すためにｔｉｍｅ−ｆｒｅｑｕｅｎｃｙＣｏｎｆｉｇＬｉｓｔが使用される。ＱＣＬビーム情報が、ＮＺＰ  ＣＳＩ−ＲＳリソース構成情報（ＣＳＩ−ＲＳ−ＣｏｎｆｉｇＮＺＰ）のＮＺＰ  ＣＳＩ−ＲＳ構成識別子（ｃｓｉ−ＲＳ−ＣｏｎｆｉｇＮＺＰＩｄ）に追加され、追加されたＱＣＬビーム情報は、Ｑｃｌ−ｂｅａｍ−ＣｏｎｆｉｇＩｄ−Ｌｉｓｔまたはｑｃｌ−ｂｅａｍ−ＲＳ  ｐｏｒｔｓ−Ｌｉｓｔである。
【０１１８】
Ｑｃｌ−ｂｅａｍ−ＣｏｎｆｉｇＩｄ−Ｌｉｓｔまたはｑｃｌ−ｂｅａｍ−ＲＳ  ｐｏｒｔｓ−ＬｉｓｔがｆｒｅｑｕｅｎｃｙＣｏｎｆｉｇＬｉｓｔに対応するとき、Ｑｃｌ−ｂｅａｍ−ＣｏｎｆｉｇＩｄ−Ｌｉｓｔまたはｑｃｌ−ｂｅａｍ−ＲＳ  ｐｏｒｔｓ−Ｌｉｓｔは周波数領域ＱＣＬビーム情報リストを表す。
【０１１９】
Ｑｃｌ−ｂｅａｍ−ＣｏｎｆｉｇＩｄ−Ｌｉｓｔまたはｑｃｌ−ｂｅａｍ−ＲＳ  ｐｏｒｔｓ−ＬｉｓｔがｓｕｂｆｒａｍｅＣｏｎｆｉｇＬｉｓｔに対応するとき、Ｑｃｌ−ｂｅａｍ−ＣｏｎｆｉｇＩｄ−Ｌｉｓｔまたはｑｃｌ−ｂｅａｍ−ＲＳ  ｐｏｒｔｓ−Ｌｉｓｔは時間領域ＱＣＬビーム情報リストを表す。
【０１２０】
Ｑｃｌ−ｂｅａｍ−ＣｏｎｆｉｇＩｄ−Ｌｉｓｔまたはｑｃｌ−ｂｅａｍ−ＲＳ  ｐｏｒｔｓ−Ｌｉｓｔがｔｉｍｅ−ｆｒｅｑｕｅｎｃｙＣｏｎｆｉｇＬｉｓｔに対応するとき、Ｑｃｌ−ｂｅａｍ−ＣｏｎｆｉｇＩｄ−Ｌｉｓｔまたはｑｃｌ−ｂｅａｍ−ＲＳ  ｐｏｒｔｓ−Ｌｉｓｔは時間周波数領域ＱＣＬビーム情報リストを表す。
【０１２１】
本願の本実施形態において、ネットワークデバイスは、時間領域ＱＣＬビーム情報リスト、周波数領域ＱＣＬビーム情報リストおよび時間周波数領域ＱＣＬビーム情報リストのうち少なくとも１つを端末へ送信する。端末は、ネットワークデバイスからの時間領域ＱＣＬビーム情報リスト、周波数領域ＱＣＬビーム情報リストおよび時間周波数領域ＱＣＬビーム情報リストのうち少なくとも１つを受信する。ネットワークデバイスが周波数領域ＱＣＬビーム情報リストを端末へ送信した後に、端末は、異なる周波数帯における参照信号のＱＣＬビームを決定してから、異なる周波数帯において大規模チャネル特性推定を実行し得る。ネットワークデバイスが、時間領域ＱＣＬビーム情報リストを含むＱＣＬ指示情報を端末へ送信した後に、端末は、異なるサブフレーム、タイムスロットまたは他の時間単位における参照信号のＱＣＬビームを決定してから、異なるサブフレーム、タイムスロットまたは他の時間単位において大規模チャネル特性推定を実行し得る。ネットワークデバイスが時間周波数領域ＱＣＬビーム情報リストを端末へ送信した後に、端末は、異なる時間周波数領域リソースにおける参照信号のＱＣＬビームを決定してから、異なる時間周波数領域において大規模チャネル特性推定を実行し得る。
【０１２２】
本願の本実施形態において、ネットワークデバイスは、上述の方式で、ＱＣＬビーム情報を含むＲＲＣシグナリングを構成した後に、構成されたＲＲＣシグナリングを端末へ送信し得る。端末は、ＲＲＣシグナリングを受信した後に、ＲＲＣシグナリングにおけるＱＣＬビーム情報を使用することによって、参照信号アンテナポートとのＱＣＬ関係を有するビームを決定し、更に、ビームを通じて送信される送信済み参照信号を決定し、決定された送信済み参照信号に基づいて大規模チャネル特性推定を実行し得る。
【０１２３】
本願の本実施形態において、ネットワークデバイスは、以下の方式で端末のためにＱＣＬビーム情報を構成し得る。
【０１２４】
ネットワークデバイスは、本願の本実施形態において、ＤＣＩを通じてＱＣＬビーム情報を送信し得る。
【０１２５】
具体的には、本願の本実施形態において、ＱＣＬビーム情報は、ネットワークデバイスによって端末へ送信されるＤＣＩに追加され得て、ＱＣＬビーム情報が追加されたＤＣＩは端末へ送信される。端末は、ＤＣＩを通じて、参照信号アンテナポートとのＱＣＬ関係を有するＱＣＬビーム情報を受信する。本願の本実施形態において、ＱＣＬビーム情報をＤＣＩに追加するシグナリング構成方式は以下の通りであり得る。以下の情報はＤＣＩ形式２Ｄを用いて送信される。
PDSCH RE Mapping and Quasi-Co-Location Indicator - 2 bits as defined in sections 7.1.9 and 7.1.10 of [3]
qcl_beam_ConfigId   -2bits    (beam ID or beam RS ports)
【０１２６】
上述のＤＣＩシグナリングにおいて、ＱＣＬビーム情報が追加され、追加されたＱＣＬビーム情報はｑｃｌ＿ｂｅａｍ＿ＣｏｎｆｉｇＩｄであり、ここで、ｑｃｌ＿ｂｅａｍ＿ＣｏｎｆｉｇＩｄは、ビーム識別子（ｂｅａｍ  ＩＤ）またはビームアンテナポート情報（ｂｅａｍ  ＲＳ  ｐｏｒｔｓ）であり得る。
【０１２７】
説明を簡単にするために、本願の本実施形態において、ＱＣＬ指示情報を含み、ネットワークデバイスによって端末へ送信されるＤＣＩは、第２ＤＣＩと呼ばれ得る。
【０１２８】
本願の本実施形態において、第２ＤＣＩに追加されたＱＣＬビーム情報は、データを送信するために端末によって現在使用されている参照信号アンテナポートとのＱＣＬ関係を有するビーム情報である。ネットワークデバイスが第２ＤＣＩを端末へ送信した後に、端末は、受信された第２ＤＣＩに基づいて、データを送信するために現在使用されている参照信号アンテナポートとのＱＣＬ関係を有するビーム、および、決定されたビームによって送信された送信済み参照信号を正確に決定し、決定された送信済み参照信号に基づいて大規模チャネル特性推定を実行し得る。
【０１２９】
本願の実施形態における本明細書、特許請求の範囲、および、添付図面における「第１」、「第２」などの用語は、同様の対象物を区別するために使用されるが、必ずしも、特定の順序またはシーケンスを示すわけではないことに留意すべきである。例えば、本願の実施形態における第１ＤＣＩおよび第２ＤＣＩは、異なる閾値を簡便に説明および区別するために使用されるに過ぎず、ＤＣＩに対する限定を構成しない。そのような用語は、適切な状況において交換可能であってよく、これにより、本明細書において記載される本願の実施形態は、本明細書において図示または記載される順序以外の順序で実装できることを理解すべきである。
【０１３０】
上述では主に、端末とネットワークデバイスとの間のインタラクションという観点から、本願の実施形態において提供される解決法を説明する。上述の機能を実装するために、端末およびネットワークデバイスは、機能を実行するための対応するハードウェア構造および／またはソフトウェアモジュールを含むことを理解されたい。本願に開示される実施形態において記載される各例のユニットおよびアルゴリズムのステップに関連して、本願の実施形態は、ハードウェア、または、ハードウェアおよびコンピュータソフトウェアの組み合わせの形態で実装され得る。機能がハードウェアによって実行されるか、または、コンピュータソフトウェアによって駆動されるハードウェアによって実行されるかは、特定の適用、および、技術的解決法の設計上の制約によって決まる。当業者は、特定の適用ごとに説明された機能を実装するために、異なる方法を使用してよいが、当該実装が、本願の実施形態における技術的解決法の範囲を超えるものとみなされるべきではない。
【０１３１】
本願の実施形態において、機能ユニットの区分は、上述の方法の例に基づいて、端末およびネットワークデバイスに対して実行され得る。例えば、各機能ユニットは、対応する機能に基づいた区分を通じて取得されてよい、または、２またはそれより多い機能が１つの処理ユニットに統合されてもよい。統合されたユニットは、ハードウェアの形態で実装されてよく、または、ソフトウェア機能ユニットの形態で実装されてよい。本願の実施形態におけるユニットの区分は、任意選択の方式であり、論理的な機能区分に過ぎず、実際の実装においては別の区分方式であってよいことに留意すべきである。
【０１３２】
統合されたユニットが使用されるとき、図５は、本願の実施形態に係るＱＣＬ情報送信機器１００の概略構造図である。ＱＣＬ情報送信機器１００は、処理ユニット１０１および送信ユニット１０２を含む。処理ユニット１０１は、ＱＣＬビーム情報を決定するよう構成される。ＱＣＬビーム情報は、参照信号アンテナポートとの疑似コロケーションＱＣＬ関係を有するビーム情報を含む。送信ユニット１０２は、処理ユニット１０１によって決定されるＱＣＬビーム情報を送信するよう構成される。
【０１３３】
ＱＣＬビーム情報は、ビーム識別子情報およびビームアンテナポート情報のうち少なくとも１つを含み得る。
【０１３４】
任意選択で、送信ユニット１０２は、以下の方式でＱＣＬビーム情報を送信し得る。ＱＣＬビーム情報が少なくとも１つの組のＱＣＬビーム情報を含む場合、無線リソース制御ＲＲＣシグナリングを通じて少なくとも１つの組のＱＣＬビーム情報を送信する。
【０１３５】
任意選択で、ＱＣＬビーム情報は、データリソースマッピングおよびＱＣＬ構成情報、および／または、非ゼロパワーチャネル状態情報参照信号構成情報において構成され得る。
【０１３６】
任意選択で、処理ユニット１０１は、参照信号アンテナポートを通じて参照信号を送信するために使用される時間領域リソースおよび／または周波数領域リソースに基づいて、時間領域リソースおよび／または周波数領域リソースにおける参照信号アンテナポートとのＱＣＬ関係を有するＱＣＬビーム情報を決定し得る。送信ユニット１０２は、時間領域リソースおよび／または周波数領域リソースにおける参照信号アンテナポートとのＱＣＬ関係を有するＱＣＬビーム情報を送信する。
【０１３７】
送信ユニット１０２は、時間領域ＱＣＬビーム情報リスト、周波数領域ＱＣＬビーム情報リストおよび時間周波数領域ＱＣＬビーム情報リストのうち少なくとも１つを送信し得る。時間領域ＱＣＬビーム情報リストは、少なくとも１つの時間領域リソースにおける参照信号アンテナポートとのＱＣＬ関係を有する少なくとも１つのＱＣＬビーム情報を含む。周波数領域ＱＣＬビーム情報リストは、少なくとも１つの周波数領域リソースにおける参照信号アンテナポートとのＱＣＬ関係を有する少なくとも１つのＱＣＬビーム情報を含む。時間周波数領域ＱＣＬビーム情報リストは、少なくとも１つの時間周波数領域リソースにおける参照信号アンテナポートとのＱＣＬ関係を有する少なくとも１つのＱＣＬビーム情報を含む。
【０１３８】
送信ユニット１０２は、ダウンリンク制御情報ＤＣＩを通じて、参照信号アンテナポートとのＱＣＬ関係を有するＱＣＬビーム情報を送信し得る。
【０１３９】
任意選択で、ビーム識別子情報はビーム同期信号識別子情報である。
【０１４０】
任意選択で、ビームは、ビームスキャンのための参照信号、ビーム参照信号、ビームスキャンのための参照信号、または、ビーム同期信号である。
【０１４１】
ハードウェアの形態が実装のために使用されるとき、本願の本実施形態において、処理ユニット１０１は、プロセッサまたはコントローラであり得る。送信ユニット１０２は、通信インタフェース、送受信機、送受信回路または同様のものであり得る。通信インタフェースは総称であり、１または複数のインタフェースを含み得る。
【０１４２】
処理ユニット１０１がプロセッサであり、かつ、送信ユニット１０２が送信機であるとき、本願の本実施形態におけるＱＣＬ情報送信機器１００は、図６に示されるネットワークデバイスであり得る。図６に示されるネットワークデバイスは基地局であり得る。
【０１４３】
図６は、本願の実施形態に係るネットワークデバイス１０００の概略構造図である。図６に示されるように、ネットワークデバイス１０００は、プロセッサ１００１および送信機１００２を含む。プロセッサ１００１は、コントローラであり得て、図６において「コントローラ／プロセッサ１００１」として示される。プロセッサ１００１は、ＱＣＬビーム情報の送信および受信方法をネットワークデバイスが実行するのをサポートするための、ネットワークデバイスの機能を有するよう構成される。送信機１００２は、ネットワークデバイスがＱＣＬビーム情報を送信するのをサポートするための機能を有するよう構成される。ネットワークデバイスは、メモリ１００３およびバス１００４を更に含み得る。メモリ１００３は、プロセッサ１００１と結合し、ネットワークデバイスに必要なプログラム命令およびデータを記憶するよう構成される。プロセッサ１００１、メモリ１００３および送信機１００２は、バスシステム１００４を通じて接続される。メモリ１００３は命令を記憶するよう構成される。プロセッサ１００１は、メモリ１００３に記憶された命令を実行して送信機１００２を制御するよう構成され、これにより、信号を送信し、上述の方法においてネットワークデバイスによって実行される対応する機能の段階を実行する。
【０１４４】
本願の本実施形態において、ＱＣＬ情報送信機器１００およびネットワークデバイス１０００において使用され、本願の本実施形態において提供される、技術的解決法に関する概念、説明、詳細な説明、および他の段階については、上述の方法または他の実施形態における内容についての説明を参照されたい。詳細はここでは再度説明しない。
【０１４５】
統合されたユニットが使用されるとき、図７は、本願の実施形態に係るＱＣＬ情報受信機器２００の概略構造図である。ＱＣＬ情報受信機器２００は、受信ユニット２０１および処理ユニット２０２を含む。受信ユニット２０１は、ネットワークデバイスからのＱＣＬビーム情報を受信するよう構成される。ＱＣＬビーム情報は、参照信号アンテナポートとのＱＣＬ関係を有するビーム情報を含む。処理ユニット２０２は、受信ユニット２０１によって受信された、ＱＣＬビーム情報に含まれる、参照信号アンテナポートとのＱＣＬ関係を有するビーム情報に基づいて、参照信号アンテナポートとのＱＣＬ関係を有するビームを決定し、ビームを通じて送信される送信済み参照信号を決定し、決定された送信済み参照信号に基づいて大規模チャネル特性推定を実行するよう構成される。代替的に、処理ユニット２０２は、受信ユニット２０１によって受信された、ＱＣＬビーム情報に含まれる、参照信号アンテナポートとのＱＣＬ関係を有するビーム情報に基づいて、参照信号アンテナポートとのＱＣＬ関係を有するビームを決定するよう構成される。任意選択で、処理ユニット２０２は更に、参照信号アンテナポートとのＱＣＬ関係を有する決定されたビームに基づいて参照信号アンテナポートの大規模特性を決定するよう構成される。
【０１４６】
任意選択で、ＱＣＬビーム情報が少なくとも１つの組のＱＣＬビーム情報を含む場合、受信ユニット２０１は、ＲＲＣシグナリングを通じて、ネットワークデバイスからの少なくとも１つの組のＱＣＬビーム情報を受信する。
【０１４７】
ＱＣＬビーム情報は、データリソースマッピングおよびＱＣＬ構成情報、および／または、非ゼロパワーチャネル状態情報参照信号構成情報において構成され得る。
【０１４８】
任意選択で、参照信号アンテナポートとのＱＣＬ関係を有するＱＣＬビーム情報は、参照信号アンテナポートを通じて参照信号を送信するために使用される時間領域リソースおよび／または周波数領域リソースに基づいて、ネットワークデバイスによって決定される。受信ユニット２０１は、時間領域リソースおよび／または周波数領域リソースにおける参照信号アンテナポートとのＱＣＬ関係を有する、ネットワークデバイスからのＱＣＬビーム情報を受信する。
【０１４９】
受信ユニット２０１は、ネットワークデバイスからの時間領域ＱＣＬビーム情報リスト、周波数領域ＱＣＬビーム情報リストおよび時間周波数領域ＱＣＬビーム情報リストのうち少なくとも１つを受信し得る。
【０１５０】
任意選択で、受信ユニット２０１は、ＤＣＩを通じて、参照信号アンテナポートとのＱＣＬ関係を有するＱＣＬビーム情報を受信し得る。
【０１５１】
任意選択で、ビーム識別子情報はビーム同期信号識別子情報である。
【０１５２】
任意選択で、ビームは、ビームスキャンのための参照信号、ビーム参照信号、ビームスキャンのための参照信号、または、ビーム同期信号である。
【０１５３】
ハードウェアの形態が実装のために使用されるとき、本願の本実施形態において、処理ユニット２０２は、プロセッサまたはコントローラであり得る。受信ユニット２０１は、通信インタフェース、送受信機、送受信回路または同様のものであり得る。通信インタフェースは総称であり、１または複数のインタフェースを含み得る。
【０１５４】
処理ユニット２０２がプロセッサであり、かつ、受信ユニット２０１が受信機であるとき、本願の本実施形態におけるＱＣＬ情報受信機器２００は、図８に示される端末であり得る。
【０１５５】
図８は、本願の実施形態に係る端末２０００の概略構造図である。図８を参照すると、端末２０００は、受信機２００１およびプロセッサ２００２を含む。受信機２００１は、ネットワークデバイスによって送信されるＱＣＬビーム情報を端末が受信するのをサポートするよう構成される。プロセッサ２００２は、ＱＣＬ情報の送信および受信方法を端末が実行するのをサポートするための、端末の機能を有するよう構成される。端末は更に、メモリ２００３および送信機２００４を含み得る。メモリ２００３は、プロセッサ２００２と結合し、端末に必要なプログラム命令およびデータを記憶するよう構成される。送信機２００４は信号を送信するよう構成される。
【０１５６】
本願の本実施形態において、ＱＣＬ情報受信機器２００および端末２０００において使用され、本願の本実施形態において提供される、技術的解決法に関する概念、説明、詳細な説明、および他の段階については、上述の方法または他の実施形態における内容についての説明を参照されたい。詳細はここでは再度説明しない。
【０１５７】
本願の実施形態の添付図面において、ネットワークデバイスおよび端末の簡略化された設計のみが示されることを理解されたい。実際の適用において、ネットワークデバイスおよび端末は上述の構造に限定されない。例えば、端末は更に、表示デバイス、入出力インタフェースなどを含み得て、本願の実施形態を実装できるすべての端末は、本願の実施形態の保護範囲内にある。ネットワークデバイスは更に、任意の数の送信機、受信機、プロセッサ、コントローラ、メモリ、通信ユニットまたは同様のものを含み得て、本願の実施形態を実装できるすべてのネットワークデバイスは、本願の実施形態の保護範囲内にある。
【０１５８】
本願の実施形態におけるプロセッサは、中央演算処理装置（Ｃｅｎｔｒａｌ  Ｐｒｏｃｅｓｓｉｎｇ  Ｕｎｉｔ、ＣＰＵ）、汎用プロセッサ、デジタル信号プロセッサ（Ｄｉｇｉｔａｌ  Ｓｉｇｎａｌ  Ｐｒｏｃｅｓｓｉｎｇ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、または、別のプログラマブル論理デバイス、トランジスタ論理デバイス、ハードウェアコンポーネント、または、それらの組み合わせであり得ることに留意すべきである。プロセッサは、本願に開示される内容に関連して説明される様々な例の論理ブロック、モジュール、回路を実装または実行し得る。代替的に、プロセッサは、例えば、１または複数のマイクロプロセッサの組み合わせ、または、ＤＳＰおよびマイクロプロセッサの組み合わせなど、コンピューティング機能を実装するプロセッサの組み合わせであり得る。
【０１５９】
メモリはプロセッサに統合され得る、または、プロセッサから分離され得る。
【０１６０】
一実装において、受信機および送信機の機能は、送受信回路または専用送受信チップによって実装されるとみなされ得る。プロセッサは、専用処理チップ、処理回路、または、プロセッサもしくは汎用チップによって実装されるとみなされ得る。
【０１６１】
別の実装において、プロセッサ、受信機および送信機の機能を実装するために使用されるプログラムコードは、メモリに記憶される。汎用プロセッサは、メモリ内のコードを実行することにより、プロセッサ、受信機および送信機の機能を実装する。
【０１６２】
本願の実施形態において提供される方法によれば、本願の実施形態は更に、上述のネットワークデバイスおよび１または複数の端末を含む通信システムを提供する。
【０１６３】
本願の実施形態は更に、いくつかの命令を記憶するよう構成されるコンピュータ記憶媒体を提供する。命令が実行されるとき、上述の端末またはネットワークデバイスに関する任意の方法が実行され得る。
【０１６４】
当然、当業者であれば、本願の思想および範囲から逸脱することなく、本願に様々な修正および変形を加えることができる。本願は、以下の特許請求の範囲によって定義される保護範囲内およびその同等な技術に含まれる限り、本願のこれらの修正および変形を包含することを意図する。
【図１Ａ】
2019533390.tif 000004
【図１Ｂ】
2019533390.tif 000005
【図２】
2019533390.tif 000006
【図３】
2019533390.tif 000007
【図４】
2019533390.tif 000008
【図５】
2019533390.tif 000009
【図６】
2019533390.tif 000010
【図７】
2019533390.tif 000011
【図８】
2019533390.tif 000012
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
通信方法であって、
疑似コロケーション（ＱＣＬ）ビーム情報を決定する段階であって、前記ＱＣＬビーム情報は、参照信号アンテナポートとのＱＣＬ関係を有する、段階と、
前記ＱＣＬビーム情報を送信する段階と
を備える方法。
【請求項２】
前記ＱＣＬビーム情報はビーム識別子情報を含む、請求項１に記載の方法。
【請求項３】
前記ＱＣＬビーム情報は、少なくとも１つの組のＱＣＬビーム情報を含み、
前記ＱＣＬビーム情報を送信する前記段階は、
無線リソース制御ＲＲＣシグナリングを通じて、前記少なくとも１つの組のＱＣＬビーム情報を送信する段階を含む、
請求項１または２に記載の方法。
【請求項４】
前記ＱＣＬビーム情報は、データリソースマッピング、ならびに、ＱＣＬ構成情報および／または非ゼロパワーチャネル状態情報参照信号構成情報に含まれる、請求項１から３のいずれか一項に記載の方法。
【請求項５】
前記方法は更に、
ダウンリンク制御情報（ＤＣＩ）を通じて、前記参照信号アンテナポートとの前記ＱＣＬ関係を有する前記ＱＣＬビーム情報を示すインジケーションを送信する段階を含む、
請求項１から４のいずれか一項に記載の方法。
【請求項６】
前記ＱＣＬビーム情報はダウンリンク制御情報（ＤＣＩ）を通じて送信される、請求項１または２に記載の方法。
【請求項７】
前記ビーム識別子情報はビーム同期信号識別子情報である、請求項２から６のいずれか一項に記載の方法。
【請求項８】
前記ビーム識別子情報は、ビームスキャンのための参照信号、ビーム参照信号、ビームスキャンのための参照信号、または、ビーム同期信号である、請求項２から６のいずれか一項に記載の方法。
【請求項９】
通信方法であって、
ネットワークデバイスからの疑似コロケーション（ＱＣＬ）ビーム情報を含むシグナリングを受信する段階であって、前記ＱＣＬビーム情報は、参照信号アンテナポートとのＱＣＬ関係を有する、段階と、
受信された前記シグナリングに基づいて、前記ＱＣＬビーム情報を決定する段階と
を備える方法。
【請求項１０】
前記ＱＣＬビーム情報はビーム識別子情報を含む、請求項９に記載の方法。
【請求項１１】
前記ＱＣＬビーム情報は、少なくとも１つの組のＱＣＬビーム情報を含み、
前記シグナリングは、無線リソース制御（ＲＲＣ）シグナリングを含む、請求項９または１０に記載の方法。
【請求項１２】
前記ＱＣＬビーム情報は、データリソースマッピングおよびＱＣＬ構成情報、および／または、非ゼロパワーチャネル状態情報参照信号構成情報に含まれる、請求項９から１１のいずれか一項に記載の方法。
【請求項１３】
方法は更に、
ダウンリンク制御情報ＤＣＩを通じて、前記参照信号アンテナポートとの前記ＱＣＬ関係を有する前記ＱＣＬビーム情報を示すインジケーションを受信する段階を含む、
請求項９から１２のいずれか一項に記載の方法。
【請求項１４】
ネットワークデバイスからＱＣＬビーム情報を受信する前記段階は、
ダウンリンク制御情報（ＤＣＩ）を通じて、参照信号アンテナポートとの前記ＱＣＬ関係を有する前記ＱＣＬビーム情報を受信する段階を含む、請求項９または１０に記載の方法。
【請求項１５】
前記ビーム識別子情報はビーム同期信号識別子情報である、請求項９から１４のいずれか一項に記載の方法。
【請求項１６】
前記ビーム識別子情報は、ビームスキャンのための参照信号、ビーム参照信号、ビームスキャンのための参照信号、または、ビーム同期信号である、請求項９から１４のいずれか一項に記載の方法。
【請求項１７】
前記方法は更に、
決定された前記ＱＣＬビーム情報に基づいて、前記参照信号アンテナポートの大規模特性を決定する段階を備える、請求項９から１６のいずれか一項に記載の方法。
【請求項１８】
命令を含むプログラムであって、前記命令が実行されるとき、請求項１から１７のいずれか一項に記載の方法が実行される、プログラム。
【請求項１９】
請求項１から１７のいずれか一項に記載の方法を実行するよう構成される通信機器。
【請求項２０】
プロセッサおよびメモリを備える通信機器であって、前記メモリは命令を記憶するよう構成され、前記プロセッサは前記メモリに記憶された前記命令を実行するよう構成され、前記プロセッサが前記メモリに記憶された前記命令を実行するとき、前記通信機器は、請求項１から１７のいずれか一項に記載の方法を実行するよう構成される、通信機器。
【請求項２１】
疑似コロケーション（ＱＣＬ）ビーム情報を決定するよう構成される処理ユニットであって、前記ＱＣＬビーム情報は、参照信号アンテナポートとのＱＣＬ関係を有する、処理ユニットと、
前記処理ユニットによって決定される前記ＱＣＬビーム情報を送信するよう構成される送信ユニットと
を備える通信機器。
【請求項２２】
疑似コロケーション（ＱＣＬ）ビーム情報を含むシグナリングをネットワークデバイスから受信するよう構成される受信ユニットであって、前記ＱＣＬビーム情報は参照信号アンテナポートとのＱＣＬ関係を有する、受信ユニットと、
受信された前記シグナリングに基づいて、前記ＱＣＬビーム情報を決定するよう構成される処理ユニットと
を備える通信機器。
【請求項２３】
請求項１９から２２のいずれか一項に記載の通信機器を備える通信システム。
【手続補正２】
【補正対象書類名】明細書
【補正対象項目名】全文
【補正方法】変更
【補正の内容】
【発明の詳細な説明】
【技術分野】
【０００１】
本願は通信技術の分野、特に、通信方法、通信機器、ネットワークデバイスおよび端末に関する。
【背景技術】
【０００２】
近年のインテリジェントモバイル端末などのデバイスの普及により、システムスループットに対して、より高い要求が課されている。スペクトルリソースがますます不足している状況下で、協調マルチポイント送信／受信（Ｃｏｏｒｄｉｎａｔｉｏｎ  ｍｕｌｔｉｐｌｅ  ｐｏｉｎｔ、ＣｏＭＰ）をサポートする通信モードが登場した。
【０００３】
ＣｏＭＰ通信モードにおいて、信号は、複数の異なる送信ポイント（Ｔｒａｎｓｍｉｔｔｉｎｇ  ｒｅｃｅｉｖｉｎｇ  ｐｏｉｎｔ、ＴＲＰ）に由来し得る。信号の正確な受信および復調を確実にするために、疑似コロケーション（Ｑｕａｓｉ−Ｃｏ−Ｌｏｃａｔｉｏｎ、ＱＣＬ）関係を有する参照信号の概念、例えば、セル固有参照信号（Ｃｅｌｌ−ｓｐｅｃｉｆｉｃ  Ｒｅｆｅｒｅｎｃｅ  Ｓｉｇｎａｌ、ＣＲＳ）またはチャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）が導入された。端末はＣＲＳ／ＣＳＩ−ＲＳに基づいて大規模特性パラメータを推定し得る。大規模特性パラメータは、遅延広がり、ドップラー広がり、ドップラー周波数シフト、平均チャネルゲイン、平均遅延のうち１または複数を含む。例えば、ロングタームエボリューション（Ｌｏｎｇ  Ｔｅｒｍ  Ｅｖｏｌｕｔｉｏｎ、ＬＴＥ）通信システムのプロトコルリリース１１（Ｒｅｌｅａｓｅ１１）において、ＣｏＭＰをサポートするためにアンテナポートＱＣＬが導入される。アンテナポートＱＣＬは、アンテナポートによって送信された信号が同一の大規模フェージングを経て、同一の大規模特性パラメータを有することを示す。例えば、ＱＣＬ関係がアンテナポートＡとアンテナポートＢとの間に存在するとき、アンテナポートＡ上の信号を使用することにより推定された大規模チャネル特性パラメータは、アンテナポートＢ上の信号にも適用可能である。
【０００４】
ＬＴＥシステムにおいて、サービスを提供する基地局からの物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を受信し、協調された基地局からの物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）を端末が受信するのをサポートするために、新しい送信モード（ｔｒａｎｓｍｉｓｓｉｏｎ  ｍｏｄｅ  １０）がＲ１１において定義される。ＰＤＳＣＨを送信する基地局を示すために、および、ＰＤＳＣＨに対応する大規模チャネル特性と一致するアンテナポートを示すために、物理ダウンリンク共有チャネルリソース要素マッピングおよび疑似コロケーションインジケータ（ＰＤＳＣＨ  ＲＥ  Ｍａｐｐｉｎｇ  ａｎｄ  Ｑｕａｓｉ−Ｃｏ−Ｌｏｃａｔｉｏｎ  Ｉｎｄｉｃａｔｏｒ、ＰＱＩ）が導入される。ＬＴＥシステムにおいて、同一のＴＲＰについて、端末によって受信されたＰＤＳＣＨに対応する復調参照信号（Ｄｅｍｏｄｕｌａｔｉｏｎ  Ｒｅｆｅｒｅｎｃｅ  Ｓｙｍｂｏｌ、ＤＭＲＳ）についてのすべてのポートの間にＱＣＬ関係がある。すなわち、アンテナポート７とアンテナポート１４との間に疑似コロケーション関係がある。したがって、端末は、ＰＱＩに基づいて、無線リソース制御（Ｒａｄｉｏ  Ｒｅｓｏｕｒｃｅ  Ｃｏｎｔｒｏｌ、ＲＲＣ）構成のＰＤＳＣＨリソース要素マッピングおよびＱＣＬ構成情報に関連して、ＰＤＳＣＨを復調するために使用される必要があるＤＭＲＳに対応する無線チャネルパラメータを認識し得る。
【０００５】
しかしながら、第５世代（５Ｇ）通信システムにおいて、複数のアンテナパネルの大規模アレイ構造は、同一のＴＲＰにおいて構成され得て、異なるアンテナパネルによって形成される異なるビームは異なる大規模特性を有する（大規模特性は、遅延広がり、ドップラー広がり、ドップラー周波数シフト、平均チャネルゲインおよび平均遅延に加えて、到達角度（ａｎｇｌｅ  ｏｆ  ａｒｒｉｖａｌ、ＡＯＡ）、到達角度広がり（ａｎｇｌｅ  ｏｆ  ａｒｒｉｖａｌ  ｓｐｒｅａｄ、ＡＡＳ）、離脱角度（ａｎｇｌｅ  ｏｆ  ｄｅｐａｒｔｕｒｅ、ＡＯＤ）、離脱角度広がり（ａｎｇｌｅ  ｏｆ  ｄｅｐａｒｔｕｒｅ  ｓｐｒｅａｄ、ＡＤＳ）、空間相関（ｓｐａｔｉａｌ  ｃｏｒｒｅｌａｔｉｏｎ）などを更に含む）。したがって、同一のＴＲＰについて、信号を送信するためのアンテナポート間にＱＣＬ関係は無いことがあり得る。結果として、ＱＣＬ情報がＰＱＩインジケータに基づいて構成されるとき、端末は情報に基づいて大規模特性パラメータを推定できない。異なるビームの異なる大規模特性パラメータは、大規模特性パラメータのうち１または複数が異なることを示し得る。
【０００６】
したがって、５Ｇ通信システムに適用可能なＱＣＬ情報構成方法をどのように提供するかは、解決されるべき緊急の問題である。
【発明の概要】
【０００７】
本願の実施形態は、通信方法および通信機器を提供し、具体的には、疑似コロケーション情報を送信および受信する方法および機器、ネットワークデバイスならびに端末を提供し、これにより、端末は、参照信号アンテナポートとのＱＣＬ関係を有するビームを決定し、正確に大規模チャネル特性推定を実行できる。
【０００８】
第１態様によれば、ＱＣＬ情報を送信および受信する方法が提供される。当該方法において、ネットワークデバイスは、決定されたＱＣＬビーム情報を端末へ送信する。ＱＣＬビーム情報は、参照信号アンテナポートとのＱＣＬ関係を有するビーム情報を含む。ＱＣＬビーム情報の受信後、端末は、参照信号アンテナポートとのＱＣＬ関係を有する、ＱＣＬ指示情報に含まれるビーム情報に基づいて、参照信号アンテナポートとのＱＣＬ関係を有するビームを決定し得て、更に、ビームを通じて送信される送信済み参照信号を決定し、決定された送信済み参照信号に基づいて大規模チャネル特性推定を実行し得る。
【０００９】
参照信号は、復調参照信号、チャネル状態情報参照信号、または、別の参照信号を含み得る。ここではこれに限定されない。ＱＣＬビーム情報は、ビーム識別子、ビームアンテナポート情報または他のビーム関連情報であり得る。ビーム識別子情報はビーム同期信号識別子であり得る。ビームは、送信ビームおよび受信ビームを含み得る。送信ビームは、アンテナを介して信号が送信された後に、空間において異なる方向に形成された信号強度の分布を示す。受信ビームは、アンテナから受信された無線信号の、空間における異なる方向の信号強度の分布を示す。ビームは、ビームスキャンのための参照信号、ビーム参照信号、ビームスキャンのための参照信号、または、ビーム同期信号などのビーム関連信号であり得る。任意選択で、参照信号アンテナポートとのＱＣＬ関係を有する決定されたビームは、物理ビーム、または、上述のビームスキャンのための参照信号、ビーム参照信号、ビームスキャンのための参照信号、もしくはビーム同期信号などのビーム関連信号であり得る。更に、ビームを通じて送信される送信済み参照信号は、物理ビームを通じて送信される、ビームスキャンのための参照信号、ビーム参照信号、ビームスキャンのための参照信号、もしくは、ビーム同期信号などのビーム関連信号のうち１または複数であり得る、または、ビーム情報に対応する、ビームスキャンのための参照信号、ビーム参照信号、ビームスキャンのための参照信号、もしくは、ビーム同期信号などのビーム関連信号のうち１または複数であり得る。
【００１０】
可能な設計において、ネットワークデバイスは、無線リソース制御ＲＲＣシグナリングを通じてＱＣＬビーム情報を送信する。
【００１１】
ＱＣＬビーム情報は、少なくとも１つの組のＱＣＬビーム情報を含む。ネットワークデバイスは、ＲＲＣシグナリングを通じて少なくとも１つの組のＱＣＬビーム情報を端末へ送信し、ダウンリンク制御情報を通じて、端末によって現在使用される参照信号に適用可能なＱＣＬビーム情報を示す。現在使用されている参照信号に適用可能なＱＣＬビーム情報は、参照信号アンテナポートとのＱＣＬ関係を有するビーム情報である。
【００１２】
本願の本実施形態において、ＲＲＣシグナリングにおいてＱＣＬビーム情報を元のＱＣＬ指示情報に追加することは、以下の２つの方式で実装され得る。
【００１３】
第１実装において、ＱＣＬビーム情報は、データリソースマッピングおよびＱＣＬ構成情報に追加され、これにより、ＱＣＬビーム情報がＲＲＣシグナリングに追加されたことを示すために使用されるパラメータ情報は物理層プロトコルに追加される。
【００１４】
別の実装において、ＱＣＬビーム情報は非ゼロパワーＣＳＩ−ＲＳ構成パラメータに追加され、ＣＳＩ−ＲＳのＱＣＬビーム情報を示す。
【００１５】
別の可能な設計において、参照信号がＤＭＲＳである場合、ＤＭＲＳアンテナポートとのＱＣＬ関係を有するＱＣＬビーム情報は、非ゼロパワーＣＳＩ−ＲＳ構成パラメータ識別子に対応するＣＳＩ−ＲＳリソース構成情報に含まれるＱＣＬビーム情報である。
【００１６】
更に別の可能な設計において、ネットワークデバイスは、参照信号アンテナポートを通じて参照信号を送信するために使用される時間領域リソースおよび／または周波数領域リソースに基づいて、時間領域リソースおよび／または周波数領域リソースにおける参照信号アンテナポートとのＱＣＬ関係を有するＱＣＬビーム情報を決定し、時間領域リソースおよび／または周波数領域リソースにおける参照信号アンテナポートとのＱＣＬ関係を有するＱＣＬビーム情報を端末に送信し得る。
【００１７】
ネットワークデバイスは、時間領域ＱＣＬビーム情報リスト、周波数領域ＱＣＬビーム情報リストおよび時間周波数領域ＱＣＬビーム情報リストのうち少なくとも１つを端末へ送信し得る。端末は、ネットワークデバイスからの周波数領域ＱＣＬビーム情報リストを受信した後に、異なる周波数帯における参照信号のＱＣＬビームを決定し得て、異なる周波数帯において大規模チャネル特性推定を実行し得る。端末は、ネットワークデバイスからの時間領域ＱＣＬビーム情報リストを受信した後に、異なるサブフレーム、タイムスロットまたは他の時間単位における参照信号のＱＣＬビームを決定してから、異なるサブフレーム、タイムスロットまたは他の時間単位において大規模チャネル特性推定を実行し得る。端末は、ネットワークデバイスからの時間周波数領域ＱＣＬビーム情報リストを受信した後に、異なる時間周波数領域リソースにおける参照信号のＱＣＬビームを決定してから、異なる時間周波数領域において大規模チャネル特性推定を実行し得る。
【００１８】
更に別の可能な設計において、ネットワークデバイスは、ＤＣＩを通じてＱＣＬビーム情報を送信し得る。
【００１９】
ＤＣＩを通じてネットワークデバイスによって送信されるＱＣＬビーム情報は、データを送信するために端末によって現在使用される参照信号アンテナポートとのＱＣＬ関係を有するビーム情報であり得る。ネットワークデバイスがＤＣＩを端末へ送信した後に、端末は、受信されたＤＣＩに基づいて、データを送信するために現在使用されている参照信号アンテナポートとのＱＣＬ関係を有するビーム、および、決定されたビームによって送信された送信済み参照信号を正確に決定し、決定された送信済み参照信号に基づいて大規模チャネル特性推定を実行し得る。例えば、参照信号アンテナポートの大規模特性は、参照信号アンテナポートとのＱＣＬ関係を有する、決定されたビームに基づいて決定され得る。
【００２０】
第２態様によれば、通信機器が提供される。通信機器は、第１態様におけるネットワークデバイスを実装する機能を有する。機能はハードウェアにより実装され得る、または、対応するソフトウェアを実行するハードウェアにより実装され得る。ハードウェアまたはソフトウェアは、上述の機能に対応する１または複数のモジュールを含む。モジュールは、ソフトウェアおよび／またはハードウェアであり得る。
【００２１】
可能な設計において、通信機器は、処理ユニットおよび送信ユニットを含み、処理ユニットおよび送信ユニットの機能は、方法の段階に対応し得る。詳細はここでは再度説明しない。
【００２２】
第３態様によれば、通信機器が提供される。当該機器は、第１態様における端末を実装する機能を有する。機能は、ハードウェアによって実装され得る、または、対応するソフトウェアを実行するハードウェアによって実装され得る。ハードウェアまたはソフトウェアは、上述の機能に対応する１または複数のモジュールを含む。モジュールは、ソフトウェアおよび／またはハードウェアであり得る。
【００２３】
可能な設計において、通信機器は、受信ユニットおよび処理ユニットを含み、受信ユニットおよび処理ユニットの機能は、方法の段階に対応し得る。詳細はここでは再度説明しない。
【００２４】
第４態様によれば、ネットワークデバイスが提供され、ネットワークデバイスは、プロセッサ、メモリおよび送受信機を含む。
【００２５】
メモリは、命令を記憶するよう構成される。プロセッサは、メモリに記憶された命令を実行して、送受信機を制御して信号を受信および送信するよう構成される。プロセッサが、メモリに記憶された命令を実行するとき、ネットワークデバイスは、第１態様におけるネットワークデバイスに関する任意の方法を実行するよう構成される。
【００２６】
第５態様によれば、端末が提供され、端末は、プロセッサ、メモリおよび送受信機を含む。
【００２７】
メモリは、命令を記憶するよう構成される。プロセッサは、メモリに記憶された命令を実行して、送受信機を制御して信号を受信および送信するよう構成される。プロセッサが、メモリに記憶された命令を実行するとき、端末は、第１態様における端末に関する任意の方法を実行するよう構成される。
【００２８】
第６態様によれば、コンピュータ記憶媒体が提供され、コンピュータ記憶媒体は、いくつかの命令を記憶するよう構成される。命令が実行されるとき、上述の端末またはネットワークデバイスに関する任意の方法が実行され得る。
【００２９】
第７の態様によれば、通信システムが提供され、通信システムは、端末およびネットワークデバイスを含む。ネットワークデバイスは、第４態様におけるネットワークデバイスであり、端末は第５態様における端末である。
【００３０】
本願において提供されるネットワークデバイスは、上述の方法の態様におけるネットワークデバイスの動作を実装する機能を有し、上述の方法の態様に記載された段階または機能を実行するよう構成される対応する手段（ｍｅａｎｓ）を含む。段階または機能は、ソフトウェア、ハードウェアまたはハードウェアおよびソフトウェアの組み合わせによって実装され得る。
【００３１】
可能な設計において、ネットワークデバイスは、１または複数のプロセッサを含み、１または複数のプロセッサは、上述の方法における対応する機能をネットワークデバイスが実行するのをサポートするよう構成される。任意選択で、ネットワークデバイスは更に、１または複数のメモリを含み得る。メモリは、プロセッサと結合し、ネットワークデバイスに必要なプログラムおよび／または命令を記憶するよう構成され、更にデータを記憶し得る。１または複数のメモリは、プロセッサと統合され得る、または、プロセッサから分離され得る。プロセッサがメモリにおけるプログラムおよび／または命令を実行するとき、ネットワークデバイスは、上述の方法における対応する段階を実行する。
【００３２】
可能な設計において、ネットワークデバイスは、１または複数のプロセッサおよび通信ユニットを含む。１または複数のプロセッサは、例えば、ＱＣＬビーム情報の決定など、上述の方法における対応する機能をネットワークデバイスが実装するのをサポートするよう構成される。通信ユニットは、ネットワークデバイスと別のデバイスとの間の通信をサポートするよう構成され、それにより、例えば、プロセッサによって生成されたＱＣＬビーム情報を送信するなど、受信および／または送信機能を実装する。
【００３３】
任意選択で、ネットワークデバイスは、１または複数のメモリを更に含み得る。メモリは、プロセッサと結合し、ネットワークデバイスに必要なプログラム命令および／またはデータを記憶するよう構成される。１または複数のメモリは、プロセッサと統合され得る、または、プロセッサから分離され得る。本願ではこれに限定されない。
【００３４】
ネットワークデバイスは、基地局、ｇＮＢ、ＴＲＰまたは同様のものであり得て、通信ユニットは送受信機または送受信回路であり得る。任意選択で、送受信機は入出力回路またはインタフェースであり得る。
【００３５】
ネットワークデバイスは通信チップであり得る。通信ユニットは通信チップの入出力回路またはインタフェースであり得る。
【００３６】
本願は機器を更に提供し、当該機器は、上述の方法の態様における端末の動作を実装する機能を有し、上述の方法の態様に記載される段階または機能を実行するよう構成される対応する手段（ｍｅａｎｓ）を含む。段階または機能は、ソフトウェア、ハードウェアまたはハードウェアおよびソフトウェアの組み合わせによって実装され得る。
【００３７】
可能な設計において、機器は、１または複数のプロセッサを含み、１または複数のプロセッサは、上述の方法における端末の対応する機能を機器が実行するのをサポートするよう構成される。任意選択で、機器は、１または複数のメモリを更に含み得る。メモリは、プロセッサと結合し、機器に必要なプログラムおよび／または命令を記憶するよう構成され、更にデータを記憶し得る。１または複数のメモリは、プロセッサと統合され得る、または、プロセッサから分離され得る。プロセッサがメモリにおけるプログラムおよび／または命令を実行するとき、機器は、上述の方法における対応する段階を実行する。
【００３８】
可能な設計において、機器は、１または複数のプロセッサおよび通信ユニットを含む。１または複数のプロセッサは、例えば、参照信号アンテナポートとのＱＣＬ関係を有するビームを決定するなど、上述の方法における端末の対応する機能を機器が実装するのをサポートするよう構成される。通信ユニットは、機器と別のデバイスとの間の通信をサポートするよう構成され、それにより、例えば、ＱＣＬビーム情報を受信するなど、受信および／または送信機能を実装する。
【００３９】
任意選択で、機器は、１または複数のメモリを更に含み得る。メモリは、プロセッサと結合し、ネットワーク機器に必要なプログラム命令および／またはデータを記憶するよう構成される。１または複数のメモリは、プロセッサと統合され得る、または、プロセッサから分離され得る。本願ではこれに限定されない。
【００４０】
機器はインテリジェント端末、ウェアラブルデバイスまたは同様のものであり得て、通信ユニットは、送受信機または送受信回路であり得る。任意選択で、送受信機は入出力回路またはインタフェースであり得る。
【００４１】
機器は通信チップであり得る。通信ユニットは通信チップの入出力回路またはインタフェースであり得る。
【００４２】
本願の実施形態において、ネットワークデバイスは決定されたＱＣＬビーム情報を端末へ送信する。ＱＣＬビーム情報は、参照信号アンテナポートとのＱＣＬ関係を有するビーム情報を含む。ＱＣＬビーム情報の受信後、端末は、参照信号アンテナポートとのＱＣＬ関係を有する、ＱＣＬ指示情報に含まれるビーム情報に基づいて、参照信号アンテナポートとのＱＣＬ関係を有するビームを決定し得て、更に、ビームを通じて送信される送信済み参照信号を決定し、決定された送信済み参照信号に基づいて大規模チャネル特性推定を実行し得る。
【図面の簡単な説明】
【００４３】
【図１Ａ】本願の実施形態に係る１つのＴＲＰに含まれる４つのアンテナパネルによって形成されるビームの概略図である。
【図１Ｂ】本願の実施形態に係る１つのＴＲＰに含まれる４つのアンテナパネルによって形成されるビームの概略図である。
【００４４】
【図２】ネットワークデバイスと端末との間の通信の概略図である。
【００４５】
【図３】ネットワークデバイスおよび端末の内部構造の簡略化された概略図である。
【００４６】
【図４】本願の実施形態に係るＱＣＬ情報構成方法のフローチャートである。
【００４７】
【図５】本願の実施形態に係るＱＣＬ情報送信デバイスの概略構造図である。
【００４８】
【図６】本願の実施形態に係るネットワークデバイスの概略構造図である。
【００４９】
【図７】本願の実施形態に係るＱＣＬ情報受信デバイスの概略構造図である。
【００５０】
【図８】本願の実施形態に係る端末の概略構造図である。
【発明を実施するための形態】
【００５１】
以下では、本願の実施形態における添付図面を参照して、本願の実施形態における技術的解決法を説明する。
【００５２】
当業者による理解を容易にするために、本願におけるいくつかの用語を最初に説明する。
【００５３】
（１）ネットワークデバイスは、無線アクセスネットワーク（Ｒａｄｉｏ  Ａｃｃｅｓｓ  Ｎｅｔｗｏｒｋ、ＲＡＮ）デバイスと呼ばれ得る。これは、端末を無線ネットワークに接続するデバイスであり、これらに限定されないが、進化型ノードＢ（ｅｖｏｌｖｅｄ  ＮｏｄｅＢ、ｅＮＢ）、無線ネットワークコントローラ（ｒａｄｉｏ  ｎｅｔｗｏｒｋ  ｃｏｎｔｒｏｌｌｅｒ、ＲＮＣ）、ノードＢ（ＮｏｄｅＢ、ＮＢ）、基地局コントローラ（Ｂａｓｅ  Ｓｔａｔｉｏｎ  Ｃｏｎｔｒｏｌｌｅｒ、ＢＳＣ）、ベーストランシーバステーション（Ｂａｓｅ  Ｔｒａｎｓｃｅｉｖｅｒ  Ｓｔａｔｉｏｎ、ＢＴＳ）、ホームｅＮｏｄｅＢ（例えば、Ｈｏｍｅ  ｅｖｏｌｖｅｄ  ＮｏｄｅＢまたは  Ｈｏｍｅ  ＮｏｄｅＢ、ＨＮＢ）、ベースバンドユニット（Ｂａｓｅｂａｎｄ  Ｕｎｉｔ、ＢＢＵ）、ワイヤレスフィディリティ（Ｗｉｒｅｌｅｓｓ  Ｆｉｄｅｌｉｔｙ、ＷｉＦｉ）アクセスポイント（Ａｃｃｅｓｓ  Ｐｏｉｎｔ、ＡＰ）、送信ポイント（ｔｒａｎｓｍｉｓｓｉｏｎ  ａｎｄ  ｒｅｃｅｉｖｅｒ  ｐｏｉｎｔ、ＴＲＰまたはｔｒａｎｓｍｉｓｓｉｏｎ  ｐｏｉｎｔ、ＴＰ）などが含まれる。例えば、ネットワークデバイスは、ＮＲ（ｎｅｗ  ｒａｄｉｏ）システムなどの５ＧシステムにおけるｇＮＢ  ｇＮＢ、ベースバンドユニット（ＢＢＵ）またはデータ単位（ＤＵ、ｄａｔａ  ｕｎｉｔ）であり得る。一部のデプロイメントにおいて、ｇＮＢは、制御ユニット（ＣＵ、ｃｏｎｔｒｏｌ  ｕｎｉｔ）およびＤＵを含み得て、ＲＵ（無線周波数ユニット、ｒａｄｉｏ  ｕｎｉｔ）を更に含み得る。ＣＵはｇＮＢのいくつかの機能を実装し、ＤＵはｇＮＢのいくつかの機能を実装する。例えば、ＣＵはＲＲＣ（無線リソース制御、ｒａｄｉｏ  ｒｅｓｏｕｒｃｅ  ｃｏｎｔｒｏｌ）層およびＰＤＣＰ（ｐａｃｋｅｔ  ｄａｔａ  ｃｏｎｖｅｒｇｅｎｃｅ  ｐｒｏｔｏｃｏｌ、パケットデータコンバージェンスプロトコル）層の機能を実装し、ＤＵは、ＲＬＣ（ｒａｄｉｏ  ｌｉｎｋ  ｃｏｎｔｒｏｌ、無線リンク制御）層、ＭＡＣ（ｍｅｄｉａ  ａｃｃｅｓｓ  ｃｏｎｔｒｏｌ、媒体アクセス制御）層およびＰＨＹ（ｐｈｙｓｉｃａｌ）層の機能を実装する。ＲＲＣ層の情報は最終的にＰＨＹ層における情報になるか、または、ＰＨＹ層における情報から変換される。したがって、このアーキテクチャにおいて、ＲＲＣ層シグナリングまたはＰＨＣＰ層シグナリングなどの上位層シグナリングはまた、ＤＵによって、または、ＤＵおよびＲＵによって送信されるとみなされ得る。
【００５４】
（２）端末は、音声および／またはデータ接続をユーザに提供するデバイスであり、無線通信機能を有する様々なハンドヘルドデバイス、車載デバイス、ウェアラブルデバイス、もしくは、コンピューティングデバイス、または、無線モデムに接続された別の処理デバイス、および、ユーザ機器（Ｕｓｅｒ  Ｅｑｕｉｐｍｅｎｔ、ＵＥ）、移動局（Ｍｏｂｉｌｅ  ｓｔａｔｉｏｎ、ＭＳ）、端末装置（Ｔｅｒｍｉｎａｌ  Ｅｑｕｉｐｍｅｎｔ）、および、様々な形態の送信ポイント（ｔｒａｎｓｍｉｓｓｉｏｎ  ａｎｄ  ｒｅｃｅｉｖｅｒ  ｐｏｉｎｔ、ＴＲＰ、または、ｔｒａｎｓｍｉｓｓｉｏｎ  ｐｏｉｎｔ、ＴＰ）を含み得る。
【００５５】
（３）本願におけるインタラクションは、情報が２つのインタラクション当事者の間で伝達されるプロセスであり、ここで伝達される情報は、同一でも、または、異なっていてもよい。例えば、２つのインタラクション当事者は、基地局１および基地局２であり、基地局１は、基地局２に情報を要求し得て、基地局２は、基地局１によって要求された情報を基地局１に提供する。当然ながら、基地局１および基地局２は、互いに情報を要求し得て、ここで要求された情報は、同一でも、または、異なっていてもよい。
【００５６】
（４）「複数」とは、２または２より多いことを意味する。「および／または」という用語は、関連対象物を説明するための関連関係を説明するものであり、３つの関係が存在してよいことを表している。例えば、Ａおよび／またはＢは、Ａのみが存在すること、ＡおよびＢの両方が存在すること、ならびに、Ｂのみが存在すること、の３つの場合を表し得る。「／」という記号は概して、関連対象物間の「または」の関係を示す。
【００５７】
（５）「ネットワーク」および「システム」という名詞は通常、交換可能に使用されるが、その意味は、当業者によって理解され得る。「情報（ｉｎｆｏｒｍａｔｉｏｎ）」、「信号（ｓｉｇｎａｌ）」、「メッセージ（ｍｅｓｓａｇｅ）」および「チャネル（ｃｈａｎｎｅｌ）」は場合により、交換可能に使用され得る。違いが強調されないとき、表現される意味は一致することに留意すべきである。「の（ｏｆ）」、「対応または関連する（ｃｏｒｒｅｓｐｏｎｄｉｎｇ、ｒｅｌｅｖａｎｔ）」、および、「対応する（ｃｏｒｒｅｓｐｏｎｄｉｎｇ）」は、場合により交換可能に使用され得る。違いが強調されないとき、表現される意味は一致することに留意すべきである。
【００５８】
本願の実施形態において提供される疑似コロケーション情報構成方法、ネットワークデバイスおよび端末は、新無線（Ｎｅｗ  Ｒａｄｉｏ、ＮＲ）通信技術に適用され得る。ＮＲは新世代無線アクセスネットワーク技術であり、５Ｇ通信システムなどの将来の進化型ネットワークに適用され得る。代替的に、本願の実施形態において提供される疑似コロケーション情報構成方法、ネットワークデバイスおよび端末は、ワイヤレスフィディリティ（Ｗｉｒｅｌｅｓｓ  Ｆｉｄｅｌｉｔｙ、ＷＩＦＩ）またはＬＴＥなどの無線通信システムに適用され得て、固定ネットワークなどの有線ネットワークにも適用され得る。
【００５９】
無線通信システムは、無線通信機能を提供するネットワークであると理解されたい。無線通信システムは異なる通信技術、例えば、符合分割多元接続（Ｃｏｄｅ  Ｄｉｖｉｓｉｏｎ  Ｍｕｌｔｉｐｌｅ  Ａｃｃｅｓｓ、ＣＤＭＡ）、ワイドバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、時分割多元接続（Ｔｉｍｅ  Ｄｉｖｉｓｉｏｎ  Ｍｕｌｔｉｐｌｅ  Ａｃｃｅｓｓ、ＴＤＭＡ）、周波数分割多元接続（Ｆｒｅｑｕｅｎｃｙ  Ｄｉｖｉｓｉｏｎ  Ｍｕｌｔｉｐｌｅ  Ａｃｃｅｓｓ、ＦＤＭＡ）、直交周波数分割多元接続（ｏｒｔｈｏｇｏｎａｌ  ｆｒｅｑｕｅｎｃｙ−ｄｉｖｉｓｉｏｎ  ｍｕｌｔｉｐｌｅ  ａｃｃｅｓｓ、ＯＦＤＭＡ）、シングルキャリア周波数分割多元接続（ｓｉｎｇｌｅ  ｃａｒｒｉｅｒ  ＦＤＭＡ、ＳＣ−ＦＤＭＡ）、および、搬送波感知多元接続／衝突回避（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）を使用し得る。異なるネットワークの容量、速度および遅延などの要因に基づいて、ネットワークは、２Ｇ（英語：ｇｅｎｅｒａｔｉｏｎ）ネットワーク、３Ｇネットワーク、４Ｇネットワーク、および、５Ｇネットワークなど将来の進化型ネットワークに分類され得る。典型的な２Ｇネットワークは、モバイル通信用のグローバルシステム（Ｇｌｏｂａｌ  ｓｙｓｔｅｍ  ｆｏｒ  ｍｏｂｉｌｅ  ｃｏｍｍｕｎｉｃａｔｉｏｎｓ／ｇｅｎｅｒａｌ  ｐａｃｋｅｔ  ｒａｄｉｏ  ｓｅｒｖｉｃｅ、ＧＳＭ（登録商標））ネットワーク、または、汎用パケット無線サービス（ｇｅｎｅｒａｌ  ｐａｃｋｅｔ  ｒａｄｉｏ  ｓｅｒｖｉｃｅ、ＧＰＲＳ）ネットワークを含む。典型的な３Ｇネットワークは、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）ネットワークを含む。典型的な４Ｇネットワークは、ロングタームエボリューション（Ｌｏｎｇ  Ｔｅｒｍ  Ｅｖｏｌｕｔｉｏｎ、ＬＴＥ）ネットワークを含む。ＵＭＴＳネットワークは場合により、ユニバーサル地上波無線アクセスネットワーク（ｕｎｉｖｅｒｓａｌ  ｔｅｒｒｅｓｔｒｉａｌ  ｒａｄｉｏ  ａｃｃｅｓｓ  ｎｅｔｗｏｒｋ、ＵＴＲＡＮ）とも呼ばれ得て、ＬＴＥネットワークは場合により、発展型ユニバーサル地上無線アクセスネットワーク（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ、Ｅ−ＵＴＲＡＮ）とも呼ばれ得る。異なるリソース割り当て方式に基づいて、ネットワークは、セルラ通信ネットワークおよびワイヤレスローカルエリアネットワーク（ｗｉｒｅｌｅｓｓ  ｌｏｃａｌ  ａｒｅａ  ｎｅｔｗｏｒｋｓ、ＷＬＡＮ）に分類され得る。セルラ通信ネットワークは、スケジューリングに基づき、ＷＬＡＮは、競合に基づく。上述の２Ｇ、３Ｇおよび４Ｇネットワークはすべて、セルラ通信ネットワークである。当業者であれば、技術の発展につれて、本願の実施形態において提供される技術的解決法は、４．５Ｇまたは５Ｇネットワークなどの別の無線通信ネットワーク、または、別の非セルラ通信ネットワークにも適用され得ることを認識するはずである。簡潔にするべく、無線通信ネットワークは場合により、本願の実施形態においてネットワークという略称で呼ばれ得る。
【００６０】
セルラ通信ネットワークは、無線通信ネットワークのうちの１つである。セルラ通信ネットワークは、セルラ無線ネットワーキング方式を使用し、無線チャネルを介して端末デバイスをネットワークデバイスに接続し、移動するユーザ間の相互通信を実装する。セルラ通信ネットワークは、端末の移動性という主な特性を有し、セル間ハンドオーバ、および、ローカルネットワークを跨ぐ自動ローミングの機能を有する。
【００６１】
技術的解決法が５Ｇ通信システムに適用される任意選択の方式は、本願の以下の実施形態における説明に使用される。本願の実施形態における解決法は、別の無線通信ネットワークに更に適用され得て、対応する名称は、別の無線通信ネットワークにおける対応する機能の名称でも置き換えられ得ることに留意すべきである。
【００６２】
５Ｇ通信システムにおいて、複数のアンテナパネルの大規模アレイ構造は、同一のＴＲＰにおいて構成され得て、異なるアンテナパネルは、信号を送信するための複数のビームを形成する。したがって、信号を送信するための異なるビームは、異なるチャネル特性を有する。これは、同一のアンテナポート番号に対応する異なるＱＣＬ特性につながる。ビームが異なるとき、ネットワークデバイスは、同一の番号を用いて同一のアンテナポートで信号を送信し得て、ネットワークデバイスは、異なるビームのために異なるビーム信号を送信し得る。ビーム信号は、ビームスキャンのための参照信号、ビーム参照信号、ビームスキャンのための参照信号、ビーム同期信号、または同様のものであり得る。したがって、複数のアンテナパネルを有する５Ｇ通信システムにおいて、既存のアンテナポートＱＣＬ関係指示方式が依然として使用される場合、現時点において送信されている信号とのＱＣＬ関係を有する送信信号を正確に指示できず、現時点において送信されている信号の大規模特性を正確に決定できない。例えば、図１Ａおよび図１Ｂは、１つのＴＲＰに含まれる４つのアンテナパネルによって形成されるビームの概略図である。図１Ａにおいて、４つのアンテナパネルの各々はビームを独立して形成し、各アンテナパネルは異なるビームを形成し、４つの異なるビームを通じて信号を送信するためのアンテナポートの間にＱＣＬ関係が無いことがあり得る。図１Ｂにおいて、４つのアンテナパネルは、共にビームを形成するが、４つのアンテナパネルによって形成されるビームに対して異なるプリコーディングが実行され、したがって、ビームは異なる方向を有する。この場合、信号を送信するためのアンテナポート間にＱＣＬ関係は無いことがあり得る。
【００６３】
本願の実施形態は、ＱＣＬ情報構成方法を提供する。方法において、ネットワークデバイスが、決定されたＱＣＬビーム情報を端末へ送信する。ＱＣＬビーム情報は、参照信号アンテナポートとのＱＣＬ関係を有するビーム情報を含む。ＱＣＬビーム情報の受信後、端末は、参照信号アンテナポートとのＱＣＬ関係を有する、ＱＣＬ指示情報に含まれるビーム情報に基づいて、参照信号アンテナポートとのＱＣＬ関係を有するビームを決定し得て、更に、ビームを通じて送信される送信済み参照信号を決定し、決定された送信済み参照信号に基づいて大規模チャネル特性推定を実行し得る。大規模特性は、遅延広がり（ｄｅｌａｙ  ｓｐｒｅａｄ）、ドップラー広がり（Ｄｏｐｐｌｅｒ  ｓｐｒｅａｄ）、ドップラー周波数シフト（Ｄｏｐｐｌｅｒ  ｓｈｉｆｔ）、平均チャネルゲイン（ａｖｅｒａｇｅ  ｇａｉｎ）、平均遅延（ａｖｅｒａｇｅ  ｄｅｌａｙ）、到達角度（ａｎｇｌｅ  ｏｆ  ａｒｒｉｖａｌ、ＡＯＡ）、到達角度広がり（ａｎｇｌｅ  ｏｆ  ａｒｒｉｖａｌ  ｓｐｒｅａｄ、ＡＡＳ）、離脱角度（ａｎｇｌｅ  ｏｆ  ｄｅｐａｒｔｕｒｅ、ＡＯＤ）、離脱角度広がり（ａｎｇｌｅ  ｏｆ  ｄｅｐａｒｔｕｒｅ  ｓｐｒｅａｄ、ＡＤＳ）、空間ＲＸパラメータ（ｓｐａｔｉａｌ  ＲＸ  ｐａｒａｍｅｔｅｒｓ）、空間受信パラメータ（ｓｐａｔｉａｌ  ＲＸ  ｐａｒａｍｅｔｅｒｓ）、および、空間相関（ｓｐａｔｉａｌ  ｃｏｒｒｅｌａｔｉｏｎ）のうち１または複数であり得る。
【００６４】
本願の本実施形態における参照信号は、これらに限定されないが、復調参照信号（Ｄｅｍｏｄｕｌａｔｉｏｎ  Ｒｅｆｅｒｅｎｃｅ  Ｓｙｍｂｏｌ、ＤＭＲＳ）、チャネル状態情報参照信号（Ｃｈａｎｎｅｌ  Ｓｔａｔｅ  Ｉｎｆｏｒｍａｔｉｏｎ‐Ｒｅｆｅｒｅｎｃｅ  Ｓｉｇｎａｌ、ＣＳＩ−ＲＳ）、または、他の参照情報を含むことに留意すべきである。ここではこれに限定されない。
【００６５】
本願の本実施形態におけるビーム（ｂｅａｍ）は、少なくとも１つのアンテナポートによって送信または受信されるデータに対する振幅および／または位相重み付けを実行することによって形成されるビームである、または、例えば、アンテナユニットの関連パラメータを調整するなどの別の方法を使用することによって形成され得ることを理解されたい。ビームは、送信ビームおよび受信ビームを含み得る。送信ビームは、アンテナを通じて信号が送信された後に、空間において異なる方向に形成された信号強度の分布を示す。受信ビームは、アンテナから受信された無線信号の、空間における異なる方向の信号強度の分布を示す。受信側における信号処理では、マルチアンテナアレイ要素によって受信された信号に対して重み付き合成を実行して所望の信号を形成し得る。アンテナ指向性パターン（ｐａｔｔｅｒｎ）の観点からは、そのような操作は、指定された方向にビームを形成することと同等である。例えば、元の全方位受信指向性パターンは、ゼロ点を有する、最大信号強度を有する方向のローブ指向性パターンに変換される。同一の原理が送信側にも適用可能である。振幅および位相の調整が、アンテナアレイ要素のフィードに対して実行され、所望の形状の指向性パターンを形成する。複数の組のアンテナが使用されるので、同一の空間フロー（ｓｐａｔｉａｌ  ｓｔｒｅａｍｓ）に対応する無線信号が、複数の経路を通じて送信側から受信側へ送信される。複数のアンテナによって受信された信号が、特定のアルゴリズムを使用することによって受信側で処理されるとき、受信側における信号対雑音比は、明らかに改善され得る。受信側が遠く離れているときでも、比較的良好な信号品質を得ることができる。
【００６６】
本願の本実施形態におけるビームは、ビームスキャンのための参照信号、ビーム参照信号、ビームスキャンのための参照信号、または、ビーム同期信号であり得る。
【００６７】
本願の実施形態における方法または機器は、ネットワークデバイスと端末（例えば基地局およびユーザ機器）との間、または、ネットワークデバイスとネットワークデバイスとの間（例えば、マクロ基地局とミクロ基地局との間、マクロ基地局とミクロ基地局との間、または、ミクロ基地局とミクロ基地局との間）、または、端末デバイスと端末デバイスとの間（例えば、デバイスツーデバイス（Ｄｅｖｉｃｅ  ｔｏ  Ｄｅｖｉｃｅ、Ｄ２Ｄ）シナリオ）の通信に適用され得ることに留意すべきである。換言すれば、本願の実施形態におけるＱＣＬ情報の送信および受信の方法は、信号送信におけるビームのＱＣＬ指示情報に適用可能であるだけでなく、信号受信におけるビームのＱＣＬ指示情報にも適用可能である。本願の以下の実施形態すべてにおいて、ネットワークデバイスと端末との間の通信が、説明のための任意選択の方式として使用される。
【００６８】
図２は、ネットワークデバイスおよび端末を含む通信システムの概略構造図である。
【００６９】
図３は、ネットワークデバイスおよび端末の内部構造の簡略化された概略図である。
【００７０】
例えば、ネットワークデバイスは、アンテナアレイ、デュプレクサ、送信機（Ｔｒａｎｓｍｉｔ、ＴＸ）、受信機（Ｒｅｃｅｉｖｅ、ＲＸ）（場合により、ＴＸおよびＲＸは、送受信機（Ｔｒａｎｓｍｉｔ  Ｒｅｃｅｉｖｅ、ＴＲＸ）とまとめて呼ばれる）、および、ベースバンド処理部を含み得る。デュプレクサは、アンテナアレイを実装するよう構成され、信号を送信および受信するよう構成される。ＴＸは、無線周波数信号とベースバンド信号との間の変換を実装するよう構成される。ＴＸは通常、電力増幅器（Ｐｏｗｅｒ  Ａｍｐｌｉｆｉｅｒ、ＰＡ）、デジタル‐アナログ変換器（Ｄｉｇｉｔａｌ  ｔｏ  Ａｎａｌｏｇ  Ｃｏｎｖｅｒｔｅｒ、ＤＡＣ）、および、周波数変換器を含み得る。ＲＸは通常、低ノイズ増幅器（Ｌｏｗ  Ｎｏｉｓｅ  Ａｍｐｌｉｆｉｅｒ、ＬＮＡ）、アナログ‐デジタル変換器（Ａｎａｌｏｇ  ｔｏ  Ｄｉｇｉｔａｌ  Ｃｏｎｖｅｒｔｅｒ、ＡＤＣ）、および、周波数変換器を含み得る。ベースバンド処理部は、レイヤマッピング、プリコーディング、変調／復調、符号化／復号など、送信予定または受信された信号の処理を実装し、物理制御チャンネル、物理データチャネル、物理ブロードキャストチャネル、参照信号などに対して別個の処理を実行するよう構成される。
【００７１】
任意選択の方式において、ネットワークデバイスは、マルチユーザスケジューリングおよびリソース割り当て、パイロットスケジューリング、ユーザ物理層パラメータ構成などを実行するよう構成される制御部を更に含み得る。
【００７２】
例えば、端末は、アンテナ、デュプレクサ、送信機（ＴＸ）、受信機（ＲＸ）（場合により、ＴＸおよびＲＸはまとめて送受信機ＴＲＸと呼ばれる）、および、ベースバンド処理部を含み得る。図２において、端末は単一のアンテナを有する。また、端末は複数のアンテナ（アンテナアレイ）を有し得ることを理解されたい。
【００７３】
デュプレクサは、アンテナアレイを実装するよう構成され、信号を送信および受信するよう構成される。ＴＸは、無線周波数信号とベースバンド信号との間の変換を実装するよう構成される。ＴＸは通常、ＰＡと、ＤＡＣと、周波数変換器とを含み得る。ＲＸは通常、ＬＮＡと、ＡＤＣと、周波数変換器とを含み得る。ベースバンド処理部は、レイヤマッピング、プリコーディング、変調／復調、符号化／復号などの、送信予定または受信された信号の処理を実装し、物理制御チャンネル、物理データチャネル、物理ブロードキャストチャネル、参照信号などに対して別個の処理を実行するよう構成される。
【００７４】
任意選択の方式において、端末は、アップリンク物理リソースを要求し、ダウンリンクチャネルに対応するチャネル状態情報（Ｃｈａｎｎｅｌ  Ｓｔａｔｅ  Ｉｎｆｏｒｍａｔｉｏｎ、ＣＳＩ）を算出し、ダウンリンクデータパケットの受信に成功したかどうかなどを決定するよう構成される制御部も含み得る。
【００７５】
図４は、本願の実施形態に係る疑似コロケーション情報構成方法の概略フローチャートである。図４に示されるように、方法は以下の段階を含む。
【００７６】
Ｓ１０１：ネットワークデバイスがＱＣＬビーム情報を決定し、ＱＣＬビーム情報は、参照信号アンテナポートとの疑似コロケーションＱＣＬ関係を有するビーム情報を含む。
【００７７】
本願の本実施形態において、ＱＣＬビーム情報は、ビーム識別子、ビームアンテナポート情報または他のビーム関連情報であり得る。
【００７８】
本願の本実施形態において、ＱＣＬビーム情報は、参照信号アンテナポートとのＱＣＬ関係を有するビーム情報である。１または複数のＱＣＬビーム情報があり得る。
【００７９】
Ｓ１０２：ネットワークデバイスがＱＣＬビーム情報を送信し、端末がＱＣＬビーム情報を受信する。
【００８０】
Ｓ１０３：端末は、参照信号アンテナポートとの疑似コロケーションＱＣＬ関係を有する、ＱＣＬビーム情報に含まれるビーム情報に基づいて、参照信号アンテナポートとのＱＣＬ関係を有するビームを決定し得る。
【００８１】
更に、端末は、ビームを通じて送信される送信済み参照信号を決定し、決定された送信済み参照信号に基づいて大規模チャネル特性推定を実行し得る。
【００８２】
本願の本実施形態は、以下の任意選択の方式を使用することによって説明されることを理解されたい。ネットワークデバイスは、参照信号アンテナポートとの疑似コロケーションＱＣＬ関係を有するビーム情報を構成し、ビーム情報に対応するビーム、および、参照信号アンテナポートに対応する参照信号を送信し、端末は、ビーム情報、ビームおよび参照信号を受信する（端末は、ビームに基づいて、受信された参照信号の大規模チャネル特性を決定する）。
【００８３】
別の可能な設計において、ネットワークデバイスは、参照信号アンテナポートとの疑似コロケーションＱＣＬ関係を有するビーム情報を構成し、端末は、ビーム情報を受信し、ビーム情報に対応するビーム、および、参照信号アンテナポートに対応する参照信号を送信する。このように、ネットワークデバイスは、ビームに基づいて、受信された参照信号の大規模チャネル特性を決定し得る。
【００８４】
別の可能な設計において、ネットワークデバイスは、参照信号アンテナポートとの疑似コロケーションＱＣＬ関係を有するビーム情報を構成し、ビーム情報に対応するビームを送信し、端末は、ビーム情報およびビームを受信し、参照信号アンテナポートに対応する参照信号を送信する。このように、端末は、ビームに基づいて送信済み参照信号の大規模チャネル特性を決定し得る。この設計は、チャネル間に相反性が存在するシナリオに適用され得る。
【００８５】
別の可能な設計において、ネットワークデバイスは、参照信号アンテナポートとの疑似コロケーションＱＣＬ関係を有するビーム情報を構成し、端末は、ビーム情報を受信し、ビーム情報に対応するビームを送信し、ネットワークデバイスは、参照信号アンテナポートに対応する参照信号を送信する。このように、ネットワークデバイスは、ビームに基づいて、送信済み参照信号の大規模チャネル特性を決定し得る。この設計は、チャネル間に相反性が存在するシナリオに適用され得る。
【００８６】
別の可能な設計において、端末は、参照信号アンテナポートとの疑似コロケーションＱＣＬ関係を有するビーム情報をネットワークデバイスへ送信し、ビーム情報に対応するビーム、および、参照信号アンテナポートに対応する参照信号を送信し、ネットワークデバイスは、ビーム情報、ビーム情報に対応するビーム、および、参照信号アンテナポートに対応する参照信号を受信する。このように、ネットワークデバイスは、ビームに基づいて、受信された参照信号の大規模チャネル特性を決定し得る。
【００８７】
別の可能な設計において、チャネル間に相反性が存在するとき、端末は、参照信号アンテナポートとの疑似コロケーションＱＣＬ関係を有するビーム情報をネットワークデバイスへ送信し、ビーム情報に対応するビームを送信し、ネットワークデバイスは、ビーム情報、および、ビーム情報に対応するビームを受信し、参照信号アンテナポートに対応する参照信号を送信する。このように、ネットワークデバイスは、ビームに基づいて、送信済み参照信号の大規模チャネル特性を決定し得る。この設計は、チャネル間に相反性が存在するシナリオに適用され得る。
【００８８】
別の可能な設計において、参照信号アンテナポートとの疑似コロケーションＱＣＬ関係を有するビーム情報がプロトコルにおいて予め定義される。この場合、端末およびネットワークデバイスは、参照信号アンテナポートとビーム情報との間にＱＣＬ関係が存在することを示す（構成される必要がない）対応情報を有する。ビーム情報に対応するビームは、ネットワークデバイスによって端末へ送信され得る、または、端末によってネットワークデバイスへ送信され得る。参照信号アンテナポートに対応する参照信号は、ネットワークデバイスによって端末へ送信され得る、または、端末によってネットワークデバイスへ送信され得る。
【００８９】
本願の実施形態における解決法は、上述の可能な設計にも適用され得て、これに対応して、本願の実施形態において提供される対応する機器（例えば、ネットワークデバイス、端末および通信チップ）は変化し得る。詳細はここでは説明しない。
【００９０】
ネットワークデバイスが端末のためにＱＣＬビーム情報を構成する具体的な実装プロセスが、本願の本実施形態において以下で説明される。
【００９１】
本願の本実施形態において、ネットワークデバイスは、端末へ送信されるＲＲＣシグナリングを通じてＱＣＬビーム情報を構成し得て、例えば、ＲＲＣシグナリングにおいて、ＱＣＬビーム情報を含むＱＣＬ指示情報を構成し得る。端末は、ＲＲＣシグナリングを通じて、ネットワークデバイスからのＱＣＬビーム情報を受信する。端末は、ＲＲＣシグナリングを解析してＱＣＬビーム情報を取得し、ＱＣＬビーム情報に含まれる、参照信号アンテナポートとのＱＣＬ関係を有するビーム情報に基づいて、参照信号アンテナポートとのＱＣＬ関係を有するビームを決定し、大規模チャネル特性推定を実行し得る。可能な設計において、参照信号アンテナポートの大規模特性は、参照信号アンテナポートとのＱＣＬ関係を有する、決定されたビームに基づいて決定され得る。
【００９２】
具体的には、本願の本実施形態において、ＱＣＬビーム情報は、ＲＲＣシグナリングにおいて、元のＱＣＬ指示情報に追加され得る。元のＱＣＬ指示情報は、本願の本実施形態において提供されるＱＣＬ情報構成方法の適用前に構成される、ＱＣＬビーム情報を含まないＱＣＬ指示情報である。例えば、ＲＲＣシグナリングにおける元のＱＣＬ指示情報のシグナリングは、以下の方式で構成され得る。
PDSCH-RE-MappingQCL-Config-r11 ::= SEQUENCE {
pdsch-RE-MappingQCL-ConfigId-r11
PDSCH-RE-MappingQCL-ConfigId-r11,
optionalSetOfFields-r11       SEQUENCE {
crs-PortsCount-r11        ENUMERATED {n1, n2, n4, spare1},
crs-FreqShift-r11        INTEGER (0..5),
mbsfn-SubframeConfigList-r11    CHOICE {
release        NULL,
setup        SEQUENCE {
subframeConfigList      MBSFN-SubframeConfigList
}
}            OPTIONAL,    -- Need ON
pdsch-Start-r11    ENUMERATED {reserved, n1, n2, n3, n4, assigned}
}            OPTIONAL,    -- Need OP
csi-RS-ConfigZPId-r11    CSI-RS-ConfigZPId-r11,
qcl-CSI-RS-ConfigNZPId-r11     CSI-RS-ConfigNZPId-r11    OPTIONAL,-- Need OR
...
}
【００９３】
本願の本実施形態において、元のＱＣＬ指示情報の上述のシグナリングにおいて、ＰＤＳＣＨ−ＲＥ−ＭａｐｐｉｎｇＱＣＬ−Ｃｏｎｆｉｇは、物理ダウンリンク共有チャネルリソース要素マッピングおよびＱＣＬ構成パラメータを示す。ｐｄｓｃｈ−ＲＥ−ＭａｐｐｉｎｇＱＣＬ−ＣｏｎｆｉｇＩｄ−ｒ１１は、物理ダウンリンク共有チャネルリソース要素マッピングおよびＱＣＬ構成パラメータに含まれる物理ダウンリンク共有チャネルリソース要素マッピングおよびＱＣＬ構成識別子を示す。ＰＤＳＣＨ−ＲＥ−ＭａｐｐｉｎｇＱＣＬ−ＣｏｎｆｉｇＩｄ−ｒ１１は、物理ダウンリンク共有チャネルリソース要素マッピングおよびＱＣＬ構成識別子の値はＰＤＳＣＨ−ＲＥ−ＭａｐｐｉｎｇＱＣＬ−ＣｏｎｆｉｇＩｄ−ｒ１１であると示す。
【００９４】
ｑｃｌ−ＣＳＩ−ＲＳ−ＣｏｎｆｉｇＮＺＰＩｄは、データアンテナポートとのＱＣＬ関係を有する非ゼロパワー（Ｎｏｎ  Ｚｅｒｏ  Ｐｏｗｅｒ、ＮＺＰ）ＣＳＩ−ＲＳ構成識別子を示す。
【００９５】
本願の本実施形態において、元のＱＣＬ指示情報に追加されたＱＣＬビーム情報は、ビーム識別子情報、ビームアンテナポート情報または他のビーム関連情報であり得る。ビーム識別子情報はビーム同期信号識別子情報であり得る。本願の本実施形態において、ＲＲＣシグナリングにおいてＱＣＬビーム情報が元のＱＣＬ指示情報に追加された後に取得されるシグナリングは、以下の方式で構成され得る。
PDSCH-RE-MappingQCL-Config-r11 ::= SEQUENCE {
pdsch-RE-MappingQCL-ConfigId-r11
PDSCH-RE-MappingQCL-ConfigId-r11,
optionalSetOfFields-r11                  SEQUENCE {
crs-PortsCount-r11        ENUMERATED {n1, n2, n4, spare1},
crs-FreqShift-r11        INTEGER (0..5),
mbsfn-SubframeConfigList-r11    CHOICE {
release        NULL,
setup        SEQUENCE {
subframeConfigList   MBSFN-SubframeConfigList
}
}            OPTIONAL,    -- Need ON
pdsch-Start-r11    ENUMERATED {reserved, n1, n2, n3, n4, assigned}
}            OPTIONAL,    -- Need OP
csi-RS-ConfigZPId-r11    CSI-RS-ConfigZPId-r11,
qcl-CSI-RS-ConfigNZPId-r11     CSI-RS-ConfigNZPId-r11
OPTIONAL,-- Need OR
qcl-beam-ConfigId    beam-ConfigId         OPTIONAL,-- Need OR
(qcl-beam-RS ports        beam-RS ports            OPTIONAL,-- Need OR)
...
}
【００９６】
ＲＲＣシグナリングにおけるＱＣＬ指示情報の上述のシグナリングを元のＱＣＬ指示情報のシグナリングと比較すると、ＱＣＬビーム情報が追加されている。追加されたＱＣＬビーム情報はＱｃｌ−ｂｅａｍ−ＣｏｎｆｉｇＩｄまたはｑｃｌ−ｂｅａｍ−ＲＳ  ｐｏｒｔｓであり、Ｑｃｌ−ｂｅａｍ−ＣｏｎｆｉｇＩｄは、ＱＣＬ関係を有するビーム識別子情報を示し、ｑｃｌ−ｂｅａｍ−ＲＳ  ｐｏｒｔｓは、ＱＣＬ関係を有するビームアンテナポート情報を示す。
【００９７】
任意選択で、本願の本実施形態において、複数の組（少なくとも１つの組）のＱＣＬビーム情報が元のＱＣＬ指示情報に追加され得て、これにより、参照信号とのＱＣＬ関係を有する複数の組のＱＣＬビーム情報が、同一のＴＲＰにおける参照信号のために構成される。
【００９８】
本願の本実施形態において、ネットワークデバイスがＲＲＣシグナリングを通じて少なくとも１つの組のＱＣＬビーム情報を構成して端末へ送信する場合、ネットワークデバイスは、ダウンリンク制御情報（Ｄｏｗｎｌｉｎｋ  Ｃｏｎｔｒｏｌ  Ｉｎｆｏｒｍａｔｉｏｎ、ＤＣＩ）を通じて、端末によって現在使用されている参照信号に適用可能なＱＣＬビームを示し得る。現在使用されている参照信号に適用可能なＱＣＬビームは、参照信号アンテナポートとのＱＣＬ関係を有するビーム情報である。端末は、ＲＲＣシグナリングを通じて、ネットワークデバイスからの少なくとも１つの組のＱＣＬビーム情報を受信し、ＤＣＩ指示に従って、現在使用される参照信号に適用可能なＱＣＬビームを決定する。
【００９９】
説明を簡単にするために、端末のＱＣＬビーム情報を示すために使用されるＤＣＩは、本願の本実施形態において第１ＤＣＩと呼ばれ得る。
【０１００】
本願の本実施形態において、ＲＲＣシグナリングにおいてＱＣＬビーム情報を元のＱＣＬ指示情報に追加することは、以下の２つの方式で実装され得ることを理解されたい。
【０１０１】
第１実装において、ＱＣＬビーム情報は、データリソースマッピング（ＰＤＳＣＨ  ＲＥ  Ｍａｐｐｉｎｇ）およびＱＣＬ構成情報に追加され、これにより、ＱＣＬビーム情報がＲＲＣシグナリングに追加されたことを示すために使用されるパラメータ情報は物理層プロトコルに追加される。
【０１０２】
別の実装において、ＱＣＬビーム情報は非ゼロパワー（Ｎｏｎ  Ｚｅｒｏ  Ｐｏｗｅｒ、ＮＺＰ）ＣＳＩ−ＲＳ構成パラメータに追加され、ＣＳＩ−ＲＳのＱＣＬビーム情報を示す。
【０１０３】
ＲＲＣシグナリングを通じてＱＣＬビーム情報を送信する２つの具体的な実装プロセスは、本願の本実施形態における任意選択の方式として、実際の適用に関連して以下で説明される。
【０１０４】
本願の本実施形態において、ＱＣＬビーム情報をデータリソースマッピングおよびＱＣＬ構成パラメータに追加する実装プロセスを説明するべく、参照信号がＤＭＲＳである任意選択の方式を最初に使用する。
【０１０５】
本願の本実施形態において、ネットワークデバイスは、ＰＤＳＣＨ  ＲＥ  ＭａｐｐｉｎｇおよびＰＤＳＣＨアンテナポートＱＣＬ構成パラメータを使用して、端末がデータを送信するＤＭＲＳアンテナポートとのＱＣＬ関係を有するＱＣＬビーム情報を構成し得る。ＱＣＬビーム情報は、ＱＣＬビーム識別子、ＱＣＬビームアンテナポート情報または他のビーム関連情報を含む。ネットワークデバイスは、端末がデータを送信するＤＭＲＳアンテナポートとのＱＣＬ関係を有するＱＣＬビーム情報を端末へ送信し、これにより、端末は、データが送信されるＤＭＲＳアンテナポートとのＱＣＬ関係を有するビームを取得し、更に、ビームを通じて送信される送信済み参照信号を決定し、決定された送信済み参照信号に基づいて大規模チャネル特性推定を実行する。
【０１０６】
本願の本実施形態において、ＱＣＬビーム情報が追加された後に取得されるＰＤＳＣＨ  ＲＥ  ＭａｐｐｉｎｇおよびＰＤＳＣＨアンテナポートＱＣＬ構成パラメータの任意選択の方式は以下の通りである。追加されたＱＣＬビーム情報はＱｃｌ−ｂｅａｍ−ＣｏｎｆｉｇＩｄまたはｑｃｌ−ｂｅａｍ−ＲＳ  ｐｏｒｔｓであり、Ｑｃｌ−ｂｅａｍ−ＣｏｎｆｉｇＩｄは、ＱＣＬ関係を有するビーム識別子情報を示し、ｑｃｌ−ｂｅａｍ−ＲＳ  ｐｏｒｔｓは、ＱＣＬ関係を有するビームアンテナポート情報を示す。
【０１０７】
ＣＲＳアンテナポートの数：ｃｒｓ−ＰｏｒｔｓＣｏｕｎｔ−ｒ１１
−ＣＲＳ周波数オフセット：ｃｒｓ−ＦｒｅｑＳｈｉｆｔ−ｒ１１
−マルチキャスト／単一周波数ネットワークサブフレーム構成：ｍｂｓｆｎ−ＳｕｂｆｒａｍｅＣｏｎｆｉｇＬｉｓｔ−ｒ１１
−ゼロパワー（Ｚｅｒｏ  Ｐｏｗｅｒ、ＺＰ）ＣＳＩ−ＲＳ構成識別子：ｃｓｉ−ＲＳ−ＣｏｎｆｉｇＺＰＩｄ−ｒ１１
−ｐｄｓｃｈ開始点：ｐｄｓｃｈ−Ｓｔａｒｔ−ｒ１１
−データアンテナポートとのＱＣＬ関係を有するＮＺＰＣＳＩ−ＲＳ構成識別子：ｑｃｌ−ＣＳＩ−ＲＳ−ＣｏｎｆｉｇＮＺＰＩｄ−ｒ１１
−ＱＣＬビーム情報：Ｑｃｌ−ｂｅａｍ−ＣｏｎｆｉｇＩｄ（ｑｃｌ−ｂｅａｍ−ＲＳ  ｐｏｒｔｓ）
【０１０８】
更に、元のＰＤＳＣＨ  ＲＥ  ＭａｐｐｉｎｇおよびＰＤＳＣＨアンテナポートＱＣＬ構成パラメータの数は限定され、ＱＣＬビーム情報をＰＤＳＣＨ  ＲＥ  ＭａｐｐｉｎｇおよびＰＤＳＣＨアンテナポートＱＣＬ構成パラメータに追加するための要求を満たすには不十分であり得る。したがって、追加されたＱＣＬビーム情報を十分なビットが示すことを確実にするべく、ＰＤＳＣＨ  ＲＥ  ＭａｐｐｉｎｇおよびＰＤＳＣＨアンテナポートＱＣＬ構成パラメータを示すための、ＤＣＩにおけるビットは拡張される必要がある。例えば、ネットワークデバイスは現在、４つの異なるＰＤＳＣＨ  ＲＥ  ＭａｐｐｉｎｇおよびＰＤＳＣＨアンテナポートＱＣＬ構成パラメータのセットを端末のために構成できると想定する。ネットワークデバイスが現在４つのビームを形成できる場合、各ビームは、４つのパラメータのセットを有し得て、具体的には、合計で１６のＰＤＳＣＨ  ＲＥ  ＭａｐｐｉｎｇおよびＰＤＳＣＨアンテナポートＱＣＬ構成パラメータが必要となる。したがって、ＰＤＳＣＨ  ＲＥ  ＭａｐｐｉｎｇおよびＰＤＳＣＨアンテナポートＱＣＬ構成パラメータを示すための、ＤＣＩにおける指示フィールドにおけるビットは、１６のＰＤＳＣＨ  ＲＥ  ＭａｐｐｉｎｇおよびＰＤＳＣＨアンテナポートＱＣＬ構成パラメータを示すために、少なくとも４ビットに拡張される必要がある。例えば、ＰＤＳＣＨ  ＲＥ  ＭａｐｐｉｎｇおよびＰＤＳＣＨアンテナポートＱＣＬ構成パラメータは、ＤＣＩにおける指示フィールドにおけるビットが表１に示される４ビットである指示方式で示され得る。  ［表１］
【表１】
2019533390.tif 000013
【０１０９】
ＱＣＬビーム識別子情報またはＱＣＬビームアンテナポート情報をＮＺＰ  ＣＳＩ−ＲＳ構成パラメータに追加するプロセスを説明するために、本願の本実施形態において、参照信号がＣＳＩ−ＲＳである任意選択の方式が以下で使用される。
【０１１０】
本願の本実施形態において、ＱＣＬビーム情報は、ＲＲＣシグナリングのＱＣＬ指示情報内のＮＺＰ  ＣＳＩ−ＲＳリソース構成情報（ＣＳＩ−ＲＳ−ＣｏｎｆｉｇＮＺＰ）に追加され得る。ＱＣＬビーム情報は、ＣＳＩ−ＲＳアンテナポートとのＱＣＬ関係を有するＱＣＬビーム識別子情報、ＱＣＬビームアンテナポート情報または他のビーム関連情報を示すために使用され、これにより、端末によって使用される参照信号（例えばＣＳＩ−ＲＳ）のＱＣＬビーム情報を示す。本願の本実施形態において、ＱＣＬビーム情報は、ＮＺＰ  ＣＳＩ−ＲＳリソース構成情報に追加され得て、具体的なシグナリングは以下の通り構成され得る。
-- ASN1START
CSI-RS-ConfigNZP-r11 ::=        SEQUENCE {
csi-RS-ConfigNZPId-r11            CSI-RS-ConfigNZPId-r11,
antennaPortsCount-r11            ENUMERATED {an1, an2, an4, an8},
resourceConfig-r11                INTEGER (0..31),
qcl_beam_ConfigId                             beam-ConfigId
OPTIONAL,-- Need
(qcl-beam-RS ports        beam-RS ports           OPTIONAL,-- Need OR)
subframeConfig-r11                INTEGER (0..154),
scramblingIdentity-r11            INTEGER (0..503),        qcl-CRS-Info-r11                SEQUENCE {
qcl-ScramblingIdentity-r11        INTEGER (0..503),
crs-PortsCount-r11                ENUMERATED {n1, n2, n4, spare1},
mbsfn-SubframeConfigList-r11    CHOICE {
release                        NULL,
setup                        SEQUENCE {
subframeConfigList            MBSFN-SubframeConfigList
}
}                                    OPTIONAL    -- Need ON
}                                    OPTIONAL,    -- Need OR
...,
[[    eMIMO-Info-r13                    CHOICE {
release                        NULL,
setup                        SEQUENCE {
nzp-resourceConfigList-r13    SEQUENCE (SIZE (2..8)) OF ResourceConfig-r13,
cdmType                    ENUMERATED {cdm2, cdm4}    OPTIONAL    -- Need OR
}
}                                OPTIONAL    -- Need ON
]]
}
ResourceConfig-r13 ::=    INTEGER (0..31)
-- ASN1STOP
【０１１１】
ＱＣＬビーム情報は、ＮＺＰ  ＣＳＩ−ＲＳリソース構成情報（ＣＳＩ−ＲＳ−ＣｏｎｆｉｇＮＺＰ）におけるＮＺＰ  ＣＳＩ−ＲＳ構成識別子（ｃｓｉ−ＲＳ−ＣｏｎｆｉｇＮＺＰＩｄ）に追加され、追加されたＱＣＬビーム情報のシグナリングはＱｃｌ−ｂｅａｍ−ＣｏｎｆｉｇＩｄまたはｑｃｌ−ｂｅａｍ−ＲＳ  ｐｏｒｔｓであり、Ｑｃｌ−ｂｅａｍ−ＣｏｎｆｉｇＩｄは、ＱＣＬ関係を有するビーム識別子情報を示し、ｑｃｌ−ｂｅａｍ−ＲＳ  ｐｏｒｔｓは、ＱＣＬ関係を有するビームアンテナポート情報を示す。
【０１１２】
更に、ネットワークデバイスは現在、ＲＲＣシグナリングを通じて、１つのＴＲＰにおいて、端末のために、複数のＣＳＩ−ＲＳリソース構成情報を構成する。ＣＳＩ−ＲＳリソース構成情報の各々は、１つのＣＳＩ−ＲＳ−ＣｏｎｆｉｇＮＺＰＩｄに対応し、ＣＳＩ−ＲＳリソースのアンテナポートの数、リソース構成、サブフレーム構成、スクランブリング識別子、ＣＳＩ−ＲＳとＣＲＳとの間のＱＣＬ関係などを示し得る。端末は、ＣＳＩ−ＲＳアンテナポートとＣＲＳアンテナポートとの間のＱＣＬ対応関係に基づいて、ＤＭＲＳに対応するＣＲＳアンテナポートを取得し得て、ＣＲＳを決定し、大規模チャネル特性推定を実行する。したがって、本願の本実施形態において、参照信号がＤＭＲＳである場合、ＤＭＲＳのＱＣＬビーム情報は、ＱＣＬビーム情報が追加されたＣＳＩ−ＲＳ−ＣｏｎｆｉｇＮＺＰＩｄに対応するＣＳＩ−ＲＳリソース構成情報によって示され得て、ＤＭＲＳアンテナポートとのＱＣＬ関係を有するＱＣＬビーム情報は、ＣＳＩ−ＲＳ−ＣｏｎｆｉｇＮＺＰＩｄに対応するＣＳＩ−ＲＳリソース構成情報に含まれるＱＣＬビーム情報である。ＱＣＬビーム情報が追加されたＣＳＩ−ＲＳ−ＣｏｎｆｉｇＮＺＰＩｄを受信した後に、端末は、ＣＳＩ−ＲＳ−ＣｏｎｆｉｇＮＺＰＩｄに対応するＣＳＩ−ＲＳリソース構成情報におけるＱＣＬビーム情報に基づいて、ＤＭＲＳとのＱＣＬ関係を有するビーム情報を決定し得て、ビーム信号を決定し、大規模チャネル特性推定を実行する。ＱＣＬビーム情報が追加されたＣＳＩ−ＲＳ−ＣｏｎｆｉｇＮＺＰＩｄに対応するＣＳＩ−ＲＳリソース構成情報は、ＲＲＣシグナリングを通じて送信され得て、ＤＭＲＳアンテナポートとのＱＣＬ関係を有するＱＣＬビーム情報は、ＤＣＩにおいてＰＤＳＣＨ  ＲＥ  ＭａｐｐｉｎｇおよびＰＤＳＣＨアンテナポートＱＣＬ構成パラメータを示すための指示フィールドにおいて示されるＰＤＳＣＨ  ＲＥ  ＭａｐｐｉｎｇおよびＰＤＳＣＨアンテナポートＱＣＬ構成パラメータにおけるＣＳＩ−ＲＳ−ＣｏｎｆｉｇＮＺＰＩｄを使用することによって決定され得ることを、具体的な例から理解できる。
【０１１３】
任意選択で、本願の本実施形態において、ネットワークデバイスは、参照信号アンテナポートを通じて参照信号を送信するために使用される時間領域リソースおよび／または周波数領域リソースに基づいて、時間領域リソースおよび／または周波数領域リソースにおける参照信号アンテナポートとのＱＣＬ関係を有するＱＣＬビーム情報を決定し、時間領域リソースおよび／または周波数領域リソースにおける参照信号アンテナポートとのＱＣＬ関係を有するＱＣＬビーム情報を端末に送信し得る。端末は、時間領域リソースおよび／または周波数領域リソースにおける参照信号アンテナポートとのＱＣＬ関係を有する、ネットワークデバイスからのＱＣＬビーム情報を受信する。
【０１１４】
具体的には、ネットワークデバイスは、参照信号によって使用される周波数領域リストにおける周波数領域リソースのためのＱＣＬビーム情報を追加して、参照信号の周波数領域ＱＣＬビーム情報リストを形成し得る。周波数領域ＱＣＬビーム情報リストは、少なくとも１つの周波数領域リソースにおける参照信号アンテナポートとのＱＣＬ関係を有する少なくとも１つのＱＣＬビーム情報を含む。ネットワークデバイスは、参照信号によって使用される時間領域リストにおける時間領域リソースのためのＱＣＬビーム情報を追加して参照信号の時間領域ＱＣＬビーム情報リストを形成し得る。時間領域ＱＣＬビーム情報リストは、少なくとも１つの時間領域リソースにおける参照信号アンテナポートとのＱＣＬ関係を有する少なくとも１つのＱＣＬビーム情報を含む。ネットワークデバイスは、参照信号によって使用される時間周波数領域リソースリストにおける時間周波数領域リソースのためのＱＣＬビーム情報を追加して参照信号の時間周波数領域ＱＣＬビーム情報リストを形成し得る。時間周波数領域ＱＣＬビーム情報リストは、少なくとも１つの時間周波数領域リソースにおける参照信号アンテナポートとのＱＣＬ関係を有する少なくとも１つのＱＣＬビーム情報を含む。時間周波数領域リソースは、互いに一対一の対応関係を有する時間領域リソースおよび周波数領域リソースである。
【０１１５】
ＣＳＩ−ＲＳシグナリングを構成する任意選択の方式が使用される。本願の本実施形態において、時間領域リスト、時間領域ＱＣＬビーム情報リスト、周波数領域ＱＣＬビーム情報リスト、および、時間周波数領域ＱＣＬビーム情報リストを有するシグナリングを構成する具体的な構成方式は、以下の通りであり得る。
-- ASN1START
CSI-RS-ConfigNZP-r11 ::=        SEQUENCE {
csi-RS-ConfigNZPId-r11            CSI-RS-ConfigNZPId-r11,
antennaPortsCount-r11            ENUMERATED {an1, an2, an4, an8},
resourceConfig-r11                INTEGER (0..31),
qcl_beam_ConfigId-List          sequence(size(2..N))of beam-ConfigId
OPTIONAL,-- Need OR
(qcl-beam-RS ports-List                beam-RS ports
OPTIONAL,-- Need OR)
frequencyConfigList             sequence (size(2..N))of BIT STRING
OPTIONAL,-- Need OR
subframeConfigList            sequence(size(2..N))of INTEGER (0..154)
OPTIONAL,-- Need OR
time-frequencyConfigList    sequence(size(2..N))of INTEGER (0..154) OPTIONAL,--
Need OR
subframeConfig-r11                INTEGER (0..154),
scramblingIdentity-r11            INTEGER (0..503),            qcl-CRS-Info-r11                SEQUENCE {
qcl-ScramblingIdentity-r11        INTEGER (0..503),
crs-PortsCount-r11                ENUMERATED {n1, n2, n4, spare1},
mbsfn-SubframeConfigList-r11    CHOICE {
release                        NULL,
setup                        SEQUENCE {
subframeConfigList        MBSFN-SubframeConfigList
}
}                            OPTIONAL    -- Need ON
}                            OPTIONAL,    -- Need OR
...,
[[    eMIMO-Info-r13                CHOICE {
release                        NULL,
setup                        SEQUENCE {
nzp-resourceConfigList-r13    SEQUENCE (SIZE (2..8)) OF ResourceConfig-r13,
cdmType                ENUMERATED {cdm2, cdm4}    OPTIONAL    -- Need OR
}
}            OPTIONAL    -- Need ON
]]
}
ResourceConfig-r13 ::=    INTEGER (0..31)
-- ASN1STOP
【０１１６】
上述のＣＳＩ−ＲＳシグナリングにおいて、周波数領域位置情報を示すためにｆｒｅｑｕｅｎｃｙＣｏｎｆｉｇＬｉｓｔが使用され、時間領域位置情報を示すためにｓｕｂｆｒａｍｅＣｏｎｆｉｇＬｉｓｔが使用され、時間周波数領域位置情報を示すためにｔｉｍｅ−ｆｒｅｑｕｅｎｃｙＣｏｎｆｉｇＬｉｓｔが使用される。ＱＣＬビーム情報が、ＮＺＰ  ＣＳＩ−ＲＳリソース構成情報（ＣＳＩ−ＲＳ−ＣｏｎｆｉｇＮＺＰ）のＮＺＰ  ＣＳＩ−ＲＳ構成識別子（ｃｓｉ−ＲＳ−ＣｏｎｆｉｇＮＺＰＩｄ）に追加され、追加されたＱＣＬビーム情報は、Ｑｃｌ−ｂｅａｍ−ＣｏｎｆｉｇＩｄ−Ｌｉｓｔまたはｑｃｌ−ｂｅａｍ−ＲＳ  ｐｏｒｔｓ−Ｌｉｓｔである。
【０１１７】
Ｑｃｌ−ｂｅａｍ−ＣｏｎｆｉｇＩｄ−Ｌｉｓｔまたはｑｃｌ−ｂｅａｍ−ＲＳ  ｐｏｒｔｓ−ＬｉｓｔがｆｒｅｑｕｅｎｃｙＣｏｎｆｉｇＬｉｓｔに対応するとき、Ｑｃｌ−ｂｅａｍ−ＣｏｎｆｉｇＩｄ−Ｌｉｓｔまたはｑｃｌ−ｂｅａｍ−ＲＳ  ｐｏｒｔｓ−Ｌｉｓｔは周波数領域ＱＣＬビーム情報リストを表す。
【０１１８】
Ｑｃｌ−ｂｅａｍ−ＣｏｎｆｉｇＩｄ−Ｌｉｓｔまたはｑｃｌ−ｂｅａｍ−ＲＳ  ｐｏｒｔｓ−ＬｉｓｔがｓｕｂｆｒａｍｅＣｏｎｆｉｇＬｉｓｔに対応するとき、Ｑｃｌ−ｂｅａｍ−ＣｏｎｆｉｇＩｄ−Ｌｉｓｔまたはｑｃｌ−ｂｅａｍ−ＲＳ  ｐｏｒｔｓ−Ｌｉｓｔは時間領域ＱＣＬビーム情報リストを表す。
【０１１９】
Ｑｃｌ−ｂｅａｍ−ＣｏｎｆｉｇＩｄ−Ｌｉｓｔまたはｑｃｌ−ｂｅａｍ−ＲＳ  ｐｏｒｔｓ−Ｌｉｓｔがｔｉｍｅ−ｆｒｅｑｕｅｎｃｙＣｏｎｆｉｇＬｉｓｔに対応するとき、Ｑｃｌ−ｂｅａｍ−ＣｏｎｆｉｇＩｄ−Ｌｉｓｔまたはｑｃｌ−ｂｅａｍ−ＲＳ  ｐｏｒｔｓ−Ｌｉｓｔは時間周波数領域ＱＣＬビーム情報リストを表す。
【０１２０】
本願の本実施形態において、ネットワークデバイスは、時間領域ＱＣＬビーム情報リスト、周波数領域ＱＣＬビーム情報リストおよび時間周波数領域ＱＣＬビーム情報リストのうち少なくとも１つを端末へ送信する。端末は、ネットワークデバイスからの時間領域ＱＣＬビーム情報リスト、周波数領域ＱＣＬビーム情報リストおよび時間周波数領域ＱＣＬビーム情報リストのうち少なくとも１つを受信する。ネットワークデバイスが周波数領域ＱＣＬビーム情報リストを端末へ送信した後に、端末は、異なる周波数帯における参照信号のＱＣＬビームを決定してから、異なる周波数帯において大規模チャネル特性推定を実行し得る。ネットワークデバイスが、時間領域ＱＣＬビーム情報リストを含むＱＣＬ指示情報を端末へ送信した後に、端末は、異なるサブフレーム、タイムスロットまたは他の時間単位における参照信号のＱＣＬビームを決定してから、異なるサブフレーム、タイムスロットまたは他の時間単位において大規模チャネル特性推定を実行し得る。ネットワークデバイスが時間周波数領域ＱＣＬビーム情報リストを端末へ送信した後に、端末は、異なる時間周波数領域リソースにおける参照信号のＱＣＬビームを決定してから、異なる時間周波数領域において大規模チャネル特性推定を実行し得る。
【０１２１】
本願の本実施形態において、ネットワークデバイスは、上述の方式で、ＱＣＬビーム情報を含むＲＲＣシグナリングを構成した後に、構成されたＲＲＣシグナリングを端末へ送信し得る。端末は、ＲＲＣシグナリングを受信した後に、ＲＲＣシグナリングにおけるＱＣＬビーム情報を使用することによって、参照信号アンテナポートとのＱＣＬ関係を有するビームを決定し、更に、ビームを通じて送信される送信済み参照信号を決定し、決定された送信済み参照信号に基づいて大規模チャネル特性推定を実行し得る。
【０１２２】
本願の本実施形態において、ネットワークデバイスは、以下の方式で端末のためにＱＣＬビーム情報を構成し得る。
【０１２３】
ネットワークデバイスは、本願の本実施形態において、ＤＣＩを通じてＱＣＬビーム情報を送信し得る。
【０１２４】
具体的には、本願の本実施形態において、ＱＣＬビーム情報は、ネットワークデバイスによって端末へ送信されるＤＣＩに追加され得て、ＱＣＬビーム情報が追加されたＤＣＩは端末へ送信される。端末は、ＤＣＩを通じて、参照信号アンテナポートとのＱＣＬ関係を有するＱＣＬビーム情報を受信する。本願の本実施形態において、ＱＣＬビーム情報をＤＣＩに追加するシグナリング構成方式は以下の通りであり得る。以下の情報はＤＣＩ形式２Ｄを用いて送信される。
PDSCH RE Mapping and Quasi-Co-Location Indicator - 2 bits
qcl_beam_ConfigId   -2bits    (beam ID or beam RS ports)
【０１２５】
上述のＤＣＩシグナリングにおいて、ＱＣＬビーム情報が追加され、追加されたＱＣＬビーム情報はｑｃｌ＿ｂｅａｍ＿ＣｏｎｆｉｇＩｄであり、ここで、ｑｃｌ＿ｂｅａｍ＿ＣｏｎｆｉｇＩｄは、ビーム識別子（ｂｅａｍ  ＩＤ）またはビームアンテナポート情報（ｂｅａｍ  ＲＳ  ｐｏｒｔｓ）であり得る。
【０１２６】
説明を簡単にするために、本願の本実施形態において、ＱＣＬ指示情報を含み、ネットワークデバイスによって端末へ送信されるＤＣＩは、第２ＤＣＩと呼ばれ得る。
【０１２７】
本願の本実施形態において、第２ＤＣＩに追加されたＱＣＬビーム情報は、データを送信するために端末によって現在使用されている参照信号アンテナポートとのＱＣＬ関係を有するビーム情報である。ネットワークデバイスが第２ＤＣＩを端末へ送信した後に、端末は、受信された第２ＤＣＩに基づいて、データを送信するために現在使用されている参照信号アンテナポートとのＱＣＬ関係を有するビーム、および、決定されたビームによって送信された送信済み参照信号を正確に決定し、決定された送信済み参照信号に基づいて大規模チャネル特性推定を実行し得る。
【０１２８】
本願の実施形態における本明細書、特許請求の範囲、および、添付図面における「第１」、「第２」などの用語は、同様の対象物を区別するために使用されるが、必ずしも、特定の順序またはシーケンスを示すわけではないことに留意すべきである。例えば、本願の実施形態における第１ＤＣＩおよび第２ＤＣＩは、異なる閾値を簡便に説明および区別するために使用されるに過ぎず、ＤＣＩに対する限定を構成しない。そのような用語は、適切な状況において交換可能であってよく、これにより、本明細書において記載される本願の実施形態は、本明細書において図示または記載される順序以外の順序で実装できることを理解すべきである。
【０１２９】
上述では主に、端末とネットワークデバイスとの間のインタラクションという観点から、本願の実施形態において提供される解決法を説明する。上述の機能を実装するために、端末およびネットワークデバイスは、機能を実行するための対応するハードウェア構造および／またはソフトウェアモジュールを含むことを理解されたい。本願に開示される実施形態において記載される各例のユニットおよびアルゴリズムのステップに関連して、本願の実施形態は、ハードウェア、または、ハードウェアおよびコンピュータソフトウェアの組み合わせの形態で実装され得る。機能がハードウェアによって実行されるか、または、コンピュータソフトウェアによって駆動されるハードウェアによって実行されるかは、特定の適用、および、技術的解決法の設計上の制約によって決まる。当業者は、特定の適用ごとに説明された機能を実装するために、異なる方法を使用してよいが、当該実装が、本願の実施形態における技術的解決法の範囲を超えるものとみなされるべきではない。
【０１３０】
本願の実施形態において、機能ユニットの区分は、上述の方法の例に基づいて、端末およびネットワークデバイスに対して実行され得る。例えば、各機能ユニットは、対応する機能に基づいた区分を通じて取得されてよい、または、２またはそれより多い機能が１つの処理ユニットに統合されてもよい。統合されたユニットは、ハードウェアの形態で実装されてよく、または、ソフトウェア機能ユニットの形態で実装されてよい。本願の実施形態におけるユニットの区分は、任意選択の方式であり、論理的な機能区分に過ぎず、実際の実装においては別の区分方式であってよいことに留意すべきである。
【０１３１】
統合されたユニットが使用されるとき、図５は、本願の実施形態に係るＱＣＬ情報送信機器１００の概略構造図である。ＱＣＬ情報送信機器１００は、処理ユニット１０１および送信ユニット１０２を含む。処理ユニット１０１は、ＱＣＬビーム情報を決定するよう構成される。ＱＣＬビーム情報は、参照信号アンテナポートとの疑似コロケーションＱＣＬ関係を有するビーム情報を含む。送信ユニット１０２は、処理ユニット１０１によって決定されるＱＣＬビーム情報を送信するよう構成される。
【０１３２】
ＱＣＬビーム情報は、ビーム識別子情報およびビームアンテナポート情報のうち少なくとも１つを含み得る。
【０１３３】
任意選択で、送信ユニット１０２は、以下の方式でＱＣＬビーム情報を送信し得る。ＱＣＬビーム情報が少なくとも１つの組のＱＣＬビーム情報を含む場合、無線リソース制御ＲＲＣシグナリングを通じて少なくとも１つの組のＱＣＬビーム情報を送信する。
【０１３４】
任意選択で、ＱＣＬビーム情報は、データリソースマッピングおよびＱＣＬ構成情報、および／または、非ゼロパワーチャネル状態情報参照信号構成情報において構成され得る。
【０１３５】
任意選択で、処理ユニット１０１は、参照信号アンテナポートを通じて参照信号を送信するために使用される時間領域リソースおよび／または周波数領域リソースに基づいて、時間領域リソースおよび／または周波数領域リソースにおける参照信号アンテナポートとのＱＣＬ関係を有するＱＣＬビーム情報を決定し得る。送信ユニット１０２は、時間領域リソースおよび／または周波数領域リソースにおける参照信号アンテナポートとのＱＣＬ関係を有するＱＣＬビーム情報を送信する。
【０１３６】
送信ユニット１０２は、時間領域ＱＣＬビーム情報リスト、周波数領域ＱＣＬビーム情報リストおよび時間周波数領域ＱＣＬビーム情報リストのうち少なくとも１つを送信し得る。時間領域ＱＣＬビーム情報リストは、少なくとも１つの時間領域リソースにおける参照信号アンテナポートとのＱＣＬ関係を有する少なくとも１つのＱＣＬビーム情報を含む。周波数領域ＱＣＬビーム情報リストは、少なくとも１つの周波数領域リソースにおける参照信号アンテナポートとのＱＣＬ関係を有する少なくとも１つのＱＣＬビーム情報を含む。時間周波数領域ＱＣＬビーム情報リストは、少なくとも１つの時間周波数領域リソースにおける参照信号アンテナポートとのＱＣＬ関係を有する少なくとも１つのＱＣＬビーム情報を含む。
【０１３７】
送信ユニット１０２は、ダウンリンク制御情報ＤＣＩを通じて、参照信号アンテナポートとのＱＣＬ関係を有するＱＣＬビーム情報を送信し得る。
【０１３８】
任意選択で、ビーム識別子情報はビーム同期信号識別子情報である。
【０１３９】
任意選択で、ビームは、ビームスキャンのための参照信号、ビーム参照信号、ビームスキャンのための参照信号、または、ビーム同期信号である。
【０１４０】
ハードウェアの形態が実装のために使用されるとき、本願の本実施形態において、処理ユニット１０１は、プロセッサまたはコントローラであり得る。送信ユニット１０２は、通信インタフェース、送受信機、送受信回路または同様のものであり得る。通信インタフェースは総称であり、１または複数のインタフェースを含み得る。
【０１４１】
処理ユニット１０１がプロセッサであり、かつ、送信ユニット１０２が送信機であるとき、本願の本実施形態におけるＱＣＬ情報送信機器１００は、図６に示されるネットワークデバイスであり得る。図６に示されるネットワークデバイスは基地局であり得る。
【０１４２】
図６は、本願の実施形態に係るネットワークデバイス１０００の概略構造図である。図６に示されるように、ネットワークデバイス１０００は、プロセッサ１００１および送信機１００２を含む。プロセッサ１００１は、コントローラであり得て、図６において「コントローラ／プロセッサ１００１」として示される。プロセッサ１００１は、ＱＣＬビーム情報の送信および受信方法をネットワークデバイスが実行するのをサポートするための、ネットワークデバイスの機能を有するよう構成される。送信機１００２は、ネットワークデバイスがＱＣＬビーム情報を送信するのをサポートするための機能を有するよう構成される。ネットワークデバイスは、メモリ１００３およびバス１００４を更に含み得る。メモリ１００３は、プロセッサ１００１と結合し、ネットワークデバイスに必要なプログラム命令およびデータを記憶するよう構成される。プロセッサ１００１、メモリ１００３および送信機１００２は、バスシステム１００４を通じて接続される。メモリ１００３は命令を記憶するよう構成される。プロセッサ１００１は、メモリ１００３に記憶された命令を実行して送信機１００２を制御するよう構成され、これにより、信号を送信し、上述の方法においてネットワークデバイスによって実行される対応する機能の段階を実行する。
【０１４３】
本願の本実施形態において、ＱＣＬ情報送信機器１００およびネットワークデバイス１０００において使用され、本願の本実施形態において提供される、技術的解決法に関する概念、説明、詳細な説明、および他の段階については、上述の方法または他の実施形態における内容についての説明を参照されたい。詳細はここでは再度説明しない。
【０１４４】
統合されたユニットが使用されるとき、図７は、本願の実施形態に係るＱＣＬ情報受信機器２００の概略構造図である。ＱＣＬ情報受信機器２００は、受信ユニット２０１および処理ユニット２０２を含む。受信ユニット２０１は、ネットワークデバイスからのＱＣＬビーム情報を受信するよう構成される。ＱＣＬビーム情報は、参照信号アンテナポートとのＱＣＬ関係を有するビーム情報を含む。処理ユニット２０２は、受信ユニット２０１によって受信された、ＱＣＬビーム情報に含まれる、参照信号アンテナポートとのＱＣＬ関係を有するビーム情報に基づいて、参照信号アンテナポートとのＱＣＬ関係を有するビームを決定し、ビームを通じて送信される送信済み参照信号を決定し、決定された送信済み参照信号に基づいて大規模チャネル特性推定を実行するよう構成される。代替的に、処理ユニット２０２は、受信ユニット２０１によって受信された、ＱＣＬビーム情報に含まれる、参照信号アンテナポートとのＱＣＬ関係を有するビーム情報に基づいて、参照信号アンテナポートとのＱＣＬ関係を有するビームを決定するよう構成される。任意選択で、処理ユニット２０２は更に、参照信号アンテナポートとのＱＣＬ関係を有する決定されたビームに基づいて参照信号アンテナポートの大規模特性を決定するよう構成される。
【０１４５】
任意選択で、ＱＣＬビーム情報が少なくとも１つの組のＱＣＬビーム情報を含む場合、受信ユニット２０１は、ＲＲＣシグナリングを通じて、ネットワークデバイスからの少なくとも１つの組のＱＣＬビーム情報を受信する。
【０１４６】
ＱＣＬビーム情報は、データリソースマッピングおよびＱＣＬ構成情報、および／または、非ゼロパワーチャネル状態情報参照信号構成情報において構成され得る。
【０１４７】
任意選択で、参照信号アンテナポートとのＱＣＬ関係を有するＱＣＬビーム情報は、参照信号アンテナポートを通じて参照信号を送信するために使用される時間領域リソースおよび／または周波数領域リソースに基づいて、ネットワークデバイスによって決定される。受信ユニット２０１は、時間領域リソースおよび／または周波数領域リソースにおける参照信号アンテナポートとのＱＣＬ関係を有する、ネットワークデバイスからのＱＣＬビーム情報を受信する。
【０１４８】
受信ユニット２０１は、ネットワークデバイスからの時間領域ＱＣＬビーム情報リスト、周波数領域ＱＣＬビーム情報リストおよび時間周波数領域ＱＣＬビーム情報リストのうち少なくとも１つを受信し得る。
【０１４９】
任意選択で、受信ユニット２０１は、ＤＣＩを通じて、参照信号アンテナポートとのＱＣＬ関係を有するＱＣＬビーム情報を受信し得る。
【０１５０】
任意選択で、ビーム識別子情報はビーム同期信号識別子情報である。
【０１５１】
任意選択で、ビームは、ビームスキャンのための参照信号、ビーム参照信号、ビームスキャンのための参照信号、または、ビーム同期信号である。
【０１５２】
ハードウェアの形態が実装のために使用されるとき、本願の本実施形態において、処理ユニット２０２は、プロセッサまたはコントローラであり得る。受信ユニット２０１は、通信インタフェース、送受信機、送受信回路または同様のものであり得る。通信インタフェースは総称であり、１または複数のインタフェースを含み得る。
【０１５３】
処理ユニット２０２がプロセッサであり、かつ、受信ユニット２０１が受信機であるとき、本願の本実施形態におけるＱＣＬ情報受信機器２００は、図８に示される端末であり得る。
【０１５４】
図８は、本願の実施形態に係る端末２０００の概略構造図である。図８を参照すると、端末２０００は、受信機２００１およびプロセッサ２００２を含む。受信機２００１は、ネットワークデバイスによって送信されるＱＣＬビーム情報を端末が受信するのをサポートするよう構成される。プロセッサ２００２は、ＱＣＬ情報の送信および受信方法を端末が実行するのをサポートするための、端末の機能を有するよう構成される。端末は更に、メモリ２００３および送信機２００４を含み得る。メモリ２００３は、プロセッサ２００２と結合し、端末に必要なプログラム命令およびデータを記憶するよう構成される。送信機２００４は信号を送信するよう構成される。
【０１５５】
本願の本実施形態において、ＱＣＬ情報受信機器２００および端末２０００において使用され、本願の本実施形態において提供される、技術的解決法に関する概念、説明、詳細な説明、および他の段階については、上述の方法または他の実施形態における内容についての説明を参照されたい。詳細はここでは再度説明しない。
【０１５６】
本願の実施形態の添付図面において、ネットワークデバイスおよび端末の簡略化された設計のみが示されることを理解されたい。実際の適用において、ネットワークデバイスおよび端末は上述の構造に限定されない。例えば、端末は更に、表示デバイス、入出力インタフェースなどを含み得て、本願の実施形態を実装できるすべての端末は、本願の実施形態の保護範囲内にある。ネットワークデバイスは更に、任意の数の送信機、受信機、プロセッサ、コントローラ、メモリ、通信ユニットまたは同様のものを含み得て、本願の実施形態を実装できるすべてのネットワークデバイスは、本願の実施形態の保護範囲内にある。
【０１５７】
本願の実施形態におけるプロセッサは、中央演算処理装置（Ｃｅｎｔｒａｌ  Ｐｒｏｃｅｓｓｉｎｇ  Ｕｎｉｔ、ＣＰＵ）、汎用プロセッサ、デジタル信号プロセッサ（Ｄｉｇｉｔａｌ  Ｓｉｇｎａｌ  Ｐｒｏｃｅｓｓｉｎｇ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、または、別のプログラマブル論理デバイス、トランジスタ論理デバイス、ハードウェアコンポーネント、または、それらの組み合わせであり得ることに留意すべきである。プロセッサは、本願に開示される内容に関連して説明される様々な例の論理ブロック、モジュール、回路を実装または実行し得る。代替的に、プロセッサは、例えば、１または複数のマイクロプロセッサの組み合わせ、または、ＤＳＰおよびマイクロプロセッサの組み合わせなど、コンピューティング機能を実装するプロセッサの組み合わせであり得る。
【０１５８】
メモリはプロセッサに統合され得る、または、プロセッサから分離され得る。
【０１５９】
一実装において、受信機および送信機の機能は、送受信回路または専用送受信チップによって実装されるとみなされ得る。プロセッサは、専用処理チップ、処理回路、または、プロセッサもしくは汎用チップによって実装されるとみなされ得る。
【０１６０】
別の実装において、プロセッサ、受信機および送信機の機能を実装するために使用されるプログラムコードは、メモリに記憶される。汎用プロセッサは、メモリ内のコードを実行することにより、プロセッサ、受信機および送信機の機能を実装する。
【０１６１】
本願の実施形態において提供される方法によれば、本願の実施形態は更に、上述のネットワークデバイスおよび１または複数の端末を含む通信システムを提供する。
【０１６２】
本願の実施形態は更に、いくつかの命令を記憶するよう構成されるコンピュータ記憶媒体を提供する。命令が実行されるとき、上述の端末またはネットワークデバイスに関する任意の方法が実行され得る。
【０１６３】
当然、当業者であれば、本願の範囲から逸脱することなく、本願に様々な修正および変形を加えることができる。本願は、以下の特許請求の範囲によって定義される保護範囲内およびその同等な技術に含まれる限り、本願のこれらの修正および変形を包含することを意図する。
（項目１）
通信方法であって、
疑似コロケーションＱＣＬビーム情報を決定する段階であって、上記ＱＣＬビーム情報は、参照信号アンテナポートとの疑似コロケーションＱＣＬ関係を有するビーム情報を含む、段階と、
上記ＱＣＬビーム情報を送信する段階と
を備える方法。
（項目２）
上記ＱＣＬビーム情報は、ビーム識別子情報およびビームアンテナポート情報のうち少なくとも１つを含む、項目１に記載の方法。
（項目３）
上記ＱＣＬビーム情報は、少なくとも１つの組のＱＣＬビーム情報を含み、
上記ＱＣＬビーム情報を送信する上記段階は、
無線リソース制御ＲＲＣシグナリングを通じて、上記少なくとも１つの組のＱＣＬビーム情報を送信する段階を含む、
項目１または２に記載の方法。
（項目４）
上記ＱＣＬビーム情報は、データリソースマッピング、ならびに、ＱＣＬ構成情報および／または非ゼロパワーチャネル状態情報参照信号構成情報に含まれる、項目１から３のいずれか一項に記載の方法。
（項目５）
参照信号アンテナポートとのＱＣＬ関係を有するＱＣＬビーム情報を決定する上記段階は、
上記参照信号アンテナポートを通じて参照信号を送信するために使用される時間領域リソースおよび／または周波数領域リソースに基づいて、上記時間領域リソースおよび／または上記周波数領域リソースにおける上記参照信号アンテナポートとの上記ＱＣＬ関係を有する上記ＱＣＬビーム情報を決定する段階を含み、
上記ＱＣＬビーム情報を送信する上記段階は、
上記時間領域リソースおよび／または上記周波数領域リソースにおける上記参照信号アンテナポートとの上記ＱＣＬ関係を有する上記ＱＣＬビーム情報を送信する段階を含む、
項目１から４のいずれか一項に記載の方法。
（項目６）
上記時間領域リソースおよび／または上記周波数領域リソースにおける上記参照信号アンテナポートとの上記ＱＣＬ関係を有する上記ＱＣＬビーム情報を送信する上記段階は、
時間領域ＱＣＬビーム情報リスト、周波数領域ＱＣＬビーム情報リストおよび時間周波数領域ＱＣＬビーム情報リストのうち少なくとも１つを送信する段階であって、上記時間領域ＱＣＬビーム情報リストは、少なくとも１つの時間領域リソースにおける上記参照信号アンテナポートとのＱＣＬ関係を有する少なくとも１つのＱＣＬビーム情報を含む、段階を含み、
上記周波数領域ＱＣＬビーム情報リストは、少なくとも１つの周波数領域リソースにおける上記参照信号アンテナポートとのＱＣＬ関係を有する少なくとも１つのＱＣＬビーム情報を含み、
上記時間周波数領域ＱＣＬビーム情報リストは、少なくとも１つの時間周波数領域リソースにおける上記参照信号アンテナポートとのＱＣＬ関係を有する少なくとも１つのＱＣＬビーム情報を含む、
項目５に記載の方法。
（項目７）
上記方法は更に、
ダウンリンク制御情報ＤＣＩを通じて、上記参照信号アンテナポートとの上記ＱＣＬ関係を有する上記ＱＣＬビーム情報を送信する段階を含む、
項目１から３のいずれか一項に記載の方法。
（項目８）
上記ビーム識別子情報はビーム同期信号識別子情報である、項目２から７のいずれか一項に記載の方法。
（項目９）
上記ビーム情報を有するビームは、ビームスキャンのための参照信号、ビーム参照信号、ビームスキャンのための参照信号、または、ビーム同期信号である、項目１から８のいずれか一項に記載の方法。
（項目１０）
ネットワークデバイスからの疑似コロケーションＱＣＬビーム情報を受信する段階であって、上記ＱＣＬビーム情報は、参照信号アンテナポートとのＱＣＬ関係を有するビーム情報を含む、段階と、
上記ＱＣＬビーム情報に含まれ、上記参照信号アンテナポートとの上記ＱＣＬ関係を有する上記ビーム情報に基づいて、上記参照信号アンテナポートとの上記ＱＣＬ関係を有するビームを決定する段階と
を備える通信方法。
（項目１１）
上記ＱＣＬビーム情報は、ビーム識別子情報およびビームアンテナポート情報のうち少なくとも１つを含む、項目１０に記載の方法。
（項目１２）
上記ＱＣＬビーム情報は、少なくとも１つの組のＱＣＬビーム情報を含み、
ネットワークデバイスからのＱＣＬビーム情報を受信する上記段階は、
無線リソース制御ＲＲＣシグナリングを通じて、上記ネットワークデバイスからの上記少なくとも１つの組のＱＣＬビーム情報を受信する段階を含む、
項目９または１０に記載の方法。
（項目１３）
上記ＱＣＬビーム情報は、データリソースマッピングおよびＱＣＬ構成情報、および／または、非ゼロパワーチャネル状態情報参照信号構成情報に含まれる、項目１０から１２のいずれか一項に記載の方法。
（項目１４）
上記参照信号アンテナポートとの上記ＱＣＬ関係を有する上記ＱＣＬビーム情報は、上記参照信号アンテナポートを通じて参照信号を送信するために使用される時間領域リソースおよび／または周波数領域リソースに基づいて、上記ネットワークデバイスによって決定され、
ネットワークデバイスからのＱＣＬビーム情報を受信する上記段階は、
上記時間領域リソースおよび／または上記周波数領域リソースにおける上記参照信号アンテナポートとの上記ＱＣＬ関係を有する、上記ネットワークデバイスからの上記ＱＣＬビーム情報を受信する段階を含む、
項目１０から１３のいずれか一項に記載の方法。
（項目１５）
上記時間領域リソースおよび／または上記周波数領域リソースにおける上記参照信号アンテナポートとの上記ＱＣＬ関係を有する、上記ネットワークデバイスからの上記ＱＣＬビーム情報を受信する上記段階は、
上記ネットワークデバイスからの時間領域ＱＣＬビーム情報リスト、周波数領域ＱＣＬビーム情報リストおよび時間周波数領域ＱＣＬビーム情報リストのうち少なくとも１つを受信する段階を含み、
上記時間領域ＱＣＬビーム情報リストは、少なくとも１つの時間領域リソースにおける上記参照信号アンテナポートとのＱＣＬ関係を有する少なくとも１つのＱＣＬビーム情報を含み、
上記周波数領域ＱＣＬビーム情報リストは、少なくとも１つの周波数領域リソースにおける上記参照信号アンテナポートとのＱＣＬ関係を有する少なくとも１つのＱＣＬビーム情報を含み、
上記時間周波数領域ＱＣＬビーム情報リストは、少なくとも１つの時間領域リソースおよび少なくとも１つの周波数領域リソースにおける上記参照信号アンテナポートとのＱＣＬ関係を有する少なくとも１つのＱＣＬビーム情報を含む、
項目１４に記載の方法。
（項目１６）
ネットワークデバイスからのＱＣＬビーム情報を受信する上記段階は、
ダウンリンク制御情報ＤＣＩを通じて、上記参照信号アンテナポートとの上記ＱＣＬ関係を有する上記ＱＣＬビーム情報を受信する段階を含む、
項目１０から１２のいずれか一項に記載の方法。
（項目１７）
上記ビーム識別子情報はビーム同期信号識別子情報である、項目１１から１６のいずれか一項に記載の方法。
（項目１８）
上記ビームは、ビームスキャンのための参照信号、ビーム参照信号、ビームスキャンのための参照信号、または、ビーム同期信号である、項目１０から１７のいずれか一項に記載の方法。
（項目１９）
上記方法は更に、
上記参照信号アンテナポートとの上記ＱＣＬ関係を有する、決定された上記ビームに基づいて、上記参照信号アンテナポートの大規模特性を決定する段階を備える、
項目１０から１８のいずれか一項に記載の方法。
（項目２０）
疑似コロケーションＱＣＬビーム情報を決定するよう構成される処理ユニットであって、上記ＱＣＬビーム情報は、参照信号アンテナポートとの疑似コロケーションＱＣＬ関係を有するビーム情報を含む、処理ユニットと、
上記処理ユニットによって決定される上記ＱＣＬビーム情報を送信するよう構成される送信ユニットと
を備える通信機器。
（項目２１）
上記ＱＣＬビーム情報は、ビーム識別子情報およびビームアンテナポート情報のうち少なくとも１つを含む、項目２０に記載の通信機器。
（項目２２）
上記送信ユニットは、上記ＱＣＬビーム情報が少なくとも１つの組のＱＣＬビーム情報を含む場合、無線リソース制御ＲＲＣシグナリングを通じて、上記少なくとも１つの組のＱＣＬビーム情報を送信するという方式で上記ＱＣＬビーム情報を送信する、項目２０または２１に記載の通信機器。
（項目２３）
上記ＱＣＬビーム情報は、データリソースマッピングおよびＱＣＬ構成情報、および／または、非ゼロパワーチャネル状態情報参照信号構成情報に含まれる、項目２０から２２のいずれか一項に記載の通信機器。
（項目２４）
上記処理ユニットは、
上記参照信号アンテナポートを通じて参照信号を送信するために使用される時間領域リソースおよび／または周波数領域リソースに基づいて、上記時間領域リソースおよび／または上記周波数領域リソースにおける上記参照信号アンテナポートとの上記ＱＣＬ関係を有する上記ＱＣＬビーム情報を決定するという方式で、
上記参照信号アンテナポートとの上記ＱＣＬ関係を有する上記ＱＣＬビーム情報を決定し、
上記送信ユニットは、
上記時間領域リソースおよび／または上記周波数領域リソースにおける上記参照信号アンテナポートとの上記ＱＣＬ関係を有する上記ＱＣＬビーム情報を送信するという方式で、
上記ＱＣＬビーム情報を送信する、
項目２０から２３のいずれか一項に記載の通信機器。
（項目２５）
上記送信ユニットは、
時間領域ＱＣＬビーム情報リスト、周波数領域ＱＣＬビーム情報リストおよび時間周波数領域ＱＣＬビーム情報リストのうち少なくとも１つを送信するという方式で、上記時間領域リソースおよび／または上記周波数領域リソースにおける上記参照信号アンテナポートとの上記ＱＣＬ関係を有する上記ＱＣＬビーム情報を送信し、
上記時間領域ＱＣＬビーム情報リストは、少なくとも１つの時間領域リソースにおける上記参照信号アンテナポートとのＱＣＬ関係を有する少なくとも１つのＱＣＬビーム情報を含み、
上記周波数領域ＱＣＬビーム情報リストは、少なくとも１つの周波数領域リソースにおける上記参照信号アンテナポートとのＱＣＬ関係を有する少なくとも１つのＱＣＬビーム情報を含み、
上記時間周波数領域ＱＣＬビーム情報リストは、少なくとも１つの時間周波数領域リソースにおける上記参照信号アンテナポートとのＱＣＬ関係を有する少なくとも１つのＱＣＬビーム情報を含む、
項目２４に記載の通信機器。
（項目２６）
上記送信ユニットは更に、
ダウンリンク制御情報ＤＣＩを通じて、上記参照信号アンテナポートとの上記ＱＣＬ関係を有する上記ＱＣＬビーム情報を送信するよう構成される、項目２０から２２のいずれか一項に記載の通信機器。
（項目２７）
上記ビーム識別子情報はビーム同期信号識別子情報である、項目２１から２６のいずれか一項に記載の機器。
（項目２８）
上記ビーム情報を有するビームは、ビームスキャンのための参照信号、ビーム参照信号、ビームスキャンのための参照信号、または、ビーム同期信号である、項目２０から２７のいずれか一項に記載の機器。
（項目２９）
ネットワークデバイスからの疑似コロケーションＱＣＬビーム情報を受信するよう構成される受信ユニットであって、上記ＱＣＬビーム情報は、参照信号アンテナポートとのＱＣＬ関係を有するビーム情報を含む、受信ユニットと、
上記受信ユニットによって受信され、上記ＱＣＬビーム情報に含まれ、上記参照信号アンテナポートとの上記ＱＣＬ関係を有する上記ビーム情報に基づいて、上記参照信号アンテナポートとの上記ＱＣＬ関係を有するビームを決定するよう構成される処理ユニットと
を備える通信機器。
（項目３０）
上記ＱＣＬビーム情報は、ビーム識別子情報およびビームアンテナポート情報のうち少なくとも１つを含む、項目２９に記載の通信機器。
（項目３１）
上記受信ユニットは、
上記ＱＣＬビーム情報が少なくとも１つの組のＱＣＬビーム情報を含む場合、無線リソース制御ＲＲＣシグナリングを通じて、上記ネットワークデバイスからの上記少なくとも１つの組のＱＣＬビーム情報を受信する
という方式で、上記ネットワークデバイスからの上記ＱＣＬビーム情報を受信する、項目２９または３０に記載の通信機器。
（項目３２）
上記ＱＣＬビーム情報は、データリソースマッピングおよびＱＣＬ構成情報、および／または、非ゼロパワーチャネル状態情報参照信号構成情報に含まれる、項目２９から３１のいずれか一項に記載の通信機器。
（項目３３）
上記参照信号アンテナポートとの上記ＱＣＬ関係を有する上記ＱＣＬビーム情報は、上記参照信号アンテナポートを通じて参照信号を送信するために使用される時間領域リソースおよび／または周波数領域リソースに基づいて上記ネットワークデバイスによって決定され、
上記受信ユニットは、上記時間領域リソースおよび／または上記周波数領域リソースにおける上記参照信号アンテナポートとの上記ＱＣＬ関係を有する、上記ネットワークデバイスからの上記ＱＣＬビーム情報を受信するという方式で、上記ネットワークデバイスからの上記ＱＣＬビーム情報を受信する、
項目２９から３２のいずれか一項に記載の通信機器。
（項目３４）
上記受信ユニットは、
上記ネットワークデバイスからの時間領域ＱＣＬビーム情報リスト、周波数領域ＱＣＬビーム情報リストおよび時間周波数領域ＱＣＬビーム情報リストのうち少なくとも１つを受信するという方式で、
上記時間領域リソースおよび／または上記周波数領域リソースにおける上記参照信号アンテナポートとの上記ＱＣＬ関係を有する、上記ネットワークデバイスからの上記ＱＣＬビーム情報を受信し、
上記時間領域ＱＣＬビーム情報リストは、少なくとも１つの時間領域リソースにおける上記参照信号アンテナポートとのＱＣＬ関係を有する少なくとも１つのＱＣＬビーム情報を含み、
上記周波数領域ＱＣＬビーム情報リストは、少なくとも１つの周波数領域リソースにおける上記参照信号アンテナポートとのＱＣＬ関係を有する少なくとも１つのＱＣＬビーム情報を含み、
上記時間周波数領域ＱＣＬビーム情報リストは、少なくとも１つの時間領域リソースおよび少なくとも１つの周波数領域リソースにおける上記参照信号アンテナポートとのＱＣＬ関係を有する少なくとも１つのＱＣＬビーム情報を含む、
項目３３に記載の通信機器。
（項目３５）
上記受信ユニットは、
ダウンリンク制御情報ＤＣＩを通じて、上記参照信号アンテナポートとの上記ＱＣＬ関係を有する上記ＱＣＬビーム情報を受信するという方式で、
上記ネットワークデバイスからの上記ＱＣＬビーム情報を受信する、項目２９から３１のいずれか一項に記載の通信機器。
（項目３６）
上記ビーム識別子情報はビーム同期信号識別子情報である、項目３０から３５のいずれか一項に記載の機器。
（項目３７）
上記ビームは、ビームスキャンのための参照信号、ビーム参照信号、ビームスキャンのための参照信号、または、ビーム同期信号である、項目２９から３６のいずれか一項に記載の機器。
（項目３８）
上記処理ユニットは更に、
上記参照信号アンテナポートとの上記ＱＣＬ関係を有する、決定された上記ビームに基づいて、上記参照信号アンテナポートの大規模特性を決定するよう構成される、
項目２９から３７のいずれか一項に記載の機器。
（項目３９）
プロセッサ、メモリおよび送受信機を備えるネットワークデバイスであって、
上記メモリは命令を記憶するよう構成され、上記プロセッサは上記メモリに記憶された上記命令を実行して上記送受信機を制御して信号を受信および送信するよう構成され、上記プロセッサが上記メモリに記憶された上記命令を実行するとき、上記ネットワークデバイスは、項目１から９のいずれか一項に記載の方法を実行するよう構成される、ネットワークデバイス。
（項目４０）
プロセッサ、メモリおよび送受信機を備える端末であって、
上記メモリは命令を記憶するよう構成され、上記プロセッサは上記メモリに記憶された上記命令を実行して上記送受信機を制御して信号を受信および送信するよう構成され、上記プロセッサが上記メモリに記憶された上記命令を実行するとき、上記端末は、項目１０から１９のいずれか一項に記載の方法を実行するよう構成される、端末。
（項目４１）
命令またはプログラムを含む可読記憶媒体であって、上記命令または上記プログラムが実行されるとき、項目１から１９のいずれか一項に記載の方法が実行される、可読記憶媒体。
（項目４２）
項目１から１９のいずれか一項に記載の方法を実行するよう構成される通信機器。
（項目４３）
プロセッサおよびメモリを備える通信機器であって、上記メモリは命令を記憶するよう構成され、上記プロセッサは上記メモリに記憶された上記命令を実行するよう構成され、上記プロセッサが上記メモリに記憶された上記命令を実行するとき、上記ネットワークデバイスは、項目１から１９のいずれか一項に記載の方法を実行するよう構成される、通信機器。
【手続補正３】
【補正対象書類名】図面
【補正対象項目名】図４
【補正方法】変更
【補正の内容】
【図４】
2019533390.tif 000014
【国際調査報告】
2019533390.tif 000015
2019533390.tif 000016
2019533390.tif 000017
2019533390.tif 000018